(57)【要約】  リブを有するゴルフ・クラブ・ヘッドが本願明細書に開示される。他の実施形態及び関連する方法もまた本願明細書に開示される。
2019525812.tif 000002
【特許請求の範囲】
【請求項１】
ゴルフ・クラブ・ヘッドであって、
本体部と、
前記本体部のリブ表面から突出する第１のリブと、を含み、
前記本体部は、
ヒール端、トウ端、クラウン、ソール、中心点を有する前端、および、後端と、
スカートまたはホーゼルのうちの少なくとも１つと、を含み、
前記第１のリブは、
互いに反対側にある第１の第１リブ端部および第２の第１リブ端部と、
前記本体部の前記リブ表面から突出されている第１の第１リブ部分、第２の第１リブ部分、および、第３の第１リブ部分と、を含み、
前記第１の第１リブ部分は、前記第１の第１リブ端部と前記第３の第１リブ部分との間に位置付けされており、
前記第２の第１リブ部分は、前記第２の第１リブ端部と前記第３の第１リブ部分との間に位置付けされており、
前記第１の第１リブ部分は、前記リブ表面に実質的に平行の第１の第１リブ厚さを含み、
前記第２の第１リブ部分は、前記リブ表面に実質的に平行の第２の第１リブ厚さを含み、
前記第３の第１リブ部分は、前記リブ表面に実質的に平行の第３の第１リブ厚さを含み、
前記第１の第１リブ厚さおよび第２の第１リブ厚さは、前記第３の第１リブ厚さよりも大きくなっており、
また、前記ゴルフ・クラブ・ヘッドは、
前記ヒール端の上に位置決めされている、前記前端から前記後端へ延在する第１のサイド・リブと、
前記トウ端の上に位置決めされている、前記前端から前記後端へ延在する第２のサイド・リブと、を含み、
前記第１のサイド・リブは、前記第２のサイド・リブとは非対称になっており、前記第１のサイド・リブおよび前記第２のサイド・リブが、前記前端の前記ストライク・フェイス中心点から等距離にないようになっている、ゴルフ・クラブ・ヘッド。
【請求項２】
前記第１の第１リブ部分は、前記リブ表面に実質的に直交する第１の第１リブ高さをさらに含み、
前記第２の第１リブ部分は、前記リブ表面に実質的に直交する第２の第１リブ高さをさらに含み、
前記第３の第１リブ部分は、前記リブ表面に実質的に直交する第３の第１リブ高さをさらに含み、
前記第１の第１リブ高さおよび第２の第１リブ高さは、前記第３の第１リブ高さよりも大きくなっている、請求項１に記載のゴルフ・クラブ・ヘッド。
【請求項３】
前記リブ表面に直交して測定される、前記第１のリブの最大の第１リブ高さは、最大でおおよそ６ｍｍである、請求項１に記載のゴルフ・クラブ・ヘッド。
【請求項４】
前記第１の第１リブ厚さまたは前記第２の第１リブ厚さのうちの少なくとも１つは、前記第３の第１リブ厚さよりも、おおよそ１．１倍からおおよそ８倍大きくなっている、請求項１に記載のゴルフ・クラブ・ヘッド。
【請求項５】
前記第１のリブは、前記本体部の前記クラウンまたは前記ソールのうちの少なくとも１つに沿って、前記リブ表面から突出している、請求項１に記載のゴルフ・クラブ・ヘッド。
【請求項６】
前記第１のリブは、前記リブ表面から突出しており、前記本体部の前記クラウンから前記ソールへ連続的に延在している、請求項１に記載のゴルフ・クラブ・ヘッド。
【請求項７】
前記第１のサイド・リブは、前記第２のサイド・リブよりも、前記前端の近くに位置決めされている、請求項１に記載のゴルフ・クラブ・ヘッド。
【請求項８】
前記第１のサイド・リブおよび第２のサイド・リブは、０．０３８ｃｍから０．０６４ｃｍの範囲にある高さを含み、
前記第１のサイド・リブおよび第２のサイド・リブは、０．１６５ｃｍから０．１９１ｃｍの範囲にある幅を含む、請求項１に記載のゴルフ・クラブ・ヘッド。
【請求項９】
前記第１のサイド・リブおよび第２のサイド・リブの前記幅は、前記第１のサイド・リブおよび第２のサイド・リブが前記前端から前記後端に向けて延在するのにつれて増加している、請求項８に記載のゴルフ・クラブ・ヘッド。
【請求項１０】
前記第１のサイド・リブおよび第２のサイド・リブは、前記ゴルフ・クラブ・ヘッドがレスト位置にあるときに、地面に対して角度を付けられており、前記角度は、４０度から１４０度の範囲にある、請求項１に記載のゴルフ・クラブ・ヘッド。
【請求項１１】
ゴルフ・クラブ・ヘッドであって、
本体部と、
前記本体部のリブ表面から突出する第１のリブと、を含み、
前記本体部は、
ヒール端、トウ端、クラウン、ソール、前端、および、後端と、
スカートまたはホーゼルのうちの少なくとも１つと、を含み、
前記第１のリブは、
互いに反対側にある第１の第１リブ端部および第２の第１リブ端部と、
前記本体部の前記リブ表面から突出されている第１の第１リブ部分、第２の第１リブ部分、および、第３の第１リブ部分と、を含み、
前記第１の第１リブ部分は、前記第１の第１リブ端部と前記第３の第１リブ部分との間に位置付けされており、
前記第２の第１リブ部分は、前記第２の第１リブ端部と前記第３の第１リブ部分との間に位置付けされており、
前記第１の第１リブ部分は、前記リブ表面に実質的に平行の第１の第１リブ厚さを含み、
前記第２の第１リブ部分は、前記リブ表面に実質的に平行の第２の第１リブ厚さを含み、
前記第３の第１リブ部分は、前記リブ表面に実質的に平行の第３の第１リブ厚さを含み、
前記第１の第１リブ厚さおよび第２の第１リブ厚さは、前記第３の第１リブ厚さよりも大きくなっており、
また、前記ゴルフ・クラブ・ヘッドは、
前記本体部の前記リブ表面から突出する第２のリブを含み、
前記第２のリブは、
互いに反対側にある第１の第２リブ端部および第２の第２リブ端部と、
前記本体部の前記リブ表面から突出されている第１の第２リブ部分、第２の第２リブ部分、および、第３の第２リブ部分と、を含み、
前記第１の第２リブ部分は、前記第１の第２リブ端部と前記第３の第１リブ部分との間に位置付けされており、
前記第２の第２リブ部分は、前記第２の第２リブ端部と前記第３の第２リブ部分との間に位置付けされており、
前記第１の第２リブ部分は、前記リブ表面に実質的に平行の第１の第２リブ厚さを含み、
前記第２の第２リブ部分は、前記リブ表面に実質的に平行の第２の第２リブ厚さを含み、
前記第３の第２リブ部分は、前記リブ表面に実質的に平行の第３の第２リブ厚さを含み、
前記第１の第２リブ厚さおよび第２の第２リブ厚さは、前記第３の第２リブ厚さよりも大きくなっており、
また、前記ゴルフ・クラブ・ヘッドは、
前記第１のリブと前記第２のリブとの間に延在する第１の接続リブであって、前記第１の接続リブは、第１端部および第２端部を含み、前記第１の接続リブの前記第１端部は、前記第１のリブと一体的に形成されており、前記第１の接続リブの前記第２端部は、前記第２のリブと一体的に形成されている、ゴルフ・クラブ・ヘッド。
【請求項１２】
前記本体部は、
前記ヒール端の上に位置決めされている、前記前端から前記後端へ延在する第１のサイド・リブと、
前記トウ端の上に位置決めされている、前記前端から前記後端へ延在する第２のサイド・リブと、をさらに含み、
前記第１のサイド・リブは、前記第２のサイド・リブとは非対称になっており、前記第１のサイド・リブおよび前記第２のサイド・リブが、前記前端のストライク・フェイス中心点から等距離にないようになっている、請求項１１に記載のゴルフ・クラブ・ヘッド。
【請求項１３】
前記リブ表面は、前記クラウン、前記ソール、または、前記スカートのうちの第１のものにおいて、第１の高振幅ゾーンを含み、
前記第３の第１リブ部分は、前記第１の高振幅ゾーンに位置付けされており、
前記第１の第１リブ部分および第２の第１リブ部分は、前記第１の高振幅ゾーンの外側に位置付けされている、請求項１１に記載のゴルフ・クラブ・ヘッド。
【請求項１４】
前記第１の高振幅ゾーンは、前記クラウン、前記ソール、または前記スカートのうちの前記第１のものにおいて、ゴルフ・ボールと前記本体部の前記前端のストライク・フェイスとの間のゴルフ・ショット・インパクトのときに前記本体部の最大振動振幅が存在する場所を含む、請求項１３に記載のゴルフ・クラブ・ヘッド。
【請求項１５】
前記第１のリブおよび第２のリブは、所定の高さを含み、前記第１のリブおよび第２のリブの前記高さは、０．０３８ｃｍから０．０６４ｃｍの範囲にある、請求項１４に記載のゴルフ・クラブ・ヘッド。
【請求項１６】
前記第１の接続リブは、所定の厚さを含み、前記厚さは、０．１６５ｃｍから０．１９１ｃｍの範囲にある、請求項１１に記載のゴルフ・クラブ・ヘッド。
【請求項１７】
前記第１の接続リブは、所定の高さを含み、前記第１の接続リブの前記高さは、前記第１のリブおよび第２のリブの前記高さに一致している、請求項１５に記載のゴルフ・クラブ・ヘッド。
【請求項１８】
前記第１の接続リブは、前記第１の接続リブの前記第１端部から前記第１の接続リブの前記第２端部に向けて延在する、可変の厚さを有している、請求項１１に記載のゴルフ・クラブ・ヘッド。
【請求項１９】
前記本体部は、前記第１のリブと前記第２のリブとの間に位置決めされている第２の接続リブをさらに含み、前記第２の接続リブは、前記第１の接続リブと平行になっている、請求項１１に記載のゴルフ・クラブ・ヘッド。
【請求項２０】
前記第１の接続リブの一部分は、前記第１の高振幅ゾーンの上に位置決めされている、請求項１３に記載のゴルフ・クラブ・ヘッド。
【発明の詳細な説明】
【技術分野】
【０００１】
本発明は、主としてゴルフ道具に関し、特に、ゴルフ・クラブ・ヘッドに関する。
【０００２】
本開示は、２０１６年７月２６日に出願された米国特許仮出願第６２／３６６，７１０号の利益を主張し、また２０１７年６月２３日に出願された米国特許出願第１５／６３１，４８３号の一部継続出願であり、それらの内容は参照により本明細書に完全に組み込まれる。
【０００３】
現在のウッドタイプのゴルフ・クラブ・ヘッドは、クラブの名前にもなっているパーシモンウッドではなく、例外なく金属で作られている。一般的に、これらのクラブ・ヘッドは、中空の金属シェルで構成されており、ボールのインパクトに耐えるために比較的厚いフェースを有しており、さらに、地面へのインパクトに耐えるとともにクラブ・ヘッドの重心を低くするために比較的厚いソールを有している。ゴルフ・クラブ・ヘッドの他の部分は、可能な限り薄く製造され、材料の最大量をフェースとソースに分配する。現在のクラブ・ヘッドのクラウン及びスカートは極めて薄いものとなっているが、クラブ・ヘッドのフェースを支持するために、最大のストレスの方向において十分に硬くなければならない。 
【０００４】
リブは、クラブ・ヘッドのクラウンに一般に採用されており、前後方向に十分な剛性を与えながら、クラウンを可能な限り軽くすることができる。Zebeleanの米国特許４，２１４，７５４は、クラウンを備えた中空のクラブ・ヘッドを開示しており、そのクラウンはクラブ・ヘッドのフェースに対して垂直に伸びている平行なリブを含む。平行なリブは、内部を伸びており、クラウンの薄い推移を架橋する。同様に、Sanoの米国特許６，５９５，８７１は、独立して取付けられるフェースと、フェースに対して直交して伸びている複数の平行なリブを含むクラウンと、を有する中空のクラブ・ヘッドを開示する。Schmidtらの米国特許５，０６７，７１５は、クラブフェースに溶け込むとともにクラブ・ヘッドフェースに対して垂直に伸びている複数の平行なリブ、同様に、クラブ・ヘッドの後壁に溶け込むとともにクラブ・ヘッドの後壁に対して垂直に伸びている複数のリブ、を含むクラウンを有する中空のクラブ・ヘッドを開示する。
【発明の概要】
【発明が解決しようとする課題】
【０００５】
従来技術では、クラブ・ヘッドのフェースを一様に補強する平行なリブを有するクラウンを備えたクラブ・ヘッドが有効な構成でないことが認識されていない。なぜなら、クラブ・ヘッドのフェースには均一な荷重が加わらず、本質的には中心近くのインパクト点に加わるからである。
【図面の簡単な説明】
【０００６】
【図１】本発明の特徴を具体化するゴルフ・クラブ・ヘッドの正面斜視図である。
【０００７】
【図２】下から見た図１のクラブ・ヘッドの断面図である。
【０００８】
【図３】正面から見た図１のクラブ・ヘッドの部分断面図である。
【０００９】
【図４】第２の実施形態によるゴルフ・クラブ・ヘッドの上面図である。
【００１０】
【図５】正面から見た図４のクラブ・ヘッドの完全な断面図である。
【００１１】
【図６】第３の実施形態によるゴルフ・クラブ・ヘッドの上面図である。
【００１２】
【図７】サイドから見た図６のクラブ・ヘッドの完全な断面図である。
【００１３】
【図８】第４の実施形態によるゴルフ・クラブ・ヘッドの上面図である。
【００１４】
【図９】サイドから見た図８のクラブ・ヘッドの完全な断面図である。
【００１５】
【図１０】第５の実施形態によるゴルフ・クラブ・ヘッドの上面図である。
【００１６】
【図１１】正面から見た図１０のクラブ・ヘッドの完全な断面図である。
【００１７】
【図１２】第６の実施形態によるゴルフ・クラブ・ヘッドの上面図である。
【００１８】
【図１３】正面から見た図１２のクラブ・ヘッドの完全な断面図である。
【００１９】
【図１４】別の実施形態によるゴルフ・クラブ・ヘッドの部分的な正面断面図である。
【００２０】
【図１５】図１４の線ＸＶ−ＸＶに関する、図１４のゴルフ・クラブ・ヘッドの上面断面図である。
【００２１】
【図１６】本開示の例および実施形態によるゴルフ・クラブ・ヘッドを提供するための方法のフローチャートである。
【００２２】
【図１７】図１４〜図１５のゴルフ・クラブ・ヘッドと同様であるが別の実施形態によるゴルフ・クラブ・ヘッドの上面断面図である。
【００２３】
【図１８】別の実施形態によるゴルフ・クラブ・ヘッドの上面断面図である。
【００２４】
【図１９】別の実施形態によるゴルフ・クラブ・ヘッドの上面断面図である。
【００２５】
【図２０】本開示の例および実施形態によるゴルフ・クラブ・ヘッドを提供するための方法のフローチャートである。
【００２６】
【図２１】アドレス位置にある図１８のゴルフ・クラブ・ヘッドの側面図である。
【００２７】
【図２２】リブを備えたゴルフ・クラブ・ヘッドの正面図である。
【００２８】
【図２３】図２２のゴルフ・クラブ・ヘッドの上面Ｘ線図である。
【００２９】
【図２４】図２２のゴルフ・クラブ・ヘッドのクラウンの底部から上を見た内部図である。
【００３０】
【図２５】図２２のゴルフ・クラブ・ヘッドのソールおよびスカートの上から下を見た内部図である。
【００３１】
【図２６】図２３の線ＸＸＶＩ−ＸＸＶＩに関する、図２２のゴルフ・クラブ・ヘッドのリブの側面図である。
【００３２】
【図２７】図２３の線ＸＸＶＩＩ−ＸＸＶＩＩに関する、図２２のゴルフ・クラブ・ヘッドのリブの側面図である。
【００３３】
【図２８】図２３の線ＸＸＶＩＩＩ−ＸＸＶＩＩＩに関する、図２２のゴルフ・クラブ・ヘッドのリブの側面図である。
【００３４】
【図２９】図２２のゴルフ・クラブ・ヘッドのクラウンの上面ＦＥＡ図であり、それにおける高振幅ゾーンを特定している図である。
【００３５】
【図３０】図２２のゴルフ・クラブ・ヘッドのソールの底部ＦＥＡ図であり、それにおける高振幅ゾーンを特定している図である。
【００３６】
【図３１】本開示の例および実施形態によるゴルフ・クラブ・ヘッドを提供するための方法のフローチャートである。
【００３７】
【図３２】リブを備えたゴルフ・クラブ・ヘッドの上面Ｘ線図である。
【００３８】
【図３３】リブを備えたゴルフ・クラブ・ヘッドの上面Ｘ線図である。
【００３９】
【図３４】リブを備えたゴルフ・クラブ・ヘッドの上面Ｘ線図である。
【００４０】
【図３５】リブを備えたゴルフ・クラブ・ヘッドの上面Ｘ線図である。
【００４１】
【図３６】リブを備えたゴルフ・クラブ・ヘッドの上面Ｘ線図である。
【００４２】
【図３７】リブを備えたゴルフ・クラブ・ヘッドの上面Ｘ線図である。
【００４３】
【図３８】リブを備えたゴルフ・クラブ・ヘッドの上面Ｘ線図である。
【００４４】
【図３９】本開示の例および実施形態によるゴルフ・クラブ・ヘッドを提供するための方法のフローチャートである。
【００４５】
【図４０】別の実施形態によるゴルフ・クラブ・ヘッドの側断面図である。
【００４６】
【図４１】図４０のゴルフ・クラブ・ヘッドの正面断面図である。
【００４７】
【図４２】図４０のゴルフ・クラブ・ヘッドの別の側断面図である。
【００４８】
【図４３】図４０のゴルフ・クラブ・ヘッドの別の側断面図である。
【００４９】
【図４４】図４０のゴルフ・クラブ・ヘッドの別の側断面図である。
【００５０】
【図４５】図４０のゴルフ・クラブ・ヘッドの別の側断面図である。
【００５１】
【図４６】図４０のゴルフ・クラブ・ヘッドの別の側断面図である。
【００５２】
【図４７】図４０のゴルフ・クラブ・ヘッドの別の正面斜視断面図である。
【００５３】
【図４８】図４０のゴルフ・クラブ・ヘッドの別の正面斜視断面図である。
【００５４】
【図４９】図４０のゴルフ・クラブ・ヘッドのソールの底部モーダル解析図であり、それにおける高振幅ゾーンを特定している図である。
【００５５】
【図５０】図４０のゴルフ・クラブ・ヘッドのソールの底部モーダル解析図であり、それにおける高振幅ゾーンを特定している図である。
【００５６】
【図５１】図４０のゴルフ・クラブ・ヘッドのクラウンの上面モーダル解析図であり、それにおける高振幅ゾーンを特定している図である。
【００５７】
【図５２】図４０のゴルフ・クラブ・ヘッドのソールの底部モーダル解析図であり、それにおける高振幅ゾーンを特定している図である。
【００５８】
【図５３】図４７のゴルフ・クラブ・ヘッドの音響解析グラフである。
【発明を実施するための形態】
【００５９】
説明を簡単かつ明瞭にするために、図面は一般的な構成方法を示しており、本発明を不必要にあいまいにすることを避けるために周知の特徴および技術の説明および詳細は省略されることがある。さらに、図面中の要素は必ずしも一定の縮尺で描かれていない。例えば、図中の要素のいくつかの寸法は、本発明の実施形態の理解を向上させるのを助けるために他の要素に対して誇張されているかもしれない。異なる図中の同じ参照番号は同じ要素を示す。
【００６０】
もしあれば、本明細書および特許請求の範囲における用語「第１」、「第２」、「第３」、「第４」等は、類似要素を区別するために使用され、必ずしも特定の連続した順序または古い順を記述するためのものではない。そのように使用された用語は、本明細書に記載される実施形態が例えば、例示されているかまたは別様に本明細書に記載されているもの以外の順序で操作可能であるように、適切な状況において置き換え可能であると理解すべきである。さらに、用語「含む」および「有する」ならびにこれらの任意の活用形は、要素のリストを含むプロセス、方法、システム、物品、デバイス、もしくは装置が必ずしもそれらの要素に限定されていないが、明示的に列挙されていないか、またはかかるプロセス、方法、システム、物品、デバイス、もしくは装置に固有ではない他の要素を含んでもよいように、非排他的包含を網羅することが意図される。
【００６１】
もしあれば、本明細書および特許請求の範囲における用語「左」、「右」、「前」、「後」、「上」、「下」、「の上」、「の下」等は、説明目的で使用され、必ずしも永久的な相対位置を記述するためのものではない。そのように使用された用語は、本明細書に記載される発明の実施形態が、例えば、例示されているかまたは別様に本明細書に記載されているもの以外の配向で操作可能であるように、適切な状況において置き換え可能であると理解すべきである。
【００６２】
用語「連結する（ｃｏｕｐｌｅ、ｃｏｕｐｌｅｓ）」、「連結された」、「連結している」等は、広く理解されるべきであり、２つまたはそれ以上の要素又は信号を電気的に、機械的に、または別の方法で接続することを意味する。２つ以上の電気的要素は電気的に連結されて、機械的に又は他の方法で連結されなくてもよく、２つ以上の機械的要素は機械的に連結されて、電気的に又は他の方法で連結されなくてもよく、２つ以上の電気的要素は機械的に連結されて、電気的に又は他の方法で連結されなくてもよい。（機械的なまたは別の方法での）連結は、任意の長さの時間、例えば、永久的、または半永久的、またはほんの一瞬であってもよい。
【００６３】
ここで定義されるように、２つ以上の要素が同一の材料で構成される場合は「一体」である。ここで定義されるように、２つ以上の要素が異なる材料で構成される場合は「非一体」である。
【００６４】
第１の例では、ゴルフ・クラブ・ヘッドは、本体部、及び本体部のリブ表面から突出する複数のリブを備えることができる。本体部は、ヒール端、トウ端、ソール、前面、及び後面を有することができる。複数のリブは、第１長手軸を有する第１リブ、第２長手軸を有する第２リブ、及び第３長手軸を有する第３リブを備えることができる。第１長手軸、第２長手軸、及び第３長手軸は、本体部の外部にある共通点で交差することができる。
【００６５】
第２の例では、ゴルフ・クラブ・ヘッドは、本体部、及び本体部のリブ表面から突出する複数のリブを備えることができる。本体部は、ヒール端、トウ端、ソール、前面、及び後面を有することができる。複数のリブは、略直線であるとともに交差しないものとすることができ、及び／又は、複数のリブは、本体部のヒール端に最も近い第１リブ、及び本体部のトウ端に最も近い第２リブを有してもよい。複数のリブはまた、実質的に放射状であり、第１リブと第２リブの間で扇状を形成してもよい。
【００６６】
第３の例では、方法は、（ａ）ヒール端、トウ端、ソール、前面、及び後面を有するゴルフ・クラブの本体部を準備する工程、及び（ｂ）本体部のリブ表面から突出する複数のリブを準備する工程を備えることができる。複数のリブは、共通点を通過して伸びている第１長手軸を有する第１リブ、共通点を通過して伸びている第２長手軸を有する第２リブ、及び共通点を通過して伸びている第３長手軸を有する第３リブを有することができる。共通点は、本体部の外部に位置している。
【００６７】
１つの実施形態では、ゴルフ・クラブ・ヘッドは、ヒール端、トウ端、ソール、および、前表面を有する本体部と、前記本体部のリブ表面から突出する複数のリブと、を含む。前記複数のリブは、（ａ）第１の第１リブ端部、前記第１の第１リブ端部の反対側にある第１の第２リブ端部、および、前記第１の第１リブ端部と前記第１の第２リブ端部を通って延在する第１の軸、を有する第１のリブと、（ｂ）第２の第１リブ端部、前記第２の第１リブ端部の反対側にある第２の第２リブ端部、および、前記第２の第１リブ端部と前記第２の第２リブ端部を通って延在する第２の軸、を有する第２のリブと、（ｃ）第３の第１リブ端部、前記第３の第１リブ端部の反対側にある第３の第２リブ端部、および、前記第３の第１リブ端部と前記第３の第２リブ端部を通って延在する第３の軸、を有する第３のリブと、を有する。前記前表面は、ストライク・フェース中心点を有するストライク・フェースを有しており、ストライク・フェース中心点に接するロフト平面が、ゴルフ・クラブ・ヘッドの前平面を画定する。前記第１のリブは、前記第２のリブと前記第３のリブの間に位置決めされることができる。前記第１の軸は、前記前平面と前記第１の第１端部の間の第１の距離を有することができる。前記第２の軸は、前記前平面と前記第２の第１端部の間の第２の距離を有することができる。前記第３の軸は、前記前平面と前記第３の第１端部の間の第３の距離を有することができる。前記第１の距離と前記第２の距離と前記第３の距離のうちの少なくとも１つが、前記第１の距離と前記第２の距離と前記第３の距離のうちの少なくとも他の１つよりも大きくなることができる。
【００６８】
１つの実施形態では、ゴルフ・クラブ・ヘッドは、ヒール端、トウ端、ソール、および、前表面を有する本体部と、前記本体部のリブ表面から突出する複数のリブと、を含むことができる。前記複数のリブは、（ａ）第１の第１リブ端部、前記第１の第１リブ端部の反対側にある第１の第２リブ端部、および、前記第１の第１リブ端部と前記第１の第２リブ端部を通って延在する第１の軸、を有する第１のリブと、（ｂ）第２の第１リブ端部、前記第２の第１リブ端部の反対側にある第２の第２リブ端部、および、前記第２の第１リブ端部と前記第２の第２リブ端部を通って延在する第２の軸、を有する第２のリブと、（ｃ）第３の第１リブ端部、前記第３の第１リブ端部の反対側にある第３の第２リブ端部、および、前記第３の第１リブ端部と前記第３の第２リブ端部を通って延在する第３の軸、を有する第３のリブと、を有することができる。前記第１のリブは、前記第２のリブと前記第３のリブの間に位置決めされることができる。前記第１の軸は、前記前平面と前記第１の第１端部の間の第１の距離を有することができる。前記第２の軸は、前記前平面と前記第２の第１端部の間の第２の距離を有することができる。前記第３の軸は、前記前平面と前記第３の第１端部の間の第３の距離を有することができる。前記第１の距離と前記第２の距離と前記第３の距離のうちの少なくとも１つが、前記第１の距離と前記第２の距離と前記第３の距離のうちの少なくとも他の１つよりも大きくなることができる。
【００６９】
１つの例では、ゴルフ・クラブ・ヘッドを提供する方法は、ヒール端、トウ端、ソール、および、前表面を有する本体部を提供する工程と、前記本体部のリブ表面から突出する複数のリブを提供する工程と、を含むことができる。前記複数のリブを提供する工程は、（ａ）第１の第１リブ端部、前記第１の第１リブ端部の反対側にある第１の第２リブ端部、および、前記第１の第１リブ端部と前記第１の第２リブ端部を通って延在する第１の軸、を有する第１のリブを提供する工程と、（ｂ）第２の第１リブ端部、前記第２の第１リブ端部の反対側にある第２の第２リブ端部、および、前記第２の第１リブ端部と前記第２の第２リブ端部を通って延在する第２の軸、を有する第２のリブを提供する工程と、（ｃ）第３の第１リブ端部、前記第３の第１リブ端部の反対側にある第３の第２リブ端部、および、前記第３の第１リブ端部と前記第３の第２リブ端部を通って延在する第３の軸、を有する第３のリブを提供する工程と、を有することができる。前記本体部を提供する工程は、前表面において、ストライク・フェース中心点を有するストライク・フェースを連結させる工程を有することができる。ロフト平面は、ストライク・フェース中心点に接することができる。ゴルフ・クラブ・ヘッドがグランド平坦面上にアドレスされたときに、ロフト平面は、フロント交線に沿ってグランド平坦面と交差し、前平面が、フロント交線からグランド平坦面に直交して延在する。前記第１のリブは、前記第２のリブと前記第３のリブの間に位置決めされることができる。前記第１の軸は、前記ロフト平面と前記前平面と前記前表面のうちの１つを有する前参照と前記第１の第１端部の間の第１の距離を有することができる。前記第２の軸は、前記前参照と前記第２の第１端部の間の第２の距離を有することができる。前記第３の軸は、前記前参照と前記第３の第１端部の間の第３の距離を有することができる。前記第１の距離と前記第２の距離と前記第３の距離のうちの少なくとも１つが、前記第１の距離と前記第２の距離と前記第３の距離のうちの少なくとも他の１つよりも大きくなるように、前記複数のリブは前記前参照に対してスタガートされている。
【００７０】
１つの実施形態では、ゴルフ・クラブ・ヘッドは、本体部と、第１のリブと、を含むことができる。前記本体部は、ヒール端、トウ端、クラウン、ソール、中心点を有する前端、および、後端と、スカートまたはホーゼルのうちの少なくとも１つと、を含むことができる。前記第１のリブは、前記本体部のリブ表面から突出しており、互いに反対側にある第１の第１リブ端部および第２の第１リブ端部と、前記本体部の前記リブ表面から突出されている第１の第１リブ部分、第２の第１リブ部分、および、第３の第１リブ部分と、を含むことができる。前記第１の第１リブ部分は、前記第１の第１リブ端部と前記第３の第１リブ部分との間に位置付けされることができる。前記第２の第１リブ部分は、前記第２の第１リブ端部と前記第３の第１リブ部分との間に位置付けされることができる。前記第１の第１リブ部分は、第１の第１リブ寸法を有することができ、その第１の第１リブ寸法は、前記リブ表面に実質的に垂直の第１の第１リブ高さと、前記第１の第１リブ高さに実質的に垂直な第１の第１リブ厚さのうちの一方を有している。前記第２の第１リブ部分は、第２の第１リブ寸法を有することができ、その第２の第１リブ寸法は、前記リブ表面に実質的に垂直の第２の第１リブ高さと、前記第２の第１リブ高さに実質的に垂直な第２の第１リブ厚さのうちの一方を有している。前記第３の第１リブ部分は、第３の第１リブ寸法を有することができ、その第３の第１リブ寸法は、前記リブ表面に実質的に垂直の第３の第１リブ高さと、前記第３の第１リブ高さに実質的に垂直な第３の第１リブ厚さのうちの一方を有している。前記第１の第１寸法および第２の第１寸法は、前記第３の第１リブ寸法よりも大きくなることができる。
【００７１】
１つの実施形態では、ゴルフ・クラブ・ヘッドは、本体部と、第１のリブと、を含むことができる。前記本体部は、ヒール端、トウ端、クラウン、ソール、前端、および、後端と、を含むことができる。前記第１のリブは、前記本体部のリブ表面から突出することができる。前記第１のリブは、互いに反対側にある第１の第１リブ端部および第２の第１リブ端部と、前記本体部の前記リブ表面から突出されている第１の第１リブ部分、および、第２の第１リブ部分を含むことができる。前記第１の第１リブ端部は、前記クラウンと前記ソールのうちの一方の第１のところに位置することができる。前記第２の第１リブ端部は、前記クラウンと前記ソールのうちの一方の第２のところに位置することができる。前記第１の第１リブ部分は、前記第１の第１リブ端部と前記第２の第１リブ部分の間、および／または、前記クラウンと前記ソールのうちの一方の前記第１のところに沿って位置することができる。前記第２の第１リブ部分は、前記第２の第１リブ端部と前記第１の第１リブ部分の間、および／または、前記クラウンと前記ソールのうちの一方の前記第２のところに沿って位置することができる。
【００７２】
１つの実施では、方法は、本体部を提供する工程と、前記本体部のリブ表面から突出している第１のリブを提供する工程と、を含むことができる。前記本体部は、ヒール端、トウ端、クラウン、ソール、前端、および、後端と、を含むことができる。前記第１のリブは、互いに反対側にある第１の第１リブ端部および第２の第１リブ端部と、前記本体部の前記リブ表面から突出されている第１の第１リブ部分、第２の第１リブ部分、および、第３の第１リブ部分と、を含むことができる。前記第１の第１リブ部分は、前記第１の第１リブ端部と前記第３の第１リブ部分との間に位置付けされることができる。前記第２の第１リブ部分は、前記第２の第１リブ端部と前記第３の第１リブ部分との間に位置付けされることができる。前記第１の第１リブ部分は、第１の第１リブ寸法を有することができ、その第１の第１リブ寸法は、前記リブ表面に実質的に垂直の第１の第１リブ高さと、前記第１の第１リブ高さに実質的に垂直な第１の第１リブ厚さのうちの一方を有している。前記第２の第１リブ部分は、第２の第１リブ寸法を有することができ、その第２の第１リブ寸法は、前記リブ表面に実質的に垂直の第２の第１リブ高さと、前記第２の第１リブ高さに実質的に垂直な第２の第１リブ厚さのうちの一方を有している。前記第３の第１リブ部分は、第３の第１リブ寸法を有することができ、その第３の第１リブ寸法は、前記リブ表面に実質的に垂直の第３の第１リブ高さと、前記第３の第１リブ高さに実質的に垂直な第３の第１リブ厚さのうちの一方を有している。前記第１の第１寸法および第２の第１寸法は、前記第３の第１リブ寸法よりも大きくなることができる。
【００７３】
１つの実施形態では、ゴルフ・クラブ・ヘッドは、本体部と、内部表面と、前記内部表面で縁を付けられた内部キャビティと、を含むことができる。前記本体部は、ヒール端、トウ端、クラウン、ソール、ストライク・フェースを有する前壁、および、後側部と、を含むことができる。前記内部表面は、ヒール端、トウ端、クラウン、ソール、前壁、および／または、後側部によって画定され得る。ゴルフ・クラブ・ヘッドはさらに、前記本体部のリブ表面から突出するリブを有することができ、そのリブは、第１のリブ、第２のリブ、および、第３のリブを有することができる。前記第１のリブは、第１の第１リブ端部点、前記第２の第１リブ端部点、および、前記第１の第１リブ端部点と前記第２の第１リブ端部点に交差する第１のリブ軸、を有することができる。前記第２のリブは、第１の第２リブ端部点、前記第２の第２リブ端部点、および、前記第１の第２リブ端部点と前記第２の第２リブ端部点に交差する第２のリブ軸、を有することができる。前記第３のリブは、第１の第３リブ端部点、前記第２の第３リブ端部点、および、前記第１の第３リブ端部点と前記第２の第３リブ端部点に交差する第３のリブ軸、を有することができる。ゴルフ・クラブ・ヘッドの上面図において、前記第１のリブ軸と前記第２のリブ軸と前記第３のリブ軸は互いに交差し、円錐断面周囲によって画定されるロッカスに接している。
【００７４】
１つの実施では、ゴルフ・クラブ・ヘッドを提供する方法は、本体部を提供する工程と、前記本体部のリブ表面から突出しているリブを提供する工程と、を含むことができる。前記本体部は、ヒール端、トウ端、クラウン、ソール、ストライク・フェースを有する前壁、後側部と、ヒール端、トウ端、クラウン、ソール、前壁、および／または、後側部によって画定される内部表面と、前記内部表面で縁を付けられた内部キャビティと、を含むことができる。前記リブは、第１のリブ、第２のリブ、および、第３のリブを有することができる。前記第１のリブは、第１の第１リブ端部点、前記第２の第１リブ端部点、および、前記第１の第１リブ端部点と前記第２の第１リブ端部点に交差する第１のリブ軸、を有することができる。前記第２のリブは、第１の第２リブ端部点、前記第２の第２リブ端部点、および、前記第１の第２リブ端部点と前記第２の第２リブ端部点に交差する第２のリブ軸、を有することができる。前記第３のリブは、第１の第３リブ端部点、前記第２の第３リブ端部点、および、前記第１の第３リブ端部点と前記第２の第３リブ端部点に交差する第３のリブ軸、を有することができる。ゴルフ・クラブ・ヘッドの上面図において、前記第１のリブ軸と前記第２のリブ軸と前記第３のリブ軸は互いに交差し、円錐断面周囲によって画定されるロッカスに接している。
【００７５】
１つの実施形態では、ゴルフ・クラブ・ヘッドは、本体部と、前記本体部のリブ表面から突出する複数のリブと、を含むことができる。前記本体部は、ヒール端、トウ端、クラウン、ソール、ストライク・フェースを有する前壁、後側部と、を含むことができる。前記複数のリブは、第１の長手軸を有する第１のリブと、第２の長手軸を有する第２のリブと、第３の長手軸を有する第３のリブと、を含むことができる。前記第１の長手軸と前記第２の長手軸と前記第３の長手軸は、前記本体部の外部の共通点で交差することができる。前記複数のリブは、前記ゴルフ・クラブ・ヘッドのクラウンに対して非凸状とすることができる。
【００７６】
他の例及び実施形態が本願明細書にさらに開示される。そのような例及び実施形態は、図面、特許請求の範囲、及び／又は本願明細書において見出されるであろう。
【００７７】
図１−３を参照すると、ゴルフ・クラブは、クラブ・ヘッド１２、ホーゼル１４、シャフト１６を備える。クラブ・ヘッド１２は、一般的にステンレス鋼、チタン、又は高ずれせん断率と高強度対重量比を有する他の材料で作られた中空の本体部１８で構成されている。中空の本体部１８は、ゴルフ・ボールをインパクトするための前壁又はフェース２０を備える。中空の本体部１８はさらに、上壁又はクラウン２２、底壁又はソール２４、及びフェース２０をクラウン２２とソール２４に接続させる横壁又はスカート２６を備える。クラブ・ヘッド１２はさらに、ヒール端３０とトウ端３２を含む。スカート２６は、ヒール端３０とトウ端３２の間のクラブ・ヘッド１２周囲を取り囲み、後壁２８を形成する。ゴルフ・クラブ・ヘッド１２は、ドライバータイプのクラブ、フェアウェイウッド、又はハイブリッドクラブのゴルフ・クラブ・ヘッドとなり得る。
【００７８】
クラウン２２は、好ましくは鋳造物である薄い壁構造を中空の本体部１８の一部として備えている。クラウン２２は、０．０７６センチメートル（ｃｍ）±０．０１３ｃｍの比較的薄い厚み寸法のチタンであるのが望ましい。クラウン２２は、クラウン２２の下表面３６から下方へ伸びている複数のリブによって補強されている。各リブ３４は、前壁２０から離れている第１端部近傍から、後壁２８から離れている第２端部近傍にまで伸びている。他の例では、トウ端３２に最も近いリブ３４は、第１端部を前壁２０に接触させることができ、さらに、第２端部を後壁２８に接近するように延ばし、後壁２８に接触させ、又は、さらに後壁２８に沿って延ばすことができる。さらに、ヒール端３０に最も近いリブ３４は、第１端部を前壁２０に接触させることができ、さらに、第２端部を後壁２８に近接するように延ばし、後壁２８に接触させ、又は、さらに後壁２８に沿って延ばすことができる。リブ３４は、第１端部よりも第２端部においてより離れており、好ましくは２０％を越えて離れている。隣り合うリブ３４は、少なくとも５度の角度によって、第１端部から第２端部に向けて広がっている。リブ３４は、狭く、長く、概ね直線であり、金属であり、衝撃波分配要素であり、高さ寸法が０．０５１ｃｍ±０．０１３ｃｍであり、幅寸法が０．１７８ｃｍ±０．０１３ｃｍである。他の例では、リブ３４の高さ寸法は、０．０５１ｃｍ±０．０５０ｃｍの範囲を有することができる。例えば、高さ寸法は、０．００１ｃｍ、０．００５ｃｍ、０．０１０ｃｍ、０．０１５ｃｍ、０．０２０ｃｍ、０．０３０ｃｍ、０．０３５ｃｍ、０．０４０ｃｍ、０．０４５ｃｍ、０．０５０ｃｍ、０．０５５ｃｍ、０．０６０ｃｍ、０．０６５ｃｍ、０．０７０ｃｍ、０．０７５ｃｍ、０．０８０ｃｍ、０．０８５ｃｍ、０．０９０ｃｍ、０．０９５ｃｍ、又は、０．１００ｃｍであり得る。他の例では、リブ３４の高さ寸法は、０．０５１インチ±０．０１３インチの高さ寸法および０．１７８インチ±０．０７８インチの幅寸法を有することができる。他の例では、リブ３４の高さ寸法は、０．５０インチ±０．０２５インチの範囲を有することができ、０．０３５インチ±０．０２０インチの幅寸法を有することができる。例えば、高さ寸法は、０．２５インチ、０．３０インチ、０．３５インチ、０．４０インチ、０．４５インチ、０．５０インチ、０．５５インチ、０．６０インチ、０．６５インチ、０．７０インチ、または０．７５インチであり得る。さらに、０．０５１ｃｍ±０．０１３ｃｍ、０．５１インチ±０．１３インチ、０．５１インチ±０．２５インチである高さ寸法範囲、および、０．１７８ｃｍ±０．０１３ｃｍ、０．１７８インチ±０．０７８インチ、および０．０３５インチ±０．０２０インチの幅寸法範囲は、本明細書に記載の異なる実施例および実施形態のリブに適用することができる。リブ３４の高さ寸法は、第１端部がリブ３４の第２端部に向かって延びるにつれて変化し得る（例えば、徐々に増加する、線形的に増加する、徐々に減少する、線形的に減少する、およびそれらの任意の組み合わせ）。リブ３４の高さ寸法は、第１端部がリブ３４の第２端部に向かって延びるにつれて変化し得る（例え��、徐々に増加する、線形的に増加する、増分的に減少する、線形的に減少する、およびそれらの任意の組み合わせ）。リブ３４は、断面で観測したときに概ね下方に向けて凸であり、クラウン２２の下表面３６に滑らかに一体化する。クラウン２２にはリブ３４間を横方向に伸びるリブがないことが分かる。
【００７９】
クラウン２２の下表面３６は、前側部分及び後側部分を備える。前側部分及び後側部分は、前壁２０の最も前方となる点と後壁２８の最も後方となる点の間の距離に対して略半分において、前壁２０に対して概ね平行な中間線によって定義される。リブ３４の第１端部はクラウン２２の前側部分で終結し、リブ３４の第２端部はクラウン２２の後側部分で終結する。 
【００８０】
図２において明確に示されるように、リブ３４は、リブ３４の長手軸３８が前壁２０の前方に位置するポイント４０から放射状に広がり及びポイント４０で交差するようなパターンで配列されている。ポイント４０は、前壁２０の幅の３分の１（W／３）の中央内に位置するのが望ましく、前壁２０の中心線の実質的に前方に位置するのが望ましい。ここで用いられるクラブ・ヘッド１２は３次元体であるので、図２で平面視したときに、ポイント４０は単一点である。代替として、ポイント４０は、リブ３４の中心線を通過する垂直面の交差点で構成される垂直線と考えられる。
【００８１】
リブ３４は、前壁２０の後表面４４とクラウン２２の下表面３６の交差点４２に近接する第１位置を起源とし、後壁２８に近接する第２位置にまで伸びている。実施態様では、少なくとも半分、好ましくは全てのリブ３４が、前壁２０からクラブ・ヘッド１２の半分のポイント（Ｌ／２）を越えており、いずれの横断リブによって交差されていない。加えて、各リブ３４は、クラウン２２の薄い部分によってのみ他のリブ３４と連結されており、他のリブ３４から独立している。好ましくは、ポイント４０もまた、前壁２０からＬ／２よりも前方ではない。これにより、１０個のリブ３４が約６０度の角度で広がるパターンとなり、又は、隣り合うリブ３４間では４〜８度、好ましくは約６度で発散するパターンとなる。
【００８２】
リブ３４のこの配列による驚くべき結果は、０．０５１ｃｍの厚みと０．１７８ｃｍの幅の垂直リブのアレイでは、何も補強していないクラウン領域と比較して最大ストレスが９％だけ減少するのに対し、放射状の扇パターンで配列されたリブ３４はクラウン領域の最大ストレスを約３６％減少させる。特定の動作理論に固辞するわけではないが、フェース２０が打撃点から外側に向けて不均一に変形し、同様に打撃点から外側に向けて放射状の不均一な形で、荷重がクラウンに伝達されると思われる。したがって、打撃点近くから外側に放射状で伸びるようにリブ３４が配列されると、クラウン２２がインパクト中にフェース２０をより効果的に支持することとなる。 
【００８３】
図１−３に示されるように、実質的に一定の幅と高さの直線リブに加えて、リブを備えたゴルフ・クラブ・ヘッドの他の代替の実施形態も可能である。例えば、リブが曲がっていてもよく、リブの高さ及び／又は幅が変化してもよい。
【００８４】
例として、図４にゴルフ・クラブ・ヘッドの他の実施形態を示す。図５は、図４の実施形態の「５」が付された線に対応する断面図を示す。ゴルフ・クラブ・ヘッド４１２（図４）は、前壁４２０を有する中空の本体部４１８（図４）、クラウン４２２（図４）、ソール５２４（図５）、クラウン４２２とソール５２４を接続する横壁５２６（図５）、ヒール端４３０（図４）、トウ端４３２（図４）、及び前壁４２０の反対側の後側部４２８（図４）を含む。加えて、ゴルフ・クラブ・ヘッド４１２はクラウン４２２の下表面から下方に伸びるリブ４４０（図４）を含むことができる。図４に示される実施形態の例では、リブ４４０は、前壁４２０近傍にある第１端部及び後側部４２８近傍にある第２端部を有するリブ４４１、４４２、４４３、４４４、４４５、４４６を備える。この実施形態における他の例では、リブ４４３は、第１端部を前壁４２０と接触させることができ、さらに、第２端部を後側部４２８に近接して延在するか、後側部４２８に接触させて延在するか、又は、後側部４２８に沿ってさらに延在することができる。さらに、リブ４４６は、第１端部を前壁４２０と接触させることができ、さらに、第２端部を後壁４２８に近接するように延在するか、後壁４２８に接触させて延在するか、又は、後壁４２８に沿ってさらに延在することができる。
【００８５】
１つ又は複数のリブ４４０が曲がる例もある。一例では、図４の例のように、リブ４４１、４４２、４４３、４４４、４５５、４４６の各々が曲がっている。しかしながら、他の例では、リブ４４０のいくつかが曲がっていなくてもよい。例えば、リブ４４１が直線とすることができる。リブ４４０が曲がっていると、リブ４４０の長さが増加する。リブの長さが長いほど、多くのリブが振動を吸収することができる。
【００８６】
図４のリブ４４０の各々は曲がっている。リブ４４０が異なる方向に曲がる例もある。例えば、リブ４４１、４４２、４４３がある一つの方向に曲がり、リブ４４４、４４５、４４６がそれの反対方向に曲がってもよい。リブ４４１、４４２、４４３は、トウ端４３２に対して凸状に曲がることができる。したがって、リブ４４１、４４２、４４３の第１及び第２端部はトウ端４３２から離れてヒール端４３０に向けて曲がる。一方、リブ４４４、４４５、４４６はヒール端４３０に対して凸状に曲がる。したがって、リブ４４４、４４５、４４６の第１及び第２端部はヒール端４３０から離れてトウ端４３２に向けて曲がる。一例では、リブ４４０の少なくとも２つが前壁４２０に向けて直線又は湾曲の形状で前方に伸びたとすれば、交差することとなる。例えば、リブ４４２の直線状の延長は、リブ４４４の直線状の延長と前壁４２０の近くで交差し、他の実施形態では、前壁４２０の前で交差するだろう。リブ４４０の他の湾曲配列が存在し得ることに留意されたい。例えば、リブ４４０のうち他の方向よりも一方の方向へ曲がるリブを多くしてもよく、又は、全てのリブを同一方向に曲げてもよい。さらに、６つのリブ４４０よりも少ない又は多くてもよい。
【００８７】
リブ４４０の各々が曲率半径を有してもよい。曲率半径とは、外挿リブによって作られる円の半径である。ある例では、リブ４４０の各々が異なる曲率半径を持つ。他の例では、いくつかの半径が略同一であってもよい。
【００８８】
図４に示されるゴルフ・クラブ・ヘッド４１２の例では、リブ４４１が最大の曲率半径を有する。リブがリブ４４１に対してヒール端４３０又はトウ端４３２に近づくと、リブの曲率半径が減少する。例えば、リブ４４２の曲率半径がリブ４４１よりも小さく、リブ４４３の曲率半径はリブ４４２よりも小さい。さらに、リブ４４４の曲率半径はリブ４４１よりも小さく、リブ４４５の曲率半径がリブ４４４よりも小さく、リブ４４６の曲率半径がリブ４４５よりも小さい。他の例では、リブがリブ４４１に対してヒール端４３０又はトウ端４３２に近づくと、リブ４４０の曲率半径が増加することができる。さらに他の例では、リブ４４０の曲率半径は、リブ４４１に対する位置とは関係ないものとすることができる。
【００８９】
同一又は他の例では、リブの曲率半径が、リブ４４１に対する位置に応じて対称とすることができる。例えば、リブ４４２の曲率半径が、リブ４４４の曲率半径と略同一とすることができ、リブ４４３の曲率半径がリブ４４５の曲率半径と同一とすることができる。他の例では、リブ４４０の曲率半径が相互に非対称である。
【００９０】
リブ４４０の各々は、幅寸法を有する。図４の例では、リブ４４０の各々が、他のリブと略同一の幅を有することができる。他の例では、リブ４４０が他の全てのリブと同一ではない幅を有することができる。ある例では、リブ４４０の各々は、テーパ状の第１端部とテーパ状の第２端部を有する。他の例では、第１端部及び／又は第２端部がテーパ状ではない。
【００９１】
さらに、リブ４４０の各々は、高さ寸法を有する。高さ寸法は、リブがクラウン４２２から中空の本体部４１８内へ伸びる距離として測定される。図５の例では、リブ４４０の各々が、他のリブの各々の高さと略同一である高さを有する。他の例では、リブ４４０が他のリブとは同一ではない高さを有することができる。さらに他の例では、リブ４４０は、変化できる高さを含む（例えば、徐々に増加する、線形的に増加する、徐々に減少する、線形的に減少する、およびそれらの任意の組み合わせ）。
【００９２】
リブ４４０の各々は長さ寸法も有する。長さ寸法は、リブの第１端部と第２端部の間の（湾曲する）距離として測定される。図４の例では、トウ端４３２とヒール端４３０の間の中間点寄りのリブが最大の長さを有する。さらに、リブの長さは、リブがトウ端４３２又はヒール端４３０に近づくと減少する。一例では、リブ４４１が最大の長さを有しており、リブ４４２の長さがリブ４４３よりも長く、リブ４４４の長さがリブ４４５よりも長く、リブ４４５の長さがリブ４４６よりも長い。他の例では、全てのリブ４４０が略同一の長さを有する。
【００９３】
図６は、ゴルフ・クラブ・ヘッドの他の実施形態を示す。図７は、図６の実施形態において「７」と付された線に対応する断面図を示す。ゴルフ・クラブ・ヘッド６１２（図６）は、前壁６２０（図６）を有する中空の本体部６１８（図６）、クラウン６２２（図６）、ソール７２４（図７）、クラウン６２２とソール６２４を接続する横壁７２６（図７）、ヒール端６３０（図６）、トウ端６３２（図６）、及び後側部６２８（図６）を備えている。さらに、ゴルフ・クラブ・ヘッド６１２はまた、クラウン６２２の下表面から下方に向けて伸びるリブ６４０（図６）を含むことができる。図６に示される実施形態の例では、リブ６４０は、トウ端６３２近傍にある第１端部及びヒール端６３０近傍にある第２端部を有するリブ６４１、６４２、６４３、６４４、６４５、６４６を備える。
【００９４】
１つ又は複数のリブ６４０が曲がる例もある。一例では、図６の例のように、リブ６４１、６４２、６４３、６４４、６４５、６４６の各々が曲がる。しかしながら、他の例では、リブ６４０のいつくかが曲がっていなくてもよい。例えば、リブ６４１を直線とすることができる。
【００９５】
図６のリブ６４０の各々は曲がっている。ある例では、リブ６４０の全てが同一方向に曲がっている。例えば、リブ６４１、６４２、６４３、６４４、６４５、６４６が前壁６２０に対して凸状に曲がる。したがって、リブ６４０の第１及び第２端が前壁６２０から離れるように曲がる。リブ６４０の他の湾曲配列があることに留意されたい。例えば、ゴルフ・クラブ・ヘッドの寸法が前壁６２０に対して後側部６２８において急激に減少すると、リブ６４０のいくつかは前壁６０２に対して凸状に湾曲してもよい。他の実施形態では、リブ６４０のいくつかは、前壁６２０近傍にある第１端部及び後側部６２８近傍にある第２端部を有してもよい。加えて、６つのリブ４４０よりも少なく又は多くてもよい。
【００９６】
リブ６４０の各々は曲率半径を有することができる。リブ６４０の各々が異なる曲率半径を有する例もある。他の例では、曲率半径のいくつかが略同一とすることができる。  
【００９７】
図６に示されるゴルフ・クラブ・ヘッド６１２の例では、リブ６４１が最大の曲率半径を有する。リブが後端６２８に近づくと、リブの曲率半径が減少する。例えば、リブ６４２の曲率半径はリブ６４１よりも小さく、リブ６４３の曲率半径はリブ６４２よりも小さく、リブ６４４の曲率半径はリブ６４３よりも小さく、リブ６４５の曲率半径はリブ６４４よりも小さく、リブ６４６の曲率半径はリブ６４５よりも小さい。他の例では、後端６２８により近いリブ６４０の曲率半径を大きくすることができる。さらに他の例では、リブ６４０の曲率半径は、後端６２８に対するリブの位置とは関係がない。
【００９８】
リブ６４０の各々は幅寸法を有する。図６の例では、リブ６４０の各々は他のリブと略同一の幅を有する。他の例では、リブ６４０は他のリブと同一ではない幅を有することができる。リブ６４０の各々がテーパ状の第１端部及びテーパ状の第２端部を有する例もある。他の例では、第１端部及び／又は第２端部がテーパ状ではない。さらに、リブ６４０の各々が高さ寸法を有する。高さ寸法は、リブがクラウン６２２から中空の本体部６１８内に伸びる距離として測定される。図７の例では、リブ６４０の各々は、他のリブの各々の高さと略同一の高さである。他の例では、リブ６４０は他のリブと同一でない高さを有することができる。
【００９９】
リブ６４０の各々はまた長さ寸法を有する。長さ寸法は、リブの第１端部と第２端部の間の（湾曲する）距離として測定される。図６の例では、前壁６２０により近いリブが後側部６２８により近いリブよりも大きい長さを概ね有する。一例では、リブ６４２の長さがリブ６４３よりも長く、リブ６４３の長さがリブ６４４よりも長く、リブ６４４の長さはリブ６４５よりも長く、リブ６４５の長さはリブ６４６よりも長い。しかしながら、リブ６４２の長さはリブ６４１よりも長い。他の例では、リブ６４０の全ては略同一の長さを有する。
【０１００】
図８は、ゴルフ・クラブ・ヘッドの他の実施形態を示す。図９は、図８の実施形態において「９」と付された線に対応する断面図を示す。ゴルフ・クラブ・ヘッド８１２（図８）は、前壁８２０（図８）を有する中空の本体部８１８（図８）、クラウン８２２（図８）、ソール９２４（図９）、クラウン４２２とソール５２４を接合する横壁９２６、ヒール端８３０（図８）、トウ端８３２（図８）、及び前壁８２０の反対側の後側部８２８（図８）を含む。さらに、ゴルフ・クラブ・ヘッド８１２はまた、クラウン８２２の下表面から下方に伸びるリブ８４０（図８）を含むことができる。図８に示される実施形態の例では、リブ８４０は、トウ端８３２近傍にある第１端部及びヒール端８３０近傍にある第２端部を有してもよい。
【０１０１】
１つ又は複数のリブ８４０が曲がる例もある。一例では、図８の例のように、リブ８４１、８４２、８４３、８４４、８４５が曲がる。しかしながら、他の例では、リブ８４０のいくつかは曲がらなくてもよい。例えば、リブ８４１を直線とすることができる。
【０１０２】
図８のリブ８４０の各々は曲がっている。リブ８４０の全てが同一方向に曲がる例もある。例えば、リブ８４１、８４２、８４３、８４４、８４５は、前壁８２０に対して凹状に曲がる。したがって、リブ８４０の第１端部及び第２端部は前壁８２０に向けて曲がる。リブ８４０の他の湾曲配列があり得ることに留意されたい。例えば、リブ８４０のいくつかは、前壁８２０近傍にある第１端部及び後側部８２８近傍にある第２端部を有していてもよい。さらに、６つのリブ８４０よりも少ない又は多くてもよい。
【０１０３】
リブ８４０の各々は曲率半径を有する。リブ８４０の各々が異なる曲率半径を有する例もある。他の例では、いくつかの曲率半径は略同一である。
【０１０４】
図８に示されるゴルフ・クラブ・ヘッド８１２の例では、リブ８４１が最小の曲率半径を有する。リブの曲率半径は、リブが後端８２８に近づくと増加する。例えば、リブ８４２の曲率半径は、リブ８４１よりも大きく、リブ８４３の曲率半径はリブ８４２よりも大きく、リブ８４４の曲率半径はリブ８４３よりも大きく、リブ８４５の曲率半径はリブ８４４よりも大きい。他の例では、リブ８４０の曲率半径は、後端８２８に対するリブの位置に関係しない。
【０１０５】
いくつかの又は他の例では、リブの曲率半径は、リブが同心となるようにすることができる。リブ８４０の各々が完全な円となるように外挿すると、結果の円は同心となる。他の例では、リブ８４０の曲率半径は同心ではない。
【０１０６】
リブ８４０の各々は、幅寸法を有する。図８の例では、リブ８４０の各々は、他のリブと略同一の幅を有する。他の例では、リブ８４０は、他のリブと同一ではない幅を有することができる。リブ８４０の各々がテーパ状の第１端部とテーパ状の第２端部を有する例もある。他の例では、第１端部及び／又は第２端部がテーパ状ではない。
【０１０７】
さらに、リブ８４０の各々は、高さ寸法を有する。高さ寸法は、リブがクラウンから中空の本体部８１８内に伸びる（湾曲する）距離として測定される。図９の例では、リブ８４０の各々は、他のリブの高さと略同一の高さを有する。他の例では、リブ８４０は、他のリブと同一でない高さを有する。他の例では、リブ８４０は、クラウン８２２に沿って一定または変動する高さを有することができる（例えば、徐々に増加する、線形的に増加する、徐々に減少する、線形的に減少する、およびそれらの任意の組み合わせ）。
【０１０８】
リブ８４０の各々はまた、長さ寸法を有する。長さ寸法は、リブの第１端部と第２端部の間の距離として測定される。図８の例では、後側８２８により近いリブは、前壁８２０により近いリブよりも長い。一例では、リブ８４５が最大の長さを有する。リブ８４４の長さはリブ８４３よりも長く、リブ８４３の長さはリブ８４２よりも長く、リブ８４２の長さはリブ８４１よりも長い。他の例では、リブ８４０の全てが略同一の長さを有する。
【０１０９】
湾曲するリブに加えて、ゴルフ・クラブ・ヘッドは、変化する幅を有するリブを備えていてもよい。例えば、図１０は、ゴルフ・クラブ・ヘッドの他の例を示す。図１１は、図１０の実施形態において「１１」と付された線に対応する断面図を示す。ゴルフ・クラブ・ヘッド１０１２（図１０）は、前壁１０２０（図１０）を有する中空の本体部１０１８（図１０）、クラウン１０２２（図１０）、ソール１１２４（図１１）、クラウン１０２２とソール１１２４を接続する横壁１１２６（図１１）、ヒール端１０３０（図１０）、トウ端１０３２（図１０）、及び前壁１０２０とは反対側の後側部１０２８（図１０）を含む。さらに、ゴルフ・クラブ・ヘッド１０１２はまた、クラウン１０２２の下表面から下方に伸びるリブ１０４０（図１０）を含むことができる。図１０に示される実施形態の例では、リブ１０４０は、前壁１０２０近傍にある第１端部及び後端１０２８近傍にある第２端部を有するリブ１０４１、１０４２，１０４３、１０４４、１０４５を備える。この実施形態の他の例では、リブ１０４３は、前壁１０２０と接触することができ、第２端部を後端１０２８に近接するように延在するか、後端１０２８に接触させて延在するか、又は、後端１０２８を越えてさらに延在することができる。さらに、リブ１０４５は、第１端部を前壁１０２０に接触させることができ、さらに、第２端部を後壁１０２８に近接するように延在するか、後壁１０２８に接触させて延在するか、又は、後壁１０２８に沿ってさらに延在することができる。
【０１１０】
１つ又は複数のリブ１０４０が直線状の例もある。一例としては、図１０の例のように、リブ１０４１、１０４２，１０４３、１０４４、１０４５の各々は直線である。しかしながら、他の例では、リブ１０４０のいくつかが直線でなくてもよい。例えば、１つ又は複数のリブ１０４０が曲がることができる。リブ１０４０が配列され、それにより、リブ１０４０の軸の各々が共通点で収束する例もある。他の例では、リブ１０４０の軸の各々が共通点で収束しない。
【０１１１】
リブの各々は幅寸法を有する。図１０の例では、リブ１０４０の各々がテーパ状の幅を有する。例えば、リブ１０４０の各々の幅は、中間点から第１端及び第２端に向けて幅が減少する。図１０に示されるように、リブ１０４０の各々の中間点の幅が他のリブのそれぞれの中間点での幅に略等しいとすることができる。他の例では、リブ１０４０は、他のリブのそれぞれの中間点での幅とは異なる幅を中間点において有することができる。
【０１１２】
リブ１０４０の幅は任意の率でテーパすることができる。例えば、図１０に示されるように、幅は、円滑であり、非一定のテーパであり、これにより、リブ１０４０が長く伸びた楕円形となる。他の例では、幅は直線状又は一定にテーパすることができ、これにより、リブ１０４０がダイヤモンドのような形態を有する。
【０１１３】
さらに、リブ１０４０の各々は、高さ寸法を有する。高さ寸法は、リブがクラウン１０２２から中空の本体部１０１８内に伸びる距離として測定される。図１１の例では、リブ１０４０の各々がテーパ状の高さを有する。例えば、リブ１０４０の各々の高さは、中間点から第１端部及び第２端部に向けて減少する。他の例では、リブ１０４０の高さは、第１端部から第２端部に向かって一定であり得る。さらに、この実施形態の他の例では、リブ１０４０の高さは、第１端部から第２端部に向かって変化し得る（例えば、中点から第１および第２端部に向かって増加、線形的に増加、徐々に増加、線形的に減少、徐々に減少、またはそれらの任意の組み合わせ）。図１１で示されるように、リブ１０４０の各々は、他のリブのそれぞれの中間点での高さに略等しい高さを有することができる。他の例では、リブ１０４０は、他のリブのそれぞれの中間点での高さとは異なる高さを有することができる。
【０１１４】
リブ１０４０の高さは、任意の率でテーパすることができる。例えば、図１１に示されるように、高さは、円滑であり、非一定のテーパであり、これにより、リブ１０４０が円滑な輪郭となる。他の例では、高さはより急激に、直線状又は一定にテーパすることができ、これにより、リブ１０４０がリブ１０４０の中間点でより尖った高さを持つ形態となる。
【０１１５】
リブ１０４０の各々はまた、長さ寸法を有する。長さ寸法は、リブの第１端部と第２端部の間の距離として測定される。図１０の例では、トウ端１０３２とヒール端１０３０の間の中間点により近いリブが、トウ端１０３２又はヒール端１０３０により近いリブよりも長い。一例では、リブ１０４１が最大の長さを有する。リブ１０４２の長さがリブ１０４３よりも長く、リブ１０４４の長さがリブ１０４５よりも長い。他の例では、リブ１０４０の全てが略同一の長さを有する。
【０１１６】
図１２は、ゴルフ・クラブ・ヘッドの他の実施形態を示す。図１３は、図１２の実施形態の「１３」と付された線に対応する断面図を示す。ゴルフ・クラブ・ヘッド１２１２（図１２）は、前壁１２２０（図１２）を有する中空の本体部１２１８（図１２）、クラウン１２２２（図１２）、ソール１３２４（図１３）、クラウン１２２２とソール１３２４を接続する横壁１３２６（図１３）、ヒール端１２３０（図１２）、トウ端１２３２（図１２）、及び前壁１２２０に対して反対側の後側１２２８（図１２）を備える。さらに、ゴルフ・クラブ・ヘッド１２１２はまた、クラウン１２２２の下表面から下方に向けて伸びるリブ１２４０（図１２）を含むことができる。図１２に示される実施形態の例では、リブ１２４０は、前壁１２４０近傍にある第１端及び後端１２２８近傍にある第２端を有するリブ１２４１、１２４２、１２４３、１２４４、１２４５を備える。この実施形態における他の例では、リブ１２４３は、第１端部を前壁１２２０と接触させることができ、さらに、第２端部を後壁１２２８に近接して延在するか、後壁１２２８に接触させて延在するか、又は、後壁１２２８に沿ってさらに延在して前壁１２２０に接近させることができる。さらに、リブ１２４０は、第１端部を前壁１２２０と接触させることができ、さらに、第２端部を後壁１２２８に近接するように延在するか、後壁１２２８に接触させて延在するか、又は、後壁１２２８に沿ってさらに延在することができる。
【０１１７】
１つ又は複数のリブが直線の例もある。一例では、図１２の例にあるように、リブ１２４１、１２４２、１２４３、１２４４、１２４５が直線である。しかしながら、他の例では、リブ１２４０のいくつかが直線でなくてもよい。例えば、１つ又は複数のリブ１２４０が曲がることができる。リブ１２４０が配列され、これにより、リブ１２４０の軸の各々が共通点で収束する例もある。共通点は前壁よりも前方にある例もある。他の例では、リブ１２４０の軸の各々が共通点で収束しない。
【０１１８】
リブ１２４０の各々が幅寸法を有する。図１２の例では、リブ１２４０の各々が、実質的に一定の幅を有する。リブ１２４０の幅が第１端部及び第２端部でテーパする例もある。他の例では、リブ１２４０の幅が第１端部及び第２端部でテーパしない例もある。図１２の例では、リブ１０４０の各々の幅を変えることができる。例えば、リブがトウ端１２３２とヒール端１２３０の間の中間点に近づくと、特定のリブの幅が大きくなる。図１２に示されるように、リブ１２４１が最大の幅を有し、リブ１２４２の幅がリブ１２４３の幅よりも大きく、リブ１２４４の幅がリブ１２４５の幅よりも大きい。ゴルフ・クラブ・ヘッド１２１２では、リブ１２４０の幅が対称となる例もある。例えば、リブ１２４３の幅がリブ１２４５の幅と略等しく、リブ１２４２の幅がリブ１２４４の幅と略等しい。他の例では、ゴルフ・クラブ・ヘッド１２１２において、リブ１２４０の幅が非対称である。他の例では、リブ１２４０の幅が、例えば、リブがトウ端１２３２又はヒール端１２３０に近づくと増加するように変化することができる。さらに他の例では、リブ１２４０の幅が、トウ端１２３２及び／又はヒール端１２３０に対するリブの位置とは無関係である。リブ１２４０は、より大きな幅を有するリブがより大きな振動領域に位置することができるように配置することができる。
【０１１９】
さらに、リブ１２４０の各々が高さ寸法を有する。高さ寸法は、リブがクラウン１２２２から中空の本体部内に伸びる距離として測定される。図１３の例では、リブ１２４０の各々が実質的に一定の高さを有する。リブがトウ端１２３２とヒール端１２３０の間の中間点に近づくとリブ１２４０の高さが増加する例もある。リブがトウ端１２３２とヒール端１２３０に近づくとリブ１２４０の高さが増加する例もある。さらなる例では、リブ１２４０の高さは、トウ端１２３２および／またはヒール端１２３０に対するリブの位置とは無関係に変化し得る（例えば、徐々に増加する、線形的に増加する、徐々に減少する、線形的に減少する、およびそれらの任意の組み合わせ）。さらに、図１３に示されるように、リブ１２４０の各々は、他のリブの少なくとも１つの高さとは異なる高さを有することができる。図１３に示されるように、リブ１２４１が最大の高さを有することができ、リブ１２４２の高さがリブ１２４３の高さよりも大きく、リブ１２４４の高さがリブ１２４５の高さよりも大きい。ゴルフ・クラブ・ヘッド１２１２では、リブ１２４０の高さが対称となる例もある。例えば、リブ１２４３の高さがリブ１２４５の高さと略等しく、リブ１２４２の高さがリブ１２４４の高さと略等しい。他の例では、ゴルフ・クラブ・ヘッド１２１２において、リブ１２４０の高さが非対称である。リブ１２４０は、より大きな高さを有するリブがより大きな振動領域に位置することができるように配置することができる。
【０１２０】
リブ１２４０の各々はまた、長さ寸法を有する。長さ寸法は、リブの第１端部と第２端部の間の距離として測定される。図１２の例では、トウ端１２３２とヒール端１２３０の間の中間点により近いリブが、トウ端１２３２又はヒール端１２３０により近いリブよりも長い。一例では、リブ１２４１が最大の長さを有する。リブ１２４２の長さがリブ１２４３よりも長く、リブ１２４４の長さがリブ１２４５よりも長い。他の例では、リブ１２４０の全てが略同一の長さを有する。
【０１２１】
他の例では、リブは、リブ毎にテーパするとともに変化する幅及び／又は高さを有することができる。例えば、リブは、図１０のリブ１０４０によって示されるテーパ状の幅を有することができ、図１２のリブ１２４０によって示される変化する幅を有することができる。さらに、リブは、図１１のリブ１０４０によって示されるテーパする高さを有することができ、図１３のリブ１２４０によって示される変化する高さを有することができる。
【０１２２】
他の実施形態では、ゴルフ・クラブ・ヘッドを提供する方法が提供される。ゴルフ・クラブ・ヘッドを提供する方法は、ヒール端、トウ端、上表面と下表面を有するクラウン、ソール、前壁、後側部、及び第１端から第２端まで伸びるとともにクラウンの下表面から下方に伸びるリブを有する本体部を提供する工程を含むことができる。さらに、リブは、第１リブと、湾曲する少なくとも１つの第２リブと、を備えることができる。一例では、ヒール端が、ヒール端４３０（図４）、ヒール端６３０（図６）、又はヒール端８３０（図８）とすることができる。トウ端が、トウ端４３２（図４）、トウ端６３２（図６）、又はトウ端８３２（図８）とすることができる。クラウンが、クラウン４２２（図４）、クラウン６２２（図６）、クラウン８２２（図８）とすることができる。ソールが、ソール５２４（図５）、ソール７２４（図７）、ソール９２４（図９）とすることができる。前壁が、前壁４２０（図４）、前壁６２０（図６）、前壁８２０（図８）とすることができる。後側が、後側部４２８（図４）、後側部６２８（図６）、後側部８２８（図８）とすることができる。リブが、リブ４４０（図４）、リブ６４０（図６）、リブ８４０（図８）とすることができる。
【０１２３】
一例では、リブは、本体部と一体で設けられてもよい。他の例では、リブは、本体部から最初は分離されて設けられてもよい。その後、リブは、ろう付け技術、はんだ付け技術、又は接着剤によって本体部に結合させることができる。
【０１２４】
他の実施形態では、ゴルフ・クラブ・ヘッドを提供する方法が提供される。ゴルフ・クラブ・ヘッドを提供する方法は、ヒール端、トウ端、上表面と下表面を有するクラウン、ソール、前壁、後側部、及びクラウンの下表面から下方に伸びるとともに前壁近傍の第１端から後側部近傍の第２端まで伸びる略直線のリブを有する本体部を提供する工程を含むことができる。さらに、リブは、その中間点から端部までテーパする幅を有することができる例もある。同一の又は他の例では、少なくとも２つのリブの幅が異なる。一例では、ヒール端が、ヒール端１０３０（図１０）、ヒール端１２３０（図１２）とすることができる。トウ端が、トウ端１０３２（図１０）、トウ端１２３２（図１２）とすることができる。クラウンが、クラウン１０２２（図１０）、クラウン１２２２（図１２）とすることができる。ソールが、ソール１１２４（図１１）、ソール１３２４（図１３）とすることができる。前壁が、前壁１０２０（図１０）、前壁１２２０（図１２）とすることができる。後側が、後側部１０２８（図１０）、後側部１２２８（図１２）とすることができる。リブが、リブ１０４０（図１０）、リブ１２４０（図１２）とすることができる。
【０１２５】
一例では、リブは、本体部と一体で設けられてもよい。他の例では、リブは、本体部から最初は分離されて設けられてもよい。その後、リブは、ろう付け技術、はんだ付け技術、又は接着剤によって本体部に結合させることができる。 
【０１２６】
続いて図面を参照すると、図１４は、クラブ・ヘッド１４０の正面の一部断面図を示す。図１５は、図１４のＸＶ−ＸＶ線に対応するゴルフ・クラブ・ヘッド１４０の上部断面図を示す。ゴルフ・クラブ・ヘッド１４０は、本願で開示される他のゴルフ・クラブ・ヘッド（ゴルフ・クラブ・ヘッド１２（図１−４）など）に類似しているが、リブ表面１４１５に位置するリブ１４２０を備えている点で相違している。ここで、リブ表面１４１５とはリブ１４２０の伸張及びそれらの間のスペースによって定義される。本実施例では、リブ１４２０はリブ表面１４１５とともに単一材料を有するが、リブ１４２０がリブ表面１４１５と一体でなく、１つ又は複数の機械的又は化学的な留め具を介して固定される例であってもよい。
【０１２７】
プレイヤー又はゴルフ・クラブ・ヘッドの使用者は、ゴルフ・クラブ・ヘッドでゴルフゴールをインパクトしたときの音に基づいて、打撃の質を評価することが多い。一貫したインパクト時の音を維持することは、プレイヤー又は使用者がコンフォートゾーンを維持し、及び／又はそのような音／質の関係に係る予想を維持するためには有利なものとなり得る。このことを考慮すると、ゴルフ・クラブ・ヘッド１４０がゴルフ・ボール１５７０（図１５）のようなゴルフ・ボールをインパクトしたときに、リブ１４２０は、ストレス及び／又は振動を通して所望のインパクト音を達成するように構成されていてもよい。そのような特性は、より良いパフォーマンスの研究に基づいてゴルフ・クラブ・ヘッドの形態に対して他の変更又は改良が行われた結果として所望の音特性が変化するような場合でも、ゴルフ・クラブ・ヘッドのデザインにおいて所望の音特性を維持し及び／又は回復させるためには価値があるだろう。さらに、本願に開示される他のゴルフ・クラブ・ヘッドに関して既に記述されているように、リブ１４２０は、リブ表面１４１５が位置するゴルフ・クラブ・ヘッドの一部の特性を補強して、ストレス又はインパクト力をより消散又は通過させる。
【０１２８】
ゴルフ・クラブ・ヘッド１４０は、ヒール端１４１１、トウ端１４１２、ソール１４１３、クラウン１４１４、前表面１４１６（ストライク・フェイス１４３０及びターゲット・ストライク・ゾーン１４３１を含む）、後表面１５１７（図１５）及びスカート部１４１８を有する本体部１４１０を備える。本体部１４１０はまた、リブ１４２０が突出するリブ表面１４１５を備える。本実施例では、リブ１４２０はリブ長手軸１５２１（図１５）を有するリブ１４２１、リブ長手軸１５２２（図１５）を有するリブ１４２２、リブ長手軸１５２３（図１５）を有するリブ１４２３を備えており、リブ長手軸１５２１−１５２３は本体部１４１０の外部の共通点１５５０（図１５）で交差する。リブ１４２１はヒール端１４１１に最も近い位置にあり、リブ１４２２は本体部１４１０のトウ端１４１２に最も近い位置にあり、リブ１４２３はリブ１４１１と１４１２の間に位置している。本実施例では、リブ１４２０は、実質的に放射状のパターンでリブ表面１４１５上に配列され、リブ１４２１とリブ１４２２の間に扇状の形を形成する。本実施例では、共通点１５５０は前表面１４１６の前方に位置している。しかしながら、共通点１５５０が本体部１４１０の外部のどこかに位置している例があってもよい。一例では、リブ１４２０に類似するリブを有するが、後表面１５１７の後方に位置する共通点で交差するように構成される異なる例があってもよい。
【０１２９】
リブ１４２０は、長手軸１５２４を有するリブ１４２４、及び長手軸１５２５を有するリブ１４２５を備えている。本実施例では、長手軸１５２４及び１５２５はまた、長手軸１５２１−１５２３とともに共通点１５５０で交差する。しかしながら、リブ１４２０の長手軸の全てが共通点１５５０で交差する必要がない例もある。一例では、長手軸１５２４及び１５２５が共通点１５５０以外のどこかで本体部１４１０の外部で交差してもよい例がある。他の例では、異なる数のリブを備えることがある。一例では、リブ１４２０がたった２つのリブを備えるように、リブ１４２３−２５がない例がある。他の例では、ソール２４（図３）のリブではあるが、図１−３に記載されるのに類似した１０個のリブを有する実施形態のように、５つよりも多いリブを備える例があってもよい。そのような実施形態では、他のリブの全てと交差しないリブを備えていてもよい。  
【０１３０】
図１５の本実施例では、リブ表面１４１５が、本体部１４１０において内側のソール１４１３に位置しており、そのため、リブ１４２０も本体部において内側に位置しており、リブ表面１４１５の反対のソール１４１３では視認できない。しかしながら、他の例では、リブ１４２０は本体部１４１０の外側であってもよい。すなわち、リブ表面がクラウン１４１４の外部表面又はソール１４１３の外部表面に位置してもよい。本実施形態又は他の実施形態では、リブ１４２０はクラウン１４１４に対して非凸状であり、したがって、クラウン１４１４に対して凹状又は実質的に平坦であり得る。リブ表面１４１５はソール１４１３を越えて本体部１４１０のスカート部１４１８の一部に伸びている。しかしながら、リブ１４２０がスカート部１４１８に伸びる必要がない例もある。スカート部１４１８に伸びているリブ１４２０がスカート部１４１８の１つ又は複数の部分を補強し、及び／又はゴルフ・クラブ・ヘッド１４０のインパクト音を調整する点で有用であり得るという例もある。
【０１３１】
図１５に見られるように、リブ１４２０の各々は前表面１４１６及び後表面１５１７から離れている。そのような特徴は、例えば、ゴルフ・ボールをインパクトしたときに前表面１４１６と本体部１４１０の残りの部分の間の推移領域の曲げ又は変形に干渉しないという点で有用であり得る。また、本実施例では、リブ１４２０の各々は、それらの長手リブ軸に沿って前表面１４１６から異なる距離だけ離れている。一例では、リブ１４２３がリブ長手軸１５２３に沿って前表面１４１６から離れている距離は、リブ１４２１及び／又はリブ１４２２がリブ長手軸１５２１及び／又は１５２２のそれぞれに沿って前表面１４１６から離れている距離よりも長い。本実施例では、リブ１４２１は前表面１４１６から約１．７３２ｃｍ離れており、リブ１４２２は前表面１４１６から約１．６３８ｃｍ離れており、リブ１４２３は前表面１４１６から約１．７４２ｃｍ離れており、リブ１４２４は前表面１４１６から約１．７３７ｃｍ離れており、リブ１４２５は前表面１４１６から約１．７０９ｃｍ離れている。そのような異なるスペースは、ストライク・フェイス１４３０とソール１４１３の間の推移領域の剛性に影響を与え又は調整することで、ゴルフ・クラブ・ヘッドの１つ又は複数の特質（特性時間、反発係数、インパクト音、及び／又は感触など）を調整するという点で意味があり得る。他の実施例では、リブ１４２０が前表面１４１６から同じ距離だけ離れていてもよい。
【０１３２】
本実施形態では、リブ１４２１は約４．１ｃｍの長さを有しており、リブ１４２２は約７．３ｃｍの長さを有しており、リブ１４２３は約８．６ｃｍの長さを有しており、リブ１４２４は約６．５ｃｍの長さを有しており、リブ１４２５は約８．８ｃｍの長さを有している。他の実施形態では、リブ１４２２は約７．３ｃｍよりも大きい長さを有することができる。リブ１４２２は、スカート部１４８１を超えてストライク・フェイス１４３０付近まで伸びる。リブ１４２０の長さは、窪み１５８１−１５８３を含む窪み１５８０のように、リブ表面１４１５の窪み又は他の特徴を通過及び／又はその上を伸びることができる。したがって、図１５の例に見られるように、窪み１５８０は１つ又は複数のリブ１４２０の１つ又は複数の一部を部分的に覆っていてもよい。一例では、リブ１４２２及び１４２５の上部の一部が窪み１５８１上で突出しているのが見られ、リブ１４２１、１４２４、１４２３の上部の一部が窪み１５８２上で突出しているのが見られる。他の例では、リブ１４２２−１４２５の一部が窪み１５８３上で突出しているのが見られる。窪み１５８１−１５８３の全ては、リブ表面１４１５から図１４−１５の実施形態のゴルフ・クラブ・ヘッド１４０の内部に突出しており、窪み１５８１−１５８２は外部ウェイトがゴルフ・クラブ・ヘッド１４０の外表面に取り付けられることができる窪みを形成しており、窪み１５８３はリブ表面１４１５に位置する又は型押しされたロゴ又は他のデザインに対応することができる。しかしながら、１つ又は複数のリブ１４２０が１つ又は複数の窪み１５８０上で突出しない例があってもよい。一例では、リブ１４２０が窪み１５８３上で突出し、１つ又は複数のリブ１４２０が１つ又は複数の窪み１５８１−１５８２の接触面で終わってもよい。同一又は他の実施形態では、１つ又は複数の窪み１５８０が１つ又は複数のリブ１４２０の少なくとも一部を完全に覆っていてもよい。
【０１３３】
リブ１４２０は、約４．５ミリメータ（ｍｍ）から約５ｍｍの最大幅、及び／又は約０．５から約１．０ｍｍの最大厚みを備えて構成されてもよい。より具体的には、図１４−１５の例では、リブ１４２０の最大幅が約４．８ｍｍであり、リブ１４２０の最大厚みが約０．７６ｍｍとすることができる。
【０１３４】
リブ１４２０は高さを有するように構成されることができ、リブ１４２０の高さはリブ１４２０の第１端部からリブ１４２０の第２端部まで一定又は変化することができる（例えば、徐々に増加する、線形的に増加する、徐々に減少する、線形的に減少する、およびそれらの任意の組み合わせ）。
【０１３５】
本実施形態では、リブ１４２０がどのリブとも交差しない。さらに、リブ１４２０の厚み及び幅が前表面１４１６近傍のリブ表面１４１５に一体化する。このような特性によって、リブ１４２０がその長さに沿ってストレス及び／又は振動をより受け取り又は通過させて、交差するリブによるそのような通過の遮断又は脱線されることなく、本体部１４１０の所望の部分に向けて又は通過して消散させる。リブ１４２０がリブ表面１４１５に一体化することは、リブ１４２０が前表面１４１６近傍で突然に突出する以上にストレスの集中を減少させることができる。しかしながら、他の実施形態では、１つ又は複数のリブがリブ１４２０の全てと交差する又はしない例があってもよく、及び／又は１つ又は複数のリブ１４２０がリブ表面１４１５に一体化しない例があってもよい。
【０１３６】
図１５で見られるように、本実施例では、リブ１４２０のうちの隣り合うリブが後表面１５１７に向けて発散しており、前表面１４１６に向けて収束する。また、本体部１４１０は、中間線１５６３で分けられる前側部分１５６１と後側部分１５６２を備えている。ここで、中間線１５６３は、前表面１４１６の最も前方の点と後表面１５１７の最も後方の点の間の距離の実質的に半分の位置で前表面１４１６に対して略平行である。本実施例では、各リブ１４２２−１４２５の前端が前側部分１５６１にあり、各リブ１４２２−１４２５の後端が後側部分１５６２にある。リブ１４２０の全てが前側部分１５６１にある前端及び後側部分１５６２にある後端を備える例があってもよい。また、本実施例では、リブ１４２０は、それらの集合体の重心がゴルフ・クラブ・ヘッド１４０の重心と後表面１５１７の間に位置するように配置されている。同一又は他の例では、リブ１４２０の各々の重心が、ゴルフ・クラブ・ヘッド１４０の重心と後表面１５１７の間に位置してもよい。この結果、リブ１４２０は、より好ましいインパクト及び打撃特性を得るために、もとの位置から後方に、ゴルフ・クラブ・ヘッド１４０の重心を好適に移動させ得る。
【０１３７】
図１４−１５の実施形態はまた、前表面１４１６にターゲット・ストライク・ゾーン１４３１を示す。ターゲット・ストライク・ゾーン１４３１は、ほとんどの状況下でゴルフボールをインパクトする所望のポイントとして構成されている。本実施例では、リブ１４２３の長手軸１５２３はストライク・フェイス１４３０に対して実質的に垂直であり、ターゲット・ストライク・ゾーン１４３１に一致している。ターゲット・ストライク軸１５３３は、ターゲット・ストライク・ゾーン１４３１の中心からストライク・フェイス１４３０に対して実質的に垂直に伸びている。ここで、本実施形態では、共通点１５５０は、ターゲット・ストライク軸１５３３上に位置しており、リブ１４２１−１４２５のリブ長手軸１５２１−１５２５はターゲット・ストライク軸１５３３上で交差する。リブ長手軸１５２３はターゲット・ストライク軸１５３３と同一線上であり得る。
【０１３８】
図１５に見られるように、共通点１５５０はターゲット・ストライク・ゾーン１４３１から距離１５７１だけ離れている。距離１５７１は、ゴルフ・ボール１５７０の約半径を含む。距離１５７１は約２１．３ｍｍであってもよく、及び／又は全米ゴルフ協会（ＵＳＧＡ）の規則に適合したゴルフ・ボールの半径に合致してもよい。現在、全米ゴルフ協会は、ゴルフ・ボールの直径が１．６８０インチ（４２．６７ｍｍ）を下回らないことに適合することを要求している。他の例では、共通点はターゲット・ストライク・ゾーン１４３１から、例えばゴルフ・ボールの直径などのように、異なる距離だけ離れていてもよい。
【０１３９】
本実施例では、ゴルフ・クラブ・ヘッド１４０は、ソール１４１３の少なくとも一部に位置するソール・ウェイト１５９０を備えていてもよい。ソール・ウェイト１５９０は、ソール１４１３の最下点に位置しており、ゴルフ・クラブ・ヘッド１４０の重心を効果的に低くし、ソール・ウェイト１５９０はソール１４１３のそのような最下点を埋めるために成形されてもよい。本実施例ではソール・ウェイト１５９０がソール１４１３と同一材料を備えているが、同一又は他の例では、ソール・ウェイト１５９０がソール１４１３と異なる材料又は部品を備えている例であってもよく、及び／又はソール・ウェイト１５９０が、接着剤、１つ又は複数のねじ、溶接、及び／又はろう付け等のような機械的又は化学的留め具を介してソール１４１３に固定される例であってもよい。図１５に示されるように、ソール・ウェイト１５９０は、リブ１４２３−１４２４のようなリブ１４２０のうちの１つ又は複数のリブを少なくとも部分的に覆っていてもよい。同一又は他の例では、ソール・ウェイト１５９０の厚みは、ソール・ウェイト１５９０の厚みに包含されるリブ１４２３−１４２４の一部に見られるように、覆われたリブの１つ又は複数の一部の厚みを吸収してもよい。
【０１４０】
図をスキップして前に進むと、図１７はゴルフ・クラブ・ヘッド１７０の上部断面図を示す。本実施例では、クラブ・ヘッド１７０はゴルフ・クラブ・ヘッド１４０（図１４−１５）に類似しており、リブ１４２１−１４２５（図１４−１５）に類似したリブ１７２１−１７２５を備えている。リブ１７２１−１７２５はリブ表面１７１５に位置している。リブ表面１７１５は、リブ１７２１−１７２５の１つ又は複数の一部を覆うウェイト１５９０及び窪み１５８１−１５８３の特徴を欠いている。しかしながら、窪み１５８１−１５８３のような１つ又は複数の窪み、及び／又はウェイト１５９０のような１つ又は複数のウェイトがリブ表面１７１５に位置する例であってもよい。
【０１４１】
図を引き返すと、図１６はゴルフ・クラブ・ヘッドを提供するための方法１６００のフローチャートを示す。ゴルフ・クラブ・ヘッド１２（図１−３）、ゴルフ・クラブ・ヘッド４１２（図４−５）、ゴルフ・クラブ・ヘッド１０１２（図１０−１１）、ゴルフ・クラブ・ヘッド１２１２（図１２−１３）、ゴルフ・クラブ・ヘッド１４０（図１４−１５）及び／又はそれらの変形例のように、既に記載した１つ又は複数のゴルフ・クラブ・ヘッドに類似したゴルフ・クラブ・ヘッドの例であってもよい。
【０１４２】
方法１６００のブロック１６１０は、ヒール端、トウ端、ソール、前表面及び後表面を有するゴルフ・クラブ・ヘッドの本体部を提供することを備える。一例では、図１４−１５の実施形態に関しては、本体部が本体部１４１０に類似してもよく、トウ端がトウ端１４１２に類似してもよく、ヒール端がヒール端１４１１に類似してもよく、ソールがソール１４１３に類似してもよく、前表面が前表面１４１６に類似してもよく、後表面が後表面１５１７に類似してもよい。対応する関連性は、本願で教示される他のゴルフ・クラブ・ヘッド又はその変形例にも想定される。
【０１４３】
方法１６００のブロック１６２０は、本体部のリブ表面から突出する複数のリブを提供することを備えている。一例では、図１４−１５の実施形態に関しては、リブ表面はリブ表面１４１５に類似してもよく、複数のリブ及びリブ特徴（例えば、高さ、幅、長さ及び厚み）は複数のリブ１４２０及びその特徴に類似してもよい。例えば、複数のリブはリブ１４２１−１４２５の一部を備えていてもよい。対応する関連性は、本願で教示される他のゴルフ・クラブ・ヘッド又はその変形例のリブにも想定される。複数のリブの少なくとも一部は、例えば図１５の前表面１４１６の前方に位置する共通点１５５０に関して示されるように、本体部の外部の共通点で交差してもよい。しかしながら、共通点が本体部の前表面の前方に位置する必要がない例であってもよい。加えて、複数のリブがリブ表面と同一材料を備えていてもよく、又は、複数のリブが機械的又は化学的留め具を介して固定されていてもよい。
【０１４４】
ブロック１６２０で複数のリブを提供することは、本体部の内部にリブ表面及び複数のリブを提供することを備えていてもよく、及び／又は本体部のソールに複数のリブを提供することを備えていてもよい。他の例では、複数のリブは、本体部の外部であってもよく、及び／又は本体部のクラウン及び／又は本体部のスカート部のような任意の場所に複数のリブが提供されてもよい。
【０１４５】
方法１６００の異なるブロックが単一ブロックとして又は他のブロックと同時に実行されるものとして付加されてもよく、及び／又はそのようなブロックの順序が変更されてもよい。例えば、リブ表面と一体の複数のリブを形成することで、ブロック１６１０−１６２０を同時に実施してもよい。ここで、リブ表面は、クラブ・ヘッドの本体部の１つ又は複数の部分の１つ又は複数の部分を備えている。方法１６００がさらに又は異なるブロックを備える例であってもよい。一例では、方法１６００が、ソール・ウェイト１５９０（図１５）に類似したウェイトを提供するブロックを備えていてもよい。ここで、そのようなウェイトは、ブロック１６２０の１つ又は複数の複数のリブの１つ又は複数の部分を覆っていてもよい。本願の開示範囲から逸脱せずに、方法１６００に他の変形例が実装されてもよい。
【０１４６】
話を先に進めると、図１８は、ゴルフ・クラブ・ヘッド１８０の上面断面図を図示している。図において先に飛ばすと、図２１は、アドレス位置にあるゴルフ・クラブ・ヘッド１８０の側面図を図示している。ゴルフ・クラブ・ヘッド１８０は、いくつかのリブを含み、多くの点において、本明細書で提示されている他のゴルフ・クラブ・ヘッド、たとえば、ゴルフ・クラブ・ヘッド１２（図１〜図４）、ゴルフ・クラブ・ヘッド１４０（図１４〜図１５）、およびゴルフ・クラブ・ヘッド１７０（図１７）などと同様である。ゴルフ・クラブ・ヘッド１８０は、スタガード・パターン（ｓｔａｇｇｅｒｅｄ  ｐａｔｔｅｒｎ）のリブ１８２０を含み、リブ１８２０は、リブ表面１８１５から突出するリブ１８２１〜１８２５を含む。リブ表面１８１５は、リブ表面１４１５（図１４〜図１５）と同様であることが可能であるが、リブ１８２０およびそれらの間のスペースの延在によって画定されている。本例において、リブ１８２０は、リブ表面１８１５とともに単一のピースの材料を構成するが、他の実施形態も存在することが可能であり、他の実施形態では、リブ１８２０は、リブ表面１８１５と一体になっている必要はなく、１つまたは複数の機械的な、化学的な、または他の締結具を介して、それに固定され得る。リブ１８２０は、真っ直ぐなリブとして図１８に示されているが、本明細書で説明されているスタガード・パターン特性を依然として示し得る対応する湾曲したリブを備えた実施形態が存在することが可能である。そのような実施形態では、湾曲したリブは、他の構成のなかでも、図４、図６、および／または図９のリブと同様に湾曲することが可能である。
【０１４７】
ゴルフ・クラブ・ヘッド１８０は、本体部１８１０を含み、本体部１８１０は、ヒール端１８１１、トウ端１８１２、ソール１８１３、クラウン１８１４、前表面１４１６（図１４において見られるように、ストライク・フェイス１４３０およびターゲット・ストライク・ゾーン１４３１を含む）、および後表面１８１７を有している。また、ゴルフ・クラブ・ヘッド１８０は、ロフト平面２１７０（図２１）を含み、ロフト平面２１７０は、ストライク・フェイス１４３０のストライク・フェイス中心点に接している。いくつかの例では、ストライク・フェイス中心点は、ターゲット・ストライク・ゾーン１４３１の中心に位置付けすることができ（図１４）、および／または、全米ゴルフ協会（ＵＳＧＡ）などのようなゴルフ運営団体の定義にしたがって定義され得る。たとえば、ストライク・フェイス中心点は、ＵＳＧＡ’ｓ  Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄの章６．１（ＵＳＧＡ−ＴＰＸ３００４，Ｒｅｖ．  １．０．０、２００８年５月１日）（ｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｐｒｏｃｅｄｕｒｅ−Ｆｏｒ−Ｍｅａｓｕｒｉｎｇ−Ｔｈｅ−Ｆｌｅｘｉｂｉｌｉｔｙ−Ｏｆ−Ａ−Ｇｏｌｆ−Ｃｌｕｂ−Ｈｅａｄ／において入手可能である）にしたがって決定され得る。
【０１４８】
ゴルフ・クラブ・ヘッド１８０がアドレス位置にあり、シャフト軸線２１９５の垂直方向の成分が、図２１において見られるように、地面の平坦な表面２１９０に対して直交している状態のときに、ロフト平面２１７０は、フロント交線１８９１に沿って地面の平坦な表面２１９０と交差し、前平面１８９０が、地面の平坦な表面２１９０に直交して延在するように、ゴルフ・クラブ・ヘッド１８０が構成され得る。いくつかの例では、リブ１８２０の相対的な距離が、前平面１８９０またはロフト平面２１７０に対して測定され得る。
【０１４９】
本例において、リブ表面１８１５は、ソール１８１３およびスカート部分１８１８に位置付けされており、本体部１８１０の内部にあり、リブ１８２０も本体部１８１０の内部にあるようになっている。リブ１８２１〜１８２３は、本例において、少なくとも部分的にソール１８１３に位置付けされており、また、リブ１８２４および１８２５とともにスカート部分１８１８の中へ延在し、スカート部分１８１８の１つまたは複数のセクションを補強している。同じまたは他の例では、スカート部分１８１８の中へのリブ１８２０のうちの少なくともいくつかのそのような延在は、ゴルフ・クラブ・ヘッド１８０のインパクト音を所望のレベルまたは周波数に調節することが可能である。また、他の例が存在することも可能であり、他の例では、リブ表面１８１５が、本体部１８１０の中のどこか、たとえば、クラウン１８１４に位置付けされることができ、および／または、リブ表面１８１５が、ソール１８１３のみに、または、スカート部分１８１８のみに位置付けされ得る。また、リブ表面１８１５は、本体部１８１０の外部に位置付けされることができ、また、いくつかの実装形態では、本体部１８１０の外部から見ることができ、その代わりに、リブ１８２０が本体部１８１０の外部に向けて突出することとなるようになっている。
【０１５０】
ゴルフ・クラブ・ヘッド１８０のリブ１８２０は、本明細書で提示されている他のリブ、たとえば、ゴルフ・クラブ・ヘッド１２のリブ３４（図１〜図３）、ゴルフ・クラブ・ヘッド４１２のリブ４４０（図４〜図５）、ゴルフ・クラブ・ヘッド６１２のリブ６４０（図６〜図７）、ゴルフ・クラブ・ヘッド８１２のリブ８４０（図８〜図９）、ゴルフ・クラブ・ヘッド１０１２のリブ１０４０（図１０）、ゴルフ・クラブ・ヘッド１２１２のリブ１２４０（図１２〜図１３）、ゴルフ・クラブ・ヘッド１４０のリブ１４２０（図１４〜図１５）、および／または、ゴルフ・クラブ・ヘッド１７０のリブ（図１７）などと同様になっており、それは、そのようなリブが、クラウン、ソール、スカート、または、それらのそれぞれのゴルフ・クラブ・ヘッドの他の部分に位置付けされているかどうかにかかわらない。本例において、リブ１８２１〜１８２５は、前表面１４１６、前平面１８９０、および／またはロフト平面２１７０（図２１）に対して、スタガード・パターンで整合させられている。
【０１５１】
リブ１８２０は、本実装形態において、５つのリブ（すなわち、リブ１８２１〜１８２５）を含む。リブ１８２１は、リブ端部１８２１１と、リブ端部１８２１１の反対側のリブ端部１８２１２とを含み、リブ軸線１８５１が、リブ端部１８２１１〜１８２１２を通って延在している。リブ１８２２は、リブ端部１８２２１と、リブ端部１８２２１の反対側のリブ端部１８２２２とを含み、リブ軸線１８５２が、リブ端部１８２２１〜１８２２２を通って延在している。リブ１８２３は、リブ端部１８２３１と、リブ端部１８２３１の反対側のリブ端部１８２３２とを含み、リブ軸線１８５３が、リブ端部１８２３１〜１８２３２を通って延在している。リブ１８２４は、リブ端部１８２４１と、リブ端部１８２４１の反対側のリブ端部１８２４２とを含み、リブ軸線１８５４が、リブ端部１８２４１〜１８２４２を通って延在している。リブ１８２５は、リブ端部１８２５１と、リブ端部１８２５１の反対側のリブ端部１８２５２とを含み、リブ軸線１８５５が、リブ端部１８２５１〜１８２５２を通って延在している。しかし、他の実施形態が存在することも可能であり、他の実施形態では、リブ１８２０は、５つよりも多くのまたは５つよりも少ないリブを含むことが可能である。たとえば、１つのそのような実施形態では、リブ１８２０は、リブ１８２１〜１８２５のサブセット、たとえば、リブ１８２１〜１８２３のみなど、または、たとえば、リブ１８２１、１８２４、および１８２５のみなどを含むことが可能である。別の例として、別の実施形態では、リブ１８２０は、さらなるリブを含むことが可能であり、さらなるリブは、リブ１８２１〜１８２５のうちの２つ以上に近接して、または、リブ１８２１〜１８２５のうちの２つ以上の間に散在され得る。
【０１５２】
本実施形態では、リブ１８２１は、リブ１８２２とリブ１８２３との間に位置付けされており、リブ１８２２は、リブ１８２１とリブ１８２４との間に位置付けされており、リブ１８２３は、リブ１８２１とリブ１８２５との間に位置付けされている。リブ１８２０は、リブ１８２２がリブ１８２１と本体部１８１０のトウ端１８１２との間に位置付けされるように、および、リブ１８２３がリブ１８２１と本体部１８１０のヒール端１８１１との間に位置付けされるように整合させられている。図１８において見ることができるように、リブ１８２１〜１８２３は、任意の他のリブによって交差されておらず、または、互いに交差されていないが、他の実施形態が存在することも可能であり、他の実施形態では、リブ１８２０のうちの少なくともいくつかのリブが、他のリブによって交差され得る。
【０１５３】
図１８の上面図の視点から、リブ軸線１８５１が前平面１８９０に対して実質的に直交するように、および、ターゲット・ストライク・ゾーン１４３１（図１４）と実質的に整合させられるように、リブ１８２１が整合させられている。しかし、他の実施形態が存在することも可能であり、他の実施形態では、リブ軸線１８５１は、前平面１８９０に実質的に直交している必要はなく、および／または、リブ軸線１８５１は、所望の構成に応じて、および／または、リブ１８２０による補強を必要とするゴルフ・クラブ・ヘッド１８０の本体部１８１０のエリアに基づいて、ターゲット・ストライク・ゾーン１４３１と実質的に整合させられている必要はない。
【０１５４】
また、リブ１８２０は、本例において、互いに対して異なる長さを含むことが可能である。たとえば、本例において、リブ１８２１は、リブ端部１８２１１からリブ端部１８２１２へおおよそ６４ｍｍのリブ長さを含み、リブ１８２２は、リブ端部１８２２１からリブ端部１８２２２へおおよそ７０ｍｍのリブ長さを含み、リブ１８２３は、リブ端部１８２３１からリブ端部１８２３２へおおよそ５１ｍｍのリブ長さを含み、リブ１８２４は、リブ端部１８２４１からリブ端部１８２４２へおおよそ３８ｍｍのリブ長さを含み、リブ１８２５は、リブ端部１８２５１からリブ端部１８２５２へおおよそ３２ｍｍのリブ長さを含む。他の実施形態では、リブ１８２４のリブ長さは、３８ｍｍよりも大きくなっていることが可能であり、リブ端部１８２４１は、ストライク・フェイス１４３０に近接しているか、またはストライク・フェイス１４３０と接触していることが可能であり、リブ端部１８２４２は、後表面１８１７に近接するように延在するか、後表面１８１７と接触するように延在するか、または、後表面１８１７に沿ってさらに延在することが可能である。さらに、リブ長さまたはリブ１８２５は、３２ｍｍよりも大きくなっていることが可能であり、リブ端部１８２５１は、前表面１４１６に近接しているか、または、前表面１４１６と接触していることが可能であり、リブ端部１８２５２が、リア壁部１８１７に近接して延在するか、リア壁部１８１７と接触して延在するか、または、リア壁部１８１７に沿ってさらに遠くへ延在するようになっている。本例において、リブ１８２２のリブ長さは、リブ１８２３のリブ長さよりも大きくなっており、また、リブ１８２１のリブ長さよりも大きくなっている。しかし、他の実施形態が存在することも可能であり、他の実施形態では、リブ１８２１のリブ長さが、リブ１８２２〜１８２３のリブ長さよりも大きくなっていることが可能であり、および／または、リブ１８２２〜１８２３のリブ長さが、互いに実質的に等しくなっていることが可能である。
【０１５５】
いくつかの例では、リブ１８２０などのような真っ直ぐなリブに関するリブ長さは、個々に、おおよそ２０ｍｍからおおよそ１３０ｍｍの間の範囲にあることが可能である。たとえば、図４、図６、または図９のリブのものと同様の湾曲を備えたリブを有するものなど、湾曲したリブを有する他の例では、個々のリブに関するリブ長さは、おおよそ２０ｍｍからおおよそ２０５ｍｍの間の範囲にあることが可能である。それに加えて、リブ１８２０のそれぞれは、おおよそ３ｍｍのリブ幅を含むが、他の実施形態が存在することも可能であり、他の実施形態では、個々のリブ幅は、最大でおおよそ１０ｍｍのものであることが可能であり、リブ幅は、それらのリブ長さに沿って不均一になっていることが可能であり、および／または、リブ幅は、他のリブに対して独特なものであることが可能である。そのうえ、リブ１８２０のそれぞれは、おおよそ３ｍｍのリブ高さを含むが、他の実施形態が存在することも可能であり、他の実施形態では、個々のリブ高さは、最大でおおよそ１０ｍｍのものであることが可能であり、リブ高さは、それらのリブ長さに沿って均一または不均一になっていることが可能であり、および／または、リブ高さは、他のリブに対して独特なまたは非独特なものであることが可能である。たとえば、リブ１８２０の高さは、徐々におよび／または線形的に、ならびに、それらの任意の組み合わせで、第１端部から第２端部に向けて増加および／または減少することによって、変化することが可能である。
【０１５６】
リブ軸線１８５１は、前平面１８９０とリブ端部１８２１１との間の距離１８５１１を含むことが可能である。同様に、リブ１８２２のリブ軸線１８５２は、前平面１８９０とリブ端部１８２２１との間の距離１８５２１を含み、一方、リブ１８２３のリブ軸線１８５３は、前平面１８９０とリブ端部１８２３１との間の距離１８５３１を含む。それに加えて、リブ１８２４のリブ軸線１８５４は、前平面１８９０とリブ端部１８２４１との間の距離１８５４１を含み、一方、リブ１８２５のリブ軸線１８５５は、前平面１８９０とリブ端部１８２５１との間の距離１８５５１を含む。本例において、距離１８５１１は、おおよそ３２ｍｍのものであることが可能であり、距離１８５２１は、おおよそ２０ｍｍのものであることが可能であり、距離１８５３１は、おおよそ２０ｍｍのものであることが可能であり、距離１８５４１は、おおよそ３４ｍｍのものであることが可能であり、距離１８５５１は、おおよそ３６ｍｍのものであることが可能である。また、他の例が存在することも可能であり、他の例では、距離１８５１１、１８５２１、１８５３１、１８５４１、および／または１８５５１が、上記に列挙されている数字の１５％以内で変化することが可能である。距離１８５１１、１８５２１、１８５３１、１８５４１、および１８５５１は、リブ１８２０と前平面１８９０との間の距離を表しているが、リブ１８２０と前表面１４１６またはロフト平面２１７０（図２１）のうちの一方または両方との間の対応する距離は、同じ例または他の例の中のそのような距離１８５１１、１８５２１、１８５３１、１８５４１、および／または１８５５１と同様になっていることが可能である。
【０１５７】
図１８において見ることができるように、リブ１８２１の距離１８５１１は、リブ１８２２の距離１８５２１よりも大きくなっており、また、リブ１８２３の距離１８５３１よりも大きくなっており、リブ１８２１が、リブ１８２２〜１８２３のいずれかよりも、前平面１８９０からさらに分離されるようになっており、したがって、それらの間にスタガード・パターンを生み出している。本実施形態では、リブ１８２３の距離１８５３１は、リブ１８２２の距離１８５２１におおよそ等しいが、他の実施形態が存在することも可能であり、他の実施形態では、距離１８５２１および１８５３１は、互いに実質的に異なることが可能である。
【０１５８】
それに加えて、本実施形態では、リブ１８２４の距離１８５４１は、リブ１８２２の距離１８５２１とは異なっており、また、リブ１８２１の距離１８５１１とは異なっている。たとえば、距離１８５４１は、本例において、距離１８５２１よりも大きくなっていることが可能であり、また、距離１８５１１よりも大きくなっていることが可能であるが、他の例が存在することも可能であり、他の例では、距離１８５４１は、距離１８５２１または距離１８５１１のうちの１つのみよりも大きくなっている。それに加えて、他の実施形態が存在することも可能であり、他の実施形態では、距離１８５４１は、距離１８５２１または距離１８５１１のうちの１つのみとは異なっていることが可能である。
【０１５９】
同様に、本実施形態では、リブ１８２５の距離１８５５１は、リブ１８２３の距離１８５３１とは異なっており、また、リブ１８２１の距離１８５１１とは異なっており、たとえば、距離１８５５１は、本例において、距離１８５３１よりも大きくなっており、また、距離１８５１１よりも大きくなっているが、他の例が存在することも可能であり、他の例では、距離１８５５１は、距離１８５３１または距離１８５１１のうちの１つのみよりも大きくなっている。それに加えて、他の実施形態が存在することも可能であり、他の実施形態では、距離１８５５１は、距離１８５３１または距離１８５１１のうちの１つのみとは異なっていることが可能である。距離１８５４１および１８５５１は、本実施形態または他の実施形態において、互いに同様であるかまたは互いに等しくなっていることが可能である。
【０１６０】
また、リブ１８２０は、本実施形態では、図１８の上面図に関して、本体部１８１０の外部にある共通のポイント１８５０において交差するように整合させられている。いくつかの例では、そのような整合は、共通のポイント４０（図１）に対するリブ３４のもの、および／または、共通のポイント１５５０（図１５）に対するリブ１４２０のものと同様であってもよい。リブ１８２０のそれぞれは、本例において、共通のポイント１８５０において交差しているが、他の実装形態が存在することも可能であり、他の実装形態ではリブ１８２２〜１８２３は、共通のポイント１８５０において交差しておらず、または、リブ１８２４〜１８２５は、共通のポイント１８５０において交差していない。共通のポイント１８５０は、共通のポイント１５５０（図１５）に関して上記に説明されているように、おおよそゴルフ・ボール半径の距離において、前表面１４１６の前方に位置付けされている。しかし、他の実施形態が存在することも可能であり、他の実施形態では、共通のポイント１８５０は、前表面１４１６からその他の距離に置かれることができ、および／または、共通のポイント１８５０は、前表面１４１６に位置付けされ得る。
【０１６１】
本例において、リブ１８２０は、共通のポイント１８５０に関してスタガード・パターンで整合させられており、共通のポイント１８５０とリブ１８２０との間の距離は、リブに応じて変化している。たとえば、リブ１８２１のリブ軸線１８５１は、共通のポイント１８５０からリブ端部１８２１１へ延長された距離１８５１２を含み、リブ１８２２のリブ軸線１８５２は、共通のポイント１８５０からリブ端部１８２２１へ延長された距離１８５２２を含み、リブ１８２３のリブ軸線１８５３は、共通のポイント１８５０からリブ端部１８２３１へ延長された距離１８５３２を含み、リブ１８２４のリブ軸線１８５４は、共通のポイント１８５０からリブ端部１８２４１へ延長された距離１８５４２を含み、リブ１８２５のリブ軸線１８５５は、共通のポイント１８５０からリブ端部１８２５１へ延長された距離１８５５２を含む。リブ１８２１の延長された距離１８５１２は、リブ１８２２の延長された距離１８５２２よりも大きくなっており、リブ１８２３の延長された距離１８５３２よりも大きくなっており、したがって、スタガード・パターンを生み出している。本実施形態では、延長された距離１８５１２は、おおよそ４４ｍｍのものであることが可能であり、延長された距離１８５２２は、おおよそ３３ｍｍのものであることが可能であり、延長された距離１８５３２は、おおよそ３３ｍｍのものであることが可能であり、延長された距離１８５４２は、おおよそ５１ｍｍのものであることが可能であり、延長された距離１８５５２は、おおよそ５０ｍｍのものであることが可能である。他の例が存在することも可能であり、他の例では、距離１８５１２、１８５２２、１８５３２、１８５４２、および／または１８５５２は、上記に列挙されている数字の１５％以内で変化することが可能である。
【０１６２】
図１９は、ゴルフ・クラブ・ヘッド１９０の上面断面図を図示している。ゴルフ・クラブ・ヘッド１９０は、ゴルフ・クラブ・ヘッド１８０（図１８）と同様であるが、ゴルフ・クラブ・ヘッド１８０のリブ１８２０とは異なるパターンでスタガードされたリブ１９２０を含む。たとえば、リブ１９２０は、リブ１９２１、１８２２、１８２３、１９２４、および１９２５を含み、ここで、リブ１９２１、１９２４、および１９２５は、それぞれ、リブ１８２０（図１８）のリブ１８２１、１８２４、および１８２５と同様になっているが、リブ１８２１、１８２４、および１８２５とは異なるそれぞれのリブ長さ、および、前平面１８９０からのそれぞれの距離を示している。とりわけ、リブ１９２１は、本例において、前壁１８３５まで延在しており、前平面１８９０とリブ１９２１のリブ端部１９２１１との間の距離１９５１１が、リブ１９２１とのその交差点において、前壁１８３５の厚さと同様になっていることが可能であるようになっている。したがって、リブ１９２１の距離１９５１１は、リブ１８２２の距離１８５２１よりも小さくなっており、また、リブ１８２３の距離１８５３１よりも小さくなっている。他の実施形態では、リブ１９２１は、前壁１８３５までは延在していないが、依然として、前壁１８３５のより近くまで延在することが可能であり、距離１９５１１が、依然として、リブ１８２２の距離１８５２１よりも小さくなるようになっており、および／または、リブ１８２３の距離１８５３１よりも小さくなるようになっている。
【０１６３】
本実装形態では、リブ１９２１は、リブ端部１９２１１からリブ端部１８２１２へおおよそ８８ｍｍのリブ長さを含むことが可能であり、リブ１８２２は、リブ端部１８２２１からリブ端部１８２２２へおおよそ７０ｍｍのリブ長さを含むことが可能であり、リブ１８２３は、リブ端部１８２３１からリブ端部１８２３２へおおよそ５１ｍｍのリブ長さを含むことが可能であり、リブ１９２４は、リブ端部１９２４１からリブ端部１８２４２へおおよそ５３ｍｍのリブ長さを含むことが可能であり、リブ１９２５は、リブ端部１９２５１からリブ端部１８２５２へおおよそ５８ｍｍのリブ長さを含むことが可能である。また、他の例が存在することも可能であり、他の例では、リブ１９２０のリブ長さは、上記に列挙されている数字の１５％以内で変化することが可能である。いくつかの例では、リブ１９２４は、５３ｍｍよりも大きいリブ長さを含むことが可能であり、リブ端部１９２４１は、ストライク・フェイス１４３０に近接しているか、または、ストライク・フェイス１４３０と接触していることが可能であり、リブ端部１８２４２は、後表面１８１７に近接しているか、後表面１８１７と接触しているか、または、後表面１８１７に沿ってより遠くへ延在することが可能である。さらに、リブ１９２５は、５８ｍｍよりも大きいリブ長さを含むことが可能であり、リブ端部１９２５１は、ストライク・フェイス１４３０に近接しているか、または、ストライク・フェイス１４３０と接触していることが可能であり、リブ端部１８２５２は、後表面１８１７に近接しているか、後表面１８１７と接触しているか、または、後表面１８１７に沿ってより遠くへ延在することが可能である。それに加えて、リブ１９２０のそれぞれは、実質的におおよそ３ｍｍのリブ幅を含むが、他の実施形態が存在することも可能であり、他の実施形態では、そのようなリブ幅が、上記に列挙されているリブ幅の１５％以内で変化することが可能であり、および／または、リブ幅が、不均一または独特であることが可能である。さらに、リブ１９２０のそれぞれは、所定の高さを含み、その高さは、一定であるかまたは変化することが可能であり、また、独特または非独特であることが可能である。リブは、インクリメントによって、および／または、線形的に、それらの任意の組み合わせによって、増加および／または減少することによって、変化することが可能である。
【０１６４】
本例において、リブ１９２０のリブ１９２４および１９２５は、リブ１８２０（図１８）の対応するリブ１８２４および１８２５よりも、前平面１８９０の近くにある。この差に関して、距離１９５４１は、前平面１８９０からリブ１９２４のリブ端部１９２４１へ延在しており、距離１９５４１は、リブ１８２２の距離１８５２１よりも短くなっている。同様に、距離１９５５１は、前平面１８９０からリブ１９２５のリブ端部１９２５１へ延在しており、距離１９５５１は、リブ１８２３の距離１８５３１よりも短くなっている。本例において、距離１９５４１および１９５５１は、互いに実質的に異なっているが、他の実施形態では、互いにおおよそ等しくなっていることが可能である。上記に説明されている距離１９５１１、１８５２１、１８５３１、１９５４１、および１９５５１の間の差は、リブ１９２０に関するスタガード・パターンを発生させ、それは、リブ１８２２および１８２３よりも、ゴルフ・クラブ・ヘッド１９０のフロントの近くにリブ１９２１、１９２４、および１９２５を設置しており、したがって、そのようなスタガード・パターンは、図１８のリブ１８２０に関して上記に説明されているものとは異なっており、そこでは、リブ１８２２および１８２３が、リブ１８２１、１８２４、および１８２５よりも、ゴルフ・クラブ・ヘッドのフロントの近くにある。
【０１６５】
上記と一貫して、本例において、距離１９５１１は、最大でおおよそ９ｍｍのものであることが可能であり、距離１８５２１は、おおよそ２０ｍｍのものであることが可能であり、距離１８５３１は、おおよそ２０ｍｍのものであることが可能であり、距離１９５４１は、おおよそ１８ｍｍのものであることが可能であり、距離１９５５１は、おおよそ１０ｍｍのものであることが可能である。また、他の例が存在することも可能であり、他の例では、距離１９５１１、１８５２１、１８５３１、１９５４１、および／または１９５５１は、上記に列挙されている数字の１５％以内で変化することが可能である。距離１９５１１、１８５２１、１８５３１、１９５４１、および１９５５１は、リブ１９２０と前平面１８９０との間の距離を表しているが、リブ１９２０と前表面１４１６またはロフト平面２１７０（図２１）のうちの一方または両方との間の対応する距離は、同じ例または他の例におけるそのような距離１９５１１、１８５２１、１８５３１、１９５４１、および／または１９５５１と同様であることが可能である。
【０１６６】
図１９の本例において、リブ１９２０は、また、共通のポイント１８５０に関してスタガード・パターンで整合させられており、共通のポイント１８５０とリブ１９２０との間の距離は、リブに応じて変化している。たとえば、リブ１９２１のリブ軸線１８５１は、共通のポイント１８５０からリブ端部１９２１１へ延長された距離１９５１２を含み、リブ１８２２のリブ軸線１８５２は、共通のポイント１８５０からリブ端部１８２２１へ延長された距離１８５２２を含み、リブ１８２３のリブ軸線１８５３は、共通のポイント１８５０からリブ端部１８２３１へ延長された距離１８５３２を含み、リブ１９２４のリブ軸線１８５４は、共通のポイント１８５０からリブ端部１９２４１へ延長された距離１９５４２を含み、リブ１９２５のリブ軸線１８５５は、共通のポイント１８５０からリブ端部１９２５１へ延長された距離１９５５２を含む。延長された距離１８５２２および１８５３２は、延長された距離１９５１２、１９５４２、および１９５５２よりも大きくなっていることが可能であり、したがって、共通のポイント１８５０に関してスタガード・パターンを生み出している。本実施形態では、延長された距離１９５１２は、おおよそ２２ｍｍのものであることが可能であり、延長された距離１８５２２は、おおよそ３３ｍｍのものであることが可能であり、延長された距離１８５３２は、おおよそ３３ｍｍのものであることが可能であり、延長された距離１９５４２は、おおよそ３６ｍｍのものであることが可能であり、延長された距離１９５５２は、おおよそ２４ｍｍのものであることが可能である。また、他の例が存在することも可能であり、他の例では、距離１９５１２、１８５２２、１８５３２、１９５４２、および／または１９５５２は、上記に列挙されている数字の１５％以内で変化することが可能である。
【０１６７】
図１８〜図１９において見ることができるように、ゴルフ・クラブ・ヘッド１８０および１９０は、１つまたは複数のインデンテーション・フィーチャー１８８０を有しており、１つまたは複数のインデンテーション・フィーチャー１８８０は、ゴルフ・クラブ・ヘッド１４０（図１４〜図１５）に関して上記に説明されているようなインデンテーション１５８０と同様であることが可能である。インデンテーション・フィーチャー１８８０は、ソール１８１３およびスカート部分１８１８の異なるセクションの全体にわたって分配されているインデンテーション１８８１〜１８８５を含み、インデンテーション・フィーチャー１８８１〜１８８５のうちの少なくともいくつかは、ロゴまたは他のデザインを画定し、それらが位置付けされている本体部１８１０の部分の１つまたは複数のセクションを装飾し、および／または、強化もしくは補強することが可能である。本例において、インデンテーション１８８０は、ゴルフ・クラブ・ヘッド１８０の内部の中へ突出しており、ゴルフ・クラブ・ヘッド１８０の外部からエンボス加工またはコルゲート加工された（ｃｏｒｒｕｇａｔｅｄ）外見になっており、それらのうちのいくつかは、それらのそれぞれのリブ長さに沿ってリブ１８２０と交差している。したがって、いくつかのリブ１８２０の一部分は、インデンテーション・フィーチャー１８８０によって少なくとも部分的に飲み込まれ（ｅｎｇｕｌｆｅｄ）得る。たとえば、リブ１８２１は、ソール１８１３およびスカート部分１８１８において、インデンテーション・フィーチャー１８８１、１８８２および１８８５と交差しており、また、インデンテーション・フィーチャー１８８１、１８８２および１８８５によって部分的に飲み込まれている。同様に、インデンテーション・フィーチャー１８８５は、リブ１８２２、１８２３、および１８２５によって交差されている。それに加えて、インデンテーション・フィーチャー１８８３は、リブ１８２３によって交差されている。しかし、すべてのインデンテーション・フィーチャー１８８０が、リブ１８２０によって交差される必要があるわけではない。たとえば、ソール１８１３およびスカート部分１８１８におけるインデンテーション・フィーチャー１８８４は、リブ１８２０のいずれとも接触しておらずまた、リブ１８２４は、インデンテーション・フィーチャー１８８０のいずれとも交差していない。
【０１６８】
上述のように、インデンテーション・フィーチャー１８８０のエンボス加工またはコルゲート加工された構成は、本体部１８１０の所望のセクションを強化または補強するように構成されることができ、そのより薄い部分を埋め合わせるようになっており、ゴルフ・ボールまたは地面とのインパクト時の応力に起因する材料欠損または変形を防止し、および／または、ゴルフ・ボールとのインパクト時のゴルフ・クラブ１８０の音を調節する。図１８〜図１９の本例において、ソール１８１３および／またはスカート部分１８１８は、おおよそ０．７ｍｍの厚さを含むことが可能である。いくつかの他の例が存在することも可能であり、他の例では、ソール１８１３および／またはスカート部分１８１８の厚さは、上記に列挙されている数字の１５％以内で変化することが可能であり、および／または、そのような厚さは、ソール１８１３および／またはスカート部分１８１８を横切って不均一であることが可能である。
【０１６９】
いくつかの実装形態では、たとえば、審美的な理由、設計的な理由、および／または性能的な理由などのために、インデンテーション・フィーチャーを設置することが望ましくない可能性のある、本体部１８１０のいくつかのセクションが存在する可能性がある。したがって、そのようなセクションはインデンテーション・フィーチャー１８８０を介してというよりもむしろ、リブ１８２０を介した補強に適切である可能性がある。例として、リブ表面１８１５は、スカート部分１８１８においてクリア・セクション１８１９を含み、クリア・セクション１８１９は、設計考慮事項のために、任意のインデンテーション・フィーチャー１８８０からクリアされている。それにもかかわらず、そこから突出するようにリブ１８２４を位置付けすることによって、クリア・セクション１８１９は、インデンテーション・フィーチャー１８２０に依存する必要なしに、依然として強度または音に関して補強され得る。また、図１９は、インデンテーション・フィーチャー１８８０を含み、インデンテーション・フィーチャー１８８０は、図１８のゴルフ・クラブ・ヘッド１８０に関する上記の説明と同様に、ソール１８１３、スカート部分１８１８、および、ゴルフ・クラブ・ヘッド１９０のリブ１９２０に関係している。
【０１７０】
図２０は、ゴルフ・クラブ・ヘッドを提供するための方法２０００のフローチャートを図示している。いくつかの例では、ゴルフ・クラブ・ヘッドは、以前に説明されているゴルフ・クラブ・ヘッド、たとえば、ゴルフ・クラブ・ヘッド１２（図１〜図３）、ゴルフ・クラブ・ヘッド４１２（図４〜図５）、ゴルフ・クラブ・ヘッド１０１２（図１０〜図１１）、ゴルフ・クラブ・ヘッド１２１２（図１２〜図１３）、ゴルフ・クラブ・ヘッド１４０（図１４〜図１５）、ゴルフ・クラブ・ヘッド１８０（図１８）、ゴルフ・クラブ・ヘッド１９０（図１９）、および／または、それらの変形例などのうちの１つまたは複数と同様であることが可能である。
【０１７１】
方法２０００のブロック２０１０は、ヒール端と、トウ端と、ソールと、前表面と、後表面とを有する本体部を提供することを含む。いくつかの例では、本体部は、ゴルフ・クラブ・ヘッド１８０（図１８）または１９０（図１９）の本体部１８１０と同様であることが可能である。ヒール端、トウ端、ソール、および前表面は、それぞれ、ヒール端１８１１、トウ端１８１２、ソール１８１３、および前表面１４１６（図１８〜図１９）と同様であることが可能である。
【０１７２】
方法２０００のブロック２０２０は、本体部のリブ表面からスタガード・パターンで突出された複数のリブを提供することを含む。いくつかの例では、複数のリブは、リブ１８２０（図１８）、リブ１９２０（図１９）、または、それらの変形例と同様であることが可能である。複数のリブは、第１の第２の、および第３のリブを含むことが可能であり、第１の第２の、および第３のリブは、図１８のリブ１８２１、１８２２、および／もしくは１８２３、または、図１９のリブ１９２１、１８２２、および／もしくは１８２３と同様であることが可能である。いくつかの実施形態では、複数のリブは、また、第４および第５のリブを含むことが可能であり、第４および第５のリブは、図１８のリブ１８２４および／もしくは１８２５、または、図１９のリブ１９２４および／もしくは１９２５と同様であることが可能である。いくつかの実施形態は、問題のゴルフ・クラブ・ヘッドの要件に応じて、より多くのまたはより少ないリブを含むことが可能である。いくつかの例では、方法２０００のリブのためのスタガード・パターンは、リブ１８２０（図１８）および／またはリブ１９２０（図１９）に関して上記に説明されているスタガード・パターン・オプションのうちの１つまたは複数と同様であることが可能である。
【０１７３】
また、方法２０００は、随意的に、複数のリブがそこから突出するリブ表面において、１つまたは複数のインデンテーション・フィーチャーを提供するためのブロック２０３０を含むことが可能である。いくつかの例では、インデンテーション・フィーチャーは、インデンテーション・フィーチャー１８８０（図１８〜図１９）、または、その変形例と同様であることが可能である。そのようなインデンテーション・フィーチャーのうちのいくつかは、ブロック２０２０の複数のリブのうちの１つまたは複数によって交差され得る。同じ例または他の例において、リブ表面は、クリア・セクションを含むことが可能であり、クリア・セクションは、インデンテーション・フィーチャーを有していないが、それにもかかわらず、複数のリブのうちの１つまたは複数によって補強され得る。いくつかの例では、クリア・セクションは、クリア・セクション１８１９と同様であることが可能であり、それは、図１８〜図１９に関して上記に説明されているように補強されている。
【０１７４】
他の例が存在することも可能であり、他の例では、方法２０００の異なるブロックが、単一のブロックへと組み合わせられることができ、もしくは、同時に実施されることができ、および／または、そのようなブロックのシーケンスは、変化させられ得る。たとえば、ブロック２０１０および２０２０は、たとえば、複数のリブをリブ表面と一体的に形成することなどによって、同時に実施されることができ、ここで、リブ表面は、クラブ・ヘッドの本体部の１つまたは複数のパーツの１つまたは複数の部分を含む。また、他の例が存在することも可能であり、他の例では、方法２０００が、さらなるまたは異なるブロックを含むことが可能である。例として、方法２０００は、ソール・ウェイト１５９０（図１５）と同様のウェイトを提供するための別のブロックを含むことが可能であり、そのようなウェイトは、ブロック２０３０のインデンテーション・フィーチャーのうちの１つまたは複数に取り付けられることができ、および／または、ブロック２０２０の複数のリブのうちの１つまたは複数のうちの１つまたは複数の部分を飲み込むことが可能である。他の変形例が、本開示の範囲から逸脱することなく、方法２０００に関して実装され得る。
【０１７５】
話を先に進めると、図２２は、ゴルフ・クラブ・ヘッド２２０００の正面図を図示しており、ゴルフ・クラブ・ヘッド２２０００は、本体部２１２００と、それに連結されているリブ２２２００とを含む。図２３は、ゴルフ・クラブ・ヘッド２２０００の上面Ｘ線図を図示している。本例において、本体部２１２００は、ヒール端２２１６０、トウ端２２１５０、クラウン２２１１０、ソール２２１２０、スカート２２１３０、前端２２１４０、後端２３１５０、およびホーゼル２２１９０を含むが、より多くのまたはより少ないセクションを備えた他の例が存在することも可能である。ゴルフ・クラブ・ヘッド２２０００およびリブ２２２００は、本明細書で説明されている他のゴルフ・クラブ・ヘッドおよびリブと同様であることが可能であり、リブ２２２００は、本体部２１２００の１つまたは複数の振動振幅ゾーンに関して配置されるかまたは構造化され得る。ゴルフ・クラブ・シャフト２２１９１は、ホーゼル２２１９０に連結され得る。
【０１７６】
本実施形態では、リブ２２２００は、リブ２２２１０、２２２２０、および２２２３０を含み、リブ２２２２０は、クラウン２２１１０に沿って延在しており、リブ２２２３０は、ソール２２１２０に沿って延在しており、リブ２２２１０は、ゴルフ・クラブ・ヘッド２２０００のクラウン２２１１０からソール２２１２０へ連続的に延在しており、本例において、また、クラウン２２１１０とソール２２１２０との間でスカート２２１３０に沿って延在している。
【０１７７】
しかし、より多くのまたはより少ないリブが、より多くのまたはより少ない振動振幅ゾーンに関して配置または構造化されている状態の他の例が存在することも可能である。
【０１７８】
リブ２２２００の例示的な詳細は、図を通して確認され得る。図２３は、クラウン２２１１０およびソール２２１２０におけるリブ２２２００のＸ線概略図を示している。図２４は、クラウン２２１１０の底部から上を見た内部図を示しており、リブ２２２２０と、リブ２２２１０のクラウン部分を示している。図２５は、ソール２２１２０およびスカート２２１３０の上から下を見た内部図を示しており、リブ２２２３０と、リブ２２２１０のクラウンおよびスカート部分を示している。図２６は、図２３の線ＸＸＶＩ−ＸＸＶＩに沿った、ゴルフ・クラブ・ヘッド２２０００の断面図に関するリブ２２２１０の側面図を図示している。図２７は、図２３の線ＸＸＶＩＩ−ＸＸＶＩＩに沿った、ゴルフ・クラブ・ヘッド２２０００の断面図に関するリブ２２２２０の側面図を図示している。図２８は、図２３の線ＸＸＶＩＩＩ−ＸＸＶＩＩＩに沿った、ゴルフ・クラブ・ヘッド２２０００の断面図に関するリブ２２２３０の側面図を図示している。図２４〜図２８において見ることができるように、リブ２２２００は、本体部２２１００のリブ表面２４２００から突出しており、リブ表面２４２００は、本実施形態では、クラウン２２１１０、ソール２２１２０、および／またはスカート２２１３０の部分を含む。
【０１７９】
リブ２２２００は、本体部２２１００の１つまたは複数の高い振動振幅ゾーンに関してその少なくとも１つの寸法を変化させるように構成され得る。いくつかの実装形態では、１つまたは複数の高振幅ゾーンの場所は、たとえば、ＰＴＣ，Ｉｎｃ．（Ｎｅｅｄｈａｍ、ＭＡ、ＵＳＡ）からのＣｒｅｏ  Ｅｌｅｍｅｎｔｓなどのような１つまたは複数のＦＥＡ解析ツールを介して発生させられる、ゴルフ・クラブ・ヘッド２２０００の本体部２２１００のモデルの有限要素解析（ＦＥＡ）マップを介して決定され得る。たとえば、図２９は、クラウン２２１１０の上面ＦＥＡ図を図示しており、高振幅ゾーン２９１００の一部として、高振幅ゾーン２９１０１、２９１０２、および２９１０７を特定している。図３０は、ソール２２１２０の底部ＦＥＡ図を図示しており、高振幅ゾーン２９１００の一部として、高振幅ゾーン３０１０３、３０１０４、３０１０５、および３０１０６を特定している。
【０１８０】
高振幅ゾーン２９１００は、ゴルフ・ショット・インパクトに続いて本体部２２１００の他のセクションよりも高い振動振幅を示し得る、本体部２２１００における場所を含むことが可能である。たとえば、高振幅ゾーン２９１００は、おおよそ２５ｍ／ｓ（メートル毎秒）からおおよそ７０ｍ／ｓのインパクト速度におけるゴルフ・クラブ・ヘッド２２０００とゴルフ・ボール１５７０のインパクトに続いて、おおよそ０．５ｍｍからおおよそ４ｍｍの振動振幅を示す、本体部２２１００における場所に対応することが可能である。同じ例または他の例において、高振幅ゾーン２９１００は、おおよそ１０００Ｈｚ（ヘルツ）からおおよそ５０００Ｈｚの１つまたは複数の周波数における振動に起因する振動振幅に関して定義され得る。
【０１８１】
高振幅ゾーンがインパクト時に望ましくない可聴周波数を発生させる可能性があるという状況、および／または、ゴルフ・クラブ・ヘッド２２０００の構造的な完全性が、たとえば、その場所での低減される本体部材料厚さに起因して、そのような高振幅ゾーンにおいて損なわれる可能性があるという状況が存在する可能性がある。したがって、リブ２２２００は、そのような状況において、そのような可聴周波数を依然として減衰させながら、本体部２２１００に対して構造的な補強を提供するように配置され得る。たとえば、リブ２２２１０は、ソール２２１２０および／またはスカート１１１３０において、高振幅ゾーン３０１０５および３０１０６（図３０）に沿って、および、クラウン２２１１０において、高振幅ゾーン２９１０１および２９１０７（図２９）に沿って延在するように配置されている。リブ２２２２０は、クラウン２２１１０において高振幅ゾーン２９１０２（図２９）に沿って延在するように配置されている。リブ２２２３０は、ソール２２１２０および／またはスカート２２１３０において、高振幅ゾーン３０１０３および３０１０４（図３０）に沿って延在するように配置されている。
【０１８２】
リブ２２２００は、構造的な支持または強度を本体部２２１００に追加することが可能であるが、高振幅ゾーン２９１０１における追加的な質量は、その場所における振動または振動の振幅を悪化させる可能性がある。したがって、本例において、リブ２２２００は、本体部２２１００のそれぞれの部分に沿って延在しているが、高振幅ゾーン２９１００のうちの１つまたは複数に沿って延在するときに、少なくともそのリブ高さまたはリブ厚さが減少するように、寸法が変化している。さらに、リブ高さは、また、本体部２２１００のそれぞれの部分に沿って延在して増加することが可能である。さらには、リブ高さは、徐々に、および／または、線形的に、その任意の組み合わせで、増加および／または減少することが可能である。いくつかの例では、リブ高さは、リブ表面２４２００から測定されることができ、リブ表面２４２００に実質的に直交している。たとえば、リブ２２２１０は、高さ２６０１５および２６０１２（図２６）を含み、それは、いくつかの実施形態では、最大でおおよそ６ｍｍであることが可能であり、ここで、リブ高さ２６０１５または２６０１２のうちの少なくとも１つは、リブ２２２１０の最大リブ高さを構成することが可能である。同じ例または他の例において、リブ厚さは、リブ高さに実質的に直交して測定され得る。たとえば、リブ２２２１０は、最大リブ厚さ２５２１５（図２５）を含み、それは、いくつかの実施形態では、最大でおおよそ４ｍｍであることが可能である。
【０１８３】
本例において、図２５〜図２６において見られるように、リブ２２２１０は、互いに反対側にあるリブ端部２２２１１および２２２１２を含む。また、リブ２２２１０は、リブ部分２５２１１、２５２１２、および２５２１３を含み、リブ部分２５２１１は、リブ端部２２２１１とリブ部分２５２１３との間に位置付けされており、リブ部分２５２１２は、リブ端部２２２１２とリブ部分２５２１３との間に位置付けされている。
【０１８４】
リブ部分２５２１１、２５２１２、および２５２１３は、対応するリブ寸法を含み、リブ部分２５２１１および２５２１２のそれぞれのリブ寸法は、リブ２５２１３の対応するリブ寸法よりも大きくなっている。たとえば、図２６において見られるように、リブ部分２５２１１は、リブ高さ２６０１１を含み、リブ部分２５２１２は、リブ高さ２６０１２を含み、リブ部分２５２１３は、リブ高さ２６０１３を含み、リブ高さ２６０１１および２６０１２は、リブ高さ２６０１３よりも大きくなっている。しかし、他の例では、リブ高さ２６０１１、２６０１２、および２６０１３は、高さの任意の変動を有することが可能であり、たとえば、リブ高さ２６０１３は、リブ高さ２６０１１および２６０１２よりも大きくなっている。同様に、図２５において見られるように、リブ部分２５２１１は、リブ厚さ２５０１１を含み、リブ部分２５２１２は、リブ厚さ２５０１２を含み、リブ部分２５２１３は、リブ厚さ２５０１３を含み、リブ厚さ２５０１１および２５０１２は、リブ厚さ２５０１３よりも大きくなっている。
【０１８５】
本実施形態では、リブ高さ２６０１１、２６０１２、および２６０１３、ならびに、リブ厚さ２５０１１、２５０１２、および２５０１３は、リブ中央セクション２６０５０の中に位置付けされており、リブ中央セクション２６０５０は、リブ２２２１０のリブ中心点２６２９９の周りに中心を合わせられており、リブ中央セクション２６０５０は、リブ端部２２２１１からリブ端部２２２１２へ測定されるときに、リブ２２２１０のリブ長さの９５％を構成している。したがって、リブ中央セクション２６０５０の外側のリブ寸法は、リブ２２２１０の最大または最小のリブ高さまたは厚さを決定することに関して考慮されない。
【０１８６】
本実施形態では、リブ部分２５２１３（図２５〜図２６）が高振幅ゾーン３０１０５（図２５、図２６、図３０）に位置付けされるように、リブ２２２１０が配置されている。したがって、高振幅ゾーン２９１００の外側に位置付けされているリブ高さ２６０１１および２６０１２（図２６）、ならびに、リブ幅２５０１１および２５０１２（図２５）と比較したときに、リブ高さ２６０１３およびリブ幅２５０１３は低減されている。しかし、他の例では、リブ高さ２６０１３は、リブ高さ２６０１１および２６０１２と比較したときに増加され得る。高振幅ゾーンは、たとえば、最も高いゴルフ・インパクト振動振幅を高振幅ゾーン２９１００の外に備えた最大振幅ゾーンを含むことが可能である。１つの例では、リブ高さ２６０１１または２６０１２のうちの少なくとも１つは、リブ高さ２６０１３（図２６）よりもおおよそ１．１倍からおおよそ１２倍大きくなっていることが可能である。別の例として、リブ厚さ２５０１１または２５０１２のうちの少なくとも１つは、リブ厚さ２５０１３（図２５）よりもおおよそ１．１倍からおおよそ８倍大きくなっていることが可能である。本実施形態では、リブ高さ２６０１３（図２６）は、おおよそ０．５ｍｍからおおよそ４ｍｍであることが可能であり、また、リブ２２２１０の最小リブ高さを含むことが可能である。同じ実施形態または他の実施形態において、リブ厚さ２５０１３（図２５）は、おおよそ０．５ｍｍからおおよそ３ｍｍであることが可能であり、また、リブ２２２１０の最小リブ厚さを含むことが可能である。
【０１８７】
本実施形態では、リブ２２２１０は、また、リブ端部２２２１２とリブ部分２５２１２との間に位置付けされているリブ部分２５２１４を含み、リブ部分２５２１４の寸法は、リブ高さ２６０１４（図２６）およびリブ厚さ２５０１４（図２５）を含む。リブ部分２５２１４は、高振幅ゾーン３０１０６に位置付けされており、したがって、高振幅ゾーン２９１００の外側に位置付けされているリブ高さおよび厚さと比較したときに、リブ高さ２６０１４およびリブ厚さ２５０１４は低減されている。たとえば、リブ部分２５２１２のリブ厚さ２５０１２は、リブ部分２５２１４のリブ厚さ２５０１４よりも大きくなっている（図２５）。同様に、リブ部分２５２１２のリブ高さ２６０１２は、リブ部分２５２１４のリブ厚さ２６０１４よりも大きくなっている（図２６）。しかし、他の例では、高振幅ゾーン２９１００の外側に位置付けされているリブ高さと比較したときに、リブ高さ２６０１４は増加され得る。
【０１８８】
また、リブ２２２１０は、リブ端部２２２１２とリブ部分２５２１４との間に位置付けされているリブ部分２５２１５を含み、リブ部分２５２１５の寸法は、リブ高さ２６０１５（図２６）およびリブ厚さ２５０１５（図２５）を含む。リブ部分２５２１は、高振幅ゾーン２９１００の外側に位置付けされており、したがって、リブ部分２５２１５のリブ厚さ２５０１５は、リブ部分２５２１４のリブ厚さ２５０１４よりも大きくなっている（図２５）。同様に、リブ部分２５２１５のリブ高さ２６０１５は、リブ部分２５２１４のリブ高さ２６０１４よりも大きくなっている（図２６）。しかし、他の例では、リブ部分２５２１５のリブ高さ２６０１５は、リブ部分２５２１４のリブ高さ２６０１４よりも小さくなっていることが可能である。
【０１８９】
クラウン２２１１０に位置付けされているリブ２２２１０の部分に関して、同様のパターンが結果的に生じる。たとえば、図２４において見られるように、リブ２２２１０は、また、リブ部分２４２１６、２４２１７、２４２１８、および２４２１９を含み、リブ部分２４２１６は、高振幅ゾーン２９１０７に位置付けされており、リブ部分２４２１８は、高振幅ゾーン２９１０１に位置付けされており、リブ部分２４２１７および２４２１９は、高振幅ゾーン２９１００の外側に位置付けされている。したがって、リブ部分２４２１７または２４２１９のリブ厚さは、リブ部分２４２１６または２４２１８のリブ厚さよりも大きくなっていることが可能である。同じ例または他の例において、リブ部分２４２１７または２４２１９のリブ高さは、リブ部分２４２１６または２４２１８のリブ高さよりも大きくなっているかまたは小さくなっていることが可能である。
【０１９０】
リブ２２２３０および２２２２０の寸法は、高い振幅部分２９１００の場所に基づいて、リブ２２２１０に関する上記の説明にしたがって配置され得る。たとえば、図２４および図２７において見られるように、リブ２２２２０は、リブ部分２２２２１、２２２２２、および２２２２３を含み、リブ部分２２２２３は、高振幅ゾーン２９１０２に位置付けされており、リブ部分２２２２１および２２２２２は、高振幅ゾーン２９１００の外側に位置付けされている。したがって、リブ部分２２２２１および２２２２２のリブ厚さは、リブ部分２２２２３のリブ厚さよりも大きくなっていることが可能である。同じ例または他の例において、リブ部分２２２２１または２２２２２のリブ高さは、リブ部分２２２２３のリブ高さよりも大きくなっているかまたは小さくなっていることが可能である。
【０１９１】
別の例として、たとえば、図２５および図２８において見られるように、リブ２２２３０は、リブ部分２２２３１、２２２３２、２２２３３、２２２３４、および２２２３５を含み、リブ部分２２２３３は、高振幅ゾーン３０１０４に位置付けされており、リブ部分２２２３４は、高振幅ゾーン３０１０３に位置付けされており、リブ部分２２２３１、２２２３２、および２２２３５は、高振幅ゾーン２９１００の外側に位置付けされている。したがって、リブ部分２２２３１、２２２３２、または２２２３５のリブ厚さは、リブ部分２２２３３または２２２３４のリブ厚さよりも大きくなっていることが可能である。同じ例または他の例において、リブ部分２２２３１、２２２３２、または２２２３５のリブ高さは、リブ部分２２２３３または２２２３４のリブ高さよりも大きくなっているかまたは小さくなっていることが可能である。
【０１９２】
図２３において見られるように、リブ２２２１０は、リブ軸線２２２１３を含み、リブ２２２２０は、リブ軸線２２２２３を含み、リブ２２２３０は、リブ軸線２２２３３を含み、リブ軸線２２２１３、２２２２３、および２２２３３は、互いに、および、本体部２２１００の前端２２１４０の前方のローカス２３５００と交差するように整合させられることができ、ローカス２３５００は、本例において、円錐断面周囲（ｃｏｎｉｃ  ｓｅｃｔｉｏｎ  ｐｅｒｉｍｅｔｅｒ）２３５１０によって画定されている。同じ例または他の例において、リブ軸線２２２１３、２２２２３、および／または２２２３３は、円錐断面周囲２３５１０に接していることが可能である。本例において、円錐断面周囲２３５１０は、ゴルフ・ボール１５７０の周囲のサイズを構成しているが、図３２〜図３９の円錐断面周囲に関して下記に説明されているものなどのような他の円錐断面形状または場所を構成することも可能である。
【０１９３】
図３１は、本開示によるゴルフ・クラブ・ヘッドを提供するための方法３１０００のフローチャートを表している。いくつかの例では、方法３１０００のゴルフ・クラブ・ヘッドは、ゴルフ・クラブ・ヘッド２２０００（図２２〜図３０）などのような、本明細書で提示されているゴルフ・クラブ・ヘッドのうちの１つまたは複数と同様であることが可能である。
【０１９４】
方法３１０００は、ゴルフ・クラブ・ヘッドの本体部を提供するためのブロック３１１００を含み、本体部は、ヒール端、トウ端、クラウン、ソール、前端、後端、および、スカートまたはホーゼルのうちの少なくとも１つを含む。いくつかの例では、ゴルフ・クラブ・ヘッドの本体部は、ゴルフ・クラブ・ヘッド２２０００の本体部２２１００と同様であることが可能であり、本体部２２１００は、ヒール端２２１６０、トウ端２２１５０、クラウン２２１１０、ソール２２１２０、前端２２１４０、後端２３１５０、スカート２２１３０、および／またはホーゼル２２１９０（図２２〜図３０）を含む。
【０１９５】
また、方法３１０００は、本体部のリブ表面から突出し、第１の、第２の、および第３のリブ部分を含む、１つまたは複数のリブのうちのリブを提供するためのブロック３１２００を含む。いくつかの例では、リブは、リブ２２２１０、２２２２０、または２２２３０（図２２〜図２８）のうちの１つまたは複数と同様であることが可能である。同じ例または他の例において、リブ表面は、リブ表面２４２００と同様であることが可能であり、また、ゴルフ・クラブ・ヘッドの本体部の１つまたは複数の部分、たとえば、クラウンの一部分、ソールの一部分、および／または、そのスカートの一部分などを構成することが可能である。
【０１９６】
ブロック３１２００は、いくつかの例では、サブ・ブロック３１２１０を含むことが可能であり、サブ・ブロック３１２１０は、第１のリブ部分の第１のリブ寸法、および、第２のリブ部分の第２のリブ寸法が、第３のリブ部分の第３のリブ寸法よりも大きくなるように、第１のリブ部分と第２のリブ部分との間に第３のリブ部分を提供することを含む。いくつかの実装形態では、第１のリブ寸法は、たとえば、リブ２２２１０、２２２２０、および／または２２２３０に関して上記に説明されているリブ高さと同様に、第１のリブのリブ高さに対応することが可能である。同じ実装形態または他の実装形態において、リブ寸法は、さらに、または、代替的に、たとえば、リブ２２２１０、２２２２０、および／または２２２３０に関して上記に説明されているリブ厚さと同様に、第１のリブのリブ厚さに対応することが可能である。
【０１９７】
いくつかの例では、第１の、第２のおよび第３のリブ部分は、リブ２２２１０、２２２２０、または２２２３０の対応する部分と同様であることが可能である。たとえば、リブがリブ２２２１０と同様である場合に、第３のリブ部分は、リブ部分２５２１３と同様であることが可能であり、一方、第１および第２のリブ部分は、リブ部分２５２１１および２５２１２と同様であることが可能である（図２５〜図２６）。別の例として、繰り返しになるが、リブがリブ２２２１０と同様である場合に、第３のリブ部分は、リブ部分２５２１４と同様であることが可能であり、一方、第１および第２のリブ部分は、リブ部分２５２１２および２５２１５と同様であることが可能である（図２５〜図２６）。別の例として、繰り返しになるが、リブがリブ２２２１０と同様である場合に、第３のリブ部分は、リブ部分２４２１６と同様であることが可能であり、一方、第１および第２のリブ部分は、リブ部分２５２１５および２４２１７と同様であることが可能である（図２４、図２６）。さらに別の例として、繰り返しになるが、リブがリブ２２２１０と同様である場合に、第３のリブ部分は、リブ部分２４２１８と同様であることが可能であり、一方、第１および第２のリブ部分は、リブ部分２４２１７および２４２１９と同様であることが可能である（図２４、図２６）。
【０１９８】
異なる例において、リブがリブ２２２２０と同様である場合に、第３のリブ部分は、リブ部分２２２２３と同様であることが可能であり、一方、第１および第２のリブ部分は、リブ部分２２２２１および２２２２２と同様であることが可能である（図２４、図２７）。別の異なる例において、リブがリブ２２２３０と同様である場合に、第３のリブ部分は、リブ部分２２２３３と同様であることが可能であり、一方、第１および第２のリブ部分は、リブ部分２２２３１および２２２３２と同様であることが可能である（図２５、図２８）。さらに別の異なる例において、繰り返しになるが、リブがリブ２２２３０と同様である場合に、第３のリブ部分は、リブ部分２２２３４と同様であることが可能であり、一方、第１および第２のリブ部分は、リブ部分２２２３２および２２２３５と同様であることが可能である（図２５、図２８）。
【０１９９】
また、ブロック３１２００は、いくつかの実施形態では、サブ・ブロック３２２２０を含むことが可能であり、サブ・ブロック３２２２０は、本体部の最大振幅ゾーンにおいて、第３のリブ部分の第３のリブ寸法を提供することを含む。いくつかの例では、最大振幅ゾーンは、図２４〜図３０に関して上記に説明されているような高振幅ゾーン２９１００のうちの１つまたは複数と同様であることが可能であり、それは、リブ部分２５２１３、２５２１４、２４２１６、２４２１８、２２２２３、２２２３３、または２２２３４（図２４〜図２８）のうちの１つまたは複数のものと同様の低減された寸法のそれぞれのリブ部分とマッチされ得る。
【０２００】
いくつかの例では、方法３２０００の異なるブロックまたはサブ・ブロックのうちの１つまたは複数は、単一のブロックもしくはサブ・ブロックへと組み合わせられることができ、または、同時に実施されることができ、および／または、そのようなブロックもしくはサブ・ブロックのシーケンスは、変化させられ得る。たとえば、ゴルフ・クラブ・ヘッドの本体部の１つまたは複数の部分とともに単一のピースを構成することによって、１つまたは複数のリブが本体部と一体になっている場合などに、たとえば、ブロック３１１００および３１２００は、同時に実施され得る。同じ例または他の例において、方法３２０００のブロックのうちのいくつかは、いくつかのサブ・ブロックへと細分化され得る。たとえば、ブロック３１１００は、クラウン、ソール、および／またはスカートを提供するためのサブ・ブロック、ならびに、本体部の前端、および／または、そのストライク・フェイスを提供するための別のサブ・ブロックへと細分化され得る。また、他の例が存在することも可能であり、他の例では、方法３２０００は、さらなるブロックまたは異なるブロックを含むことが可能である。例として、さらなるブロックは、本体部のホーゼルにシャフトを連結することを含むことが可能である。別の例として、さらなるブロックまたはサブ・ブロックは、ゴルフ・クラブ・ヘッドの本体部のＦＥＡマップを発生させること、および／または、ＦＥＡマップから最大振幅ゾーンの場所を決定することを含むことが可能である。そのような例では、ＦＥＡマップは、図２９〜図３０に示されているようなゴルフ・クラブ・ヘッド２２０００のＦＥＡマップまたは図と同様であることが可能である。それに加えて、別の例が存在することも可能であり、別の例では、方法３２０００が、上記に説明されているステップの一部のみを含むことが可能である。たとえば、サブ・ブロック３２２２０は、いくつかの実装形態では、随意的であることが可能である。他の変形例が、本開示の範囲から逸脱することなく、方法３２０００に関して実装され得る。
【０２０１】
図３２は、リブ３２２００を備えたゴルフ・クラブ・ヘッド３２０００の上面Ｘ線図を図示しており、それは、本明細書で説明されている他のゴルフ・クラブ・ヘッドおよびリブと同様であることが可能である。ゴルフ・クラブ・ヘッド３２０００は、本体部２２１００を含み、本体部２２１００は、図２２〜図３１に関して上記に説明されているような、クラウン２２１１０、ソール２２１２０、ヒール端２２１６０、トウ端２２１５０、前端２２１４０、後端２３１５０、スカート２２１３０、および／またはホーゼル２２１９０を備えており、また、ゴルフ・クラブ・ヘッド３２０００は、リブ３２２００を含み、リブ３２２００は、本体部２２１００に連結されており、そのリブ表面３２４００から突出している。図３２において見られるように、ホーゼル２２１９０は、その中に挿入されるゴルフ・クラブ・シャフト２２１９１を有することが可能である。本例において、リブ表面３２４００は、本体部２２１００の内部表面を構成するが、他の同様の実施形態が存在することも可能であり、他の同様の実施形態では、リブ表面３２４００が、本体部２２１００の外部表面を構成することが可能である。
【０２０２】
本実施形態では、リブ３２２００は、リブ３２２１０および３２２２０を含む。リブ３２２１０は、互いに反対側にあるリブ端部点３２２１１および３２２１２、ならびに、リブ端部点３２２１１および３２２１２と交差するリブ軸線３２２１３を含む。同様に、リブ３２２２０は、互いに反対側にあるリブ端部点３２２２１および３２２２２、ならびに、リブ端部点３２２２１および３２２２２と交差するリブ軸線３２２２３を含む。本実施形態では、リブ３２２００は、また、リブ３２２３０および３２２４０を含み、リブ３２２３０は、そのリブ端部点３２２３１および３２２３２と交差するリブ軸線３２２１３を含み、リブ３２２４０は、そのリブ端部点３２２４１および３２２４２と交差するリブ軸線３２２４３を含む。他の実施形態は、より少ない数のまたはより大きい数のリブを含むことが可能である。
【０２０３】
図３２の上面図は、本体部２２１００がグランド平面３２７１０の上でアドレス位置にある状態のゴルフ・クラブ・ヘッド３２０００を示しており、シャフト平面３２７２０（それは、シャフト２２１９０のシャフト軸線３２７２１を含む）がグランド平面３２７１０に直交するようになっている。図３２において見ることができるように、リブ軸線３２２１３、３２２２３、３２２３３、および３２２４３は、互いに交差しており、また、ローカス３２５００と交差しており、ローカス３２５００は、円錐断面周囲３２５１０によって画定されている。いくつかの例では、円錐断面周囲３２５１０は、本体部２２１００がアドレス位置にあるときに、グランド平面３２７１０に直交する方向に延在することが可能であり、ローカス３２５００は、円錐断面周囲３２５１０によって境界を定められる面積または体積を含むことが可能である。本実施形態では、円錐断面周囲３２５１０は、図３２の上面図から見られるような円形周囲を含むが、他の実施形態では、異なる円錐断面形状、たとえば、半円形の周囲、楕円形の周囲、半楕円形の周囲、放物線周囲、または双曲線周囲などを含むことが可能である。たとえば、図において先に飛ばすと、図３８は、楕円形の円錐断面周囲３８５１０によって画定されているようなローカス３８５００に対して整合させられているリブ軸線を有するリブ３８２００を備えたゴルフ・クラブ・ヘッド３８０００の上面Ｘ線図を図示している。
【０２０４】
図３２へ後戻りすると、本実装形態において、リブ軸線３２２１３、３２２２３、３２２３３、および３２２４３は、円錐断面周囲３２１５０においてローカス３２５００と交差している。それに加えて、リブ軸線３２２１３、３２２２３、３２２３３、および３２２４３は、ローカス３２５００の外側で、および、本体部２２１００の前端２２１４０の前方で、互いに交差している。また、他の実施形態が存在することも可能であり、他の実施形態では、リブ軸線３２２１３、３２２２３、３２２３３、および３２２４３が円錐断面周囲３２１５０の中のローカス３２５００と交差している。
【０２０５】
リブ３２２００は、いくつかの点において、他の実施形態に関して本明細書で説明されている他のリブと同様であることが可能である。たとえば、リブ軸線３２２１３、３２２２３、３２２３３、および３２２４３が本体部２２１００の前端２２１４０の前方で互いに交差しているとしても、リブ３２２００のいずれも、任意の他のリブによって交差されていない。リブ３２２００が、実質的に一定のリブ高さおよびリブ厚さを含むが、可変のリブ高さおよび／またはリブ厚さを有する他の実施形態が存在することも可能であり、可変のリブ高さは、徐々におよび／または線形的に変化することが可能である。そのような実施形態では、低減されたリブ高さまたはリブ厚さが、ゴルフ・クラブ・ヘッド２２０００（図２２〜図３１）のリブのリブ高さおよび／またはリブ厚さに関して上記に説明されているように、ゴルフ・クラブ・ヘッドの本体部の高振幅ゾーンに対応することが可能である。他の例では、増加されたリブ高さが、ゴルフ・クラブ・ヘッド２２０００のリブのリブ高さおよび／またはリブ厚さに関して上記に説明されているように、ゴルフ・クラブ・ヘッドの本体部の高振幅ゾーンに対応することが可能である。
【０２０６】
リブ３２２００は、ローカス３２５００および円錐断面周囲３２５１０に対して整合させられており、インパクト応力が生じる可能性のあるターゲット応力方向に対してインパクト応力をより良好に導くかまたは消散させるようになっている。本実施形態では、リブ軸線３２２１３、３２２２３、３２２３３、および３２２４３は、円錐断面周囲３２５１０に接しており、ここで、（ａ）リブ軸線３２２２３は、接点３２５１１において円錐断面周囲３２５１０に接しており、接点３２５１１は、円錐断面周囲３２５１０のヒールサイド端部に向けて位置付けされており、（ｂ）リブ軸線３２２１３は、接点３２５１２において円錐断面周囲３２５１０に接しており、接点３２５１２は、円錐断面周囲３２５１０のトウサイド端部に向けて位置付けされており、（ｃ）リブ軸線３２２３３は、接点３２５１３において円錐断面周囲３２５１０に接しており、接点３２５１３は、接点３２５１１と円錐断面周囲３２５１０の後方端部３２５１５との間に位置付けされており、（ｄ）リブ軸線３２２４３は、接点３２５１４において円錐断面周囲３２５１０に接しており、接点３２５１４は、接点３２５１２と円錐断面周囲３２５１０の後方端部３２５１５との間に位置付けされている。
【０２０７】
いくつかの実施形態では、円錐断面周囲３２５１０のサイズは、ターゲット応力方向、または、そのようなインパクト応力がそれから前端２２１４０の前方に発生し得るエリアに関して構成され得る。たとえば、そのようなターゲット応力方向に関してリブ３２２００と円錐断面周囲３２５１０をより良好に整合させるために、円錐断面周囲３２５１０のそのような最大直径（それは、その任意の２つのポイントの間で最大の距離を構成する）は、比較的に小さくすることが可能である。例として、円錐断面周囲３２５１０のそのような最大直径は、おおよそ３ｍｍからおおよそ１０ｍｍであることが可能である。円錐断面周囲３２５１０のそのような小さい直径に対するリブ３２２００のそのような整合は、たとえば、経験豊かな個人の場合に、有益である可能性があり、経験豊かな個人は、前端２２１４０の所望のエリアにおいて、より一貫してゴルフ・ボール１５７０を打つことが可能であり、ならびに／または、ゴルフ・ボール１５７０の特定のゾーンもしくはポイントに対して前端２２１４０および／もしくはリブ３２２００を整合させることを望む可能性がある。
【０２０８】
他の実施形態では、円錐断面周囲の最大直径は、より大きくなっていることが可能であり、また、たとえば、おおよそ４２．６７ｍｍ（おおよそ１．６８インチ）のゴルフ・ボールのゴルフ・ボール直径を含むことが可能である。たとえば、図３３は、リブ３３２００を備えたゴルフ・クラブ・ヘッド３３０００の上面Ｘ線図を図示しており、それは、ゴルフ・クラブ・ヘッド３２０００およびリブ３２２００（図３２）と同様であることが可能であり、リブ３３２１０、３３２２０、３３３３０、および３３３４０（図３３）が、それぞれ、リブ３２２１０、３２２２０、３２３３０、および３２３４０（図３２）と同様であることが可能であるようになっており、また、リブ軸線３３２１３、３３２２３、３３２３３、および３３２４３が、それぞれ、リブ軸線３２２１３、３２２２３、３２２２３、３２２３３、および２４３（図３２）と同様であることが可能であるようになっている。リブ３３２００は、リブ３２２００と同様に整合させられているが、しかし、円錐断面周囲３３５１０によって画定されるようなローカス３３５００に関して整合させられており、それは、ゴルフ・ボール１５７０の周囲のサイズを含む。円錐断面周囲３３５１０の直径などのような、より大きい直径に対するリブ３３２００のそのような整合は、より高いハンディキャップの個人の場合に有益である可能性があり、より高いハンディキャップの個人は、前端２２１４０のより広いエリアにわたって、より一貫しないでゴルフ・ボールを打つ傾向にある可能性がある。
【０２０９】
図３２の例に戻ると、リブ３２２３０および３２２４０は、リブ３２２００の最も外側のリブを構成しており、それは、それぞれ、本体部２２１００のトウ端２２１５０およびヒール端２２１６０の最も近くに位置付けされている。リブ３２２１０および３２２１２０は、リブ３２２００の内側リブを構成しており、それは、最も外側のリブ３２２３０と３２２４０との間に位置付けされている。本例において見られるように、内側リブ３２２１０および３２２２０のリブ軸線３２２１３および３２２２３は、円錐断面周囲３２５１０の前方で互いに交差しており、一方、最も外側のリブ３２２３０および３２２４０のリブ軸線３２２３３および３２２４３は、円錐断面周囲３２５１０の後方で互いに交差している。そのような配置は、トウサイド・リブ３２２３０および３２２１０のリブ軸線３２２１３と３２２３３との間の、および、ヒールサイド・リブ３２２２０および３２２４０のリブ軸線３２２２３と３２２４３との間の、相対的により小さい角度につながる。したがって、トウサイド・リブ３２２３０および３２２１０は、前端２２１４０のより幅の狭いエリア３２１４１にフォーカスされることができ、一方、ヒールサイド・リブ３２２４０および３２２２０は、前端２２１４０のより幅の狭いエリア３２１４２にフォーカスされ得る。いくつかの実装形態では、そのような整合は、したがって、より経験豊かな個人に関して有益である可能性があり、より経験豊かな個人は、前端２２１４０の特定のエリアに関して、たとえば、トウ端２２１５０に向けてのより幅の狭いエリア３２１４１、および／または、ヒール端２２１６０に向けてのより幅の狭いエリア３２１４２に関して、彼らのゴルフ・スイングをフォーカスすることを望む可能性がある。
【０２１０】
しかし、異なるリブ配置を備えた他の実施形態が存在することも可能である。たとえば、図３４は、リブ３４２００を備えたゴルフ・クラブ・ヘッド３４０００の上面Ｘ線図を図示しており、それは、ゴルフ・クラブ・ヘッド３２０００およびリブ３２２００（図３２）と同様であることが可能であり、リブ３４２３０および３４２４０は、リブ３４２００の最も外側のリブを構成しており、リブ３４２１０および３４２２０は、リブ３４２００の内側リブを構成している。本例において見られるように、内側リブ３４２１０および３４２２０のリブ軸線３４２１３および３４２２３は、円錐断面周囲３２５１０の後方で互いに交差しており、一方、最も外側のリブ３４２３０および３４２４０のリブ軸線３４２３３および３４２４３は、円錐断面周囲３２５１０の前方で互いに交差している。そのような配置は、トウサイド・リブ３４２３０および３４２１０のリブ軸線３４２１３と３４２３３との間の、および、ヒールサイド・リブ３４２２０および３４２４０のリブ軸線３４２２３と３４２４３との間の、相対的なより大きい角度につながる。したがって、トウサイド・リブ３４２３０および３４２１０は、前端２２１４０のより広いエリア３４１４１にフォーカスされており、一方、ヒールサイド・リブ３２２４０および３２２２０は、前端２２１４０のより広いエリア３２１４２にフォーカスされている。いくつかの実装形態では、そのような整合は、したがって、より高いハンディキャップの個人に関して有益である可能性があり、より高いハンディキャップの個人は、前端２２１４０の特定のエリアに対する彼らのゴルフ・スイングに関して、より一貫していない可能性がある。したがって、より広いエリア３４１４１（図３４）は、より幅の狭いエリア３２１４１（図２０）よりも大きくなっていることが可能であり、より広いエリア３４１４２（図３４）は、より幅の狭いエリア３２１４２（図３２）よりも大きくなっていることが可能である。
【０２１１】
上記に説明されているように、ゴルフ・クラブ・ヘッドに関する円錐断面周囲は、ターゲット応力方向に対して整合させられることができ、インパクト応力は、ターゲット応力方向から導かれるかまたは減衰させられることを望まれる。たとえば、ローカス３２５００およびリブ３２２００は、一般的に、ストライク・フェイス２２１４１の中心を横断するターゲット応力方向に関して、図３２において、ストライク・フェイス２２１４１のストライク・フェイス中心点３２１４５に関して整合させられている。したがって、ゴルフ・クラブ・ヘッド３２０００が上記に説明されているようにアドレス位置にあるときに、円錐断面周囲３２５１０は、中央平面３２７３０に中心を合わせられており、中央平面３２７３０は、グランド平面３２７１０に直交しており、ストライク・フェイス中心点３２１４５を含む。
【０２１２】
図３５は、ローカス３２５００に関するトウ方向の場所に対して整合させられているリブ３５２００を備えたゴルフ・クラブ・ヘッド３５２００の上面Ｘ線図を示す別の例を図示している。リブ３５２００は、リブ３２２００（図３２）と同様であることが可能であり、リブ３５２１０、３５２２０、３５３３０、および３５３４０（図３５）が、それぞれ、リブ３２２１０、３２２２０、３２３３０、および３２３４０（図３２）と同様であることが可能であるようになっているが、リブ３５２００は、ローカス３２５００のトウ方向の場所と整合させられている。本例において、ストライク・フェイス２２１４１は、ストライク・フェイス・トウ端３５１４７と、ストライク・フェイス中心点３２１４５とストライク・フェイス・トウ端３５１４７との間のストライク・フェイス・トウ端・ポイント３５１４６とを含む。トウ端平面３５７３０は、ストライク・フェイス・トウ端・ポイント３５１４６を含み、トウ端平面３５７３０は、中央平面３２７３０に平行になっている。リブ３５２００は、円錐セグメント周囲３２５１０と整合させられており、円錐セグメント周囲３２５１０は、トウ端平面３５７３０に中心を合わせられており、ストライク・フェイス２２１４１のトウ部分を横断するターゲット応力方向に対処する。同じ例または他の例において、ストライク・フェイス・トウ端・ポイント３５１４６は、ストライク・フェイス中心点３２１４５とストライク・フェイス・トウ端３５１４７との間の中間に位置付けされ得る。
【０２１３】
別の例として、図３６は、ローカス３２５００に関するヒール方向の場所に対して整合させられているリブ３６２００を備えたゴルフ・クラブ・ヘッド３６２００の上面Ｘ線図を図示している。リブ３６２００は、リブ３２２００（図３２）と同様であることが可能であり、リブ３６２１０、３６２２０、３６３３０、および３６３４０（図３６）が、それぞれ、リブ３２２１０、３２２２０、３２３３０、および３２３４０（図３２）と同様であることが可能であるようになっているが、リブ３６２００は、ローカス３２５００のヒール方向の場所と整合させられている。本例において、ストライク・フェイス２２１４１は、ストライク・フェイス・ヒール端３６１４７と、ストライク・フェイス中心点３２１４５とストライク・フェイス・ヒール端３６１４７との間のストライク・フェイス・ヒール端・ポイント３６１４６とを含む。ヒール端平面３６７３０は、ストライク・フェイス・ヒール端・ポイント３６１４６を含み、ヒール端平面３６７３０は、中央平面３２７３０に平行になっている。リブ３６２００は、円錐セグメント周囲３２５１０と整合させられており、円錐セグメント周囲３２５１０は、ヒール端平面３６７３０に中心を合わせられており、ストライク・フェイス２２１４１のヒール部分を横断するターゲット応力方向に対処する。同じ例または他の例において、ストライク・フェイス・ヒール端・ポイント３６１４６は、ストライク・フェイス中心点３２１４５とストライク・フェイス・ヒール端３６１４７との間の中間に位置付けされ得る。
【０２１４】
図３７は、ゴルフ・クラブ・ヘッド３７０００の上面Ｘ線図を図示しており、ゴルフ・クラブ・ヘッド３７０００は、ローカス３３５００および円錐断面周囲３３５１０に対して整合させられているリブ３７２００、３７３００、および３７４００を含み、円錐断面周囲３３５１０は、本例において、ゴルフ・ボール１５７０のゴルフ・ボール周囲を含む。本例において、円錐断面周囲３３５１０は、中央平面３２７３０、ローカス３２５００、および円錐断面周囲３２５１０に関して図３２において上記に説明されているように、ストライク・フェイス中心点３２１４５に対して整合させられている。しかし、他の例が存在することも可能であり、他の例では、円錐断面周囲３３５１０は、図３５に関して上記に説明されているように、トウ端・ポイント３５１４６と整合させられることができ、または、図３６に関して上記に説明されているように、ヒール端・ポイント３６１４６と整合させられ得る。
【０２１５】
ゴルフ・クラブ・ヘッド３７０００のリブは、本体部２２１００の異なる部分に位置付けされ得る。たとえば、本実施形態では、リブ３７３００および３７４００は、クラウン２２１１０に位置付けされているが、一方、リブ３７２００は、ソール２２１２０に位置付けされている。そのような場所は、他の実施形態では、変化することが可能である。たとえば、リブ３７２００は、いくつかの実装形態では、クラウン２２１１０に位置付けされることができ、一方、同じ実装形態または他の実装形態において、リブ３７３００または３７４００のうちの少なくとも１つは、ソール２２１２０に位置付けされ得る。
【０２１６】
リブ３７３００は、リブ軸線３７３１３を備えたリブ３７３１０、リブ軸線３７３２３を備えたリブ３７３２０、および、リブ軸線３７３３３を備えたリブ３７３３０を含み、リブ軸線３７３１３、３７３２３、および３７３３３は、円錐断面周囲３３５１０において互いに交差している。本例において、リブ３７３００は、ゴルフ・クラブ・ヘッド３７０００のヒールサイドに位置付けされており、円錐断面周囲３３５１０のトウ方向のセグメントにおいて互いに交差しており、円錐断面３３５１０の周囲セクション３７５１３に接していることが可能である。しかし、他の実施形態が存在することも可能であり、他の実施形態では、リブ３７３００は、他の場所において、たとえば、そのヒール方向の、前方の、または後方のセクションなどにおいて、円錐断面周囲３３５１０と交差することが可能である。
【０２１７】
リブ３７４００は、リブ軸線３７４１３を備えたリブ３７４１０、リブ軸線３７４２３を備えたリブ３７４２０、および、リブ軸線３７４３３を備えたリブ３７４３０を含み、リブ軸線３７４１３、３７４２３、および３７４３３は、また、円錐断面周囲３３５１０において互いに交差している。本例において、リブ３７４００は、ゴルフ・クラブ・ヘッド３７０００のトウサイドに位置付けされており、円錐断面周囲３３５１０のヒール方向のセグメントにおいて互いに交差しており、円錐断面３３５１０の周囲セクション３７１５４に接していることが可能である。しかし、他の実施形態が存在することも可能であり、他の実施形態では、リブ３７４００は、他の場所において、たとえば、そのトウ方向の、前方の、または後方のセクションなどにおいて、円錐断面周囲３３５１０と交差することが可能である。
【０２１８】
リブ３７２００は、リブ３７２１０および３７２２０を含む。リブ３７２１０は、互いに連結されているリブ・セグメント３７２１１および３７２１２、ならびにリブ軸線３７２１３を含む。リブ軸線３７２１３は、リブ・セグメント３７２１１に沿ってリブ軸線部分３７２１３１を含み、リブ・セグメント３７２１２に沿ってリブ軸線部分３７２１３２を含む。本実施形態では、リブ軸線部分３７２１３１は、周囲セクション３７５１１において円錐断面周囲３３５１０と交差しており、一方、リブ軸線部分３７２１３２は、周囲セクション３７５１２において円錐断面周囲３３５１０と交差している。また、本例において、リブ軸線部分３７２１３１および３７２１３２は、それぞれ、円錐断面周囲２３５１０の周囲セクション３７５１１および３７５１２に接していることが可能である。
【０２１９】
リブ３７２００のリブ３７２２０は、互いに連結されているリブ・セグメント３７２２１および３７２２２、ならびにリブ軸線３７２２３を含む。リブ軸線３７２２３は、リブ・セグメント３７２２１に沿ってリブ軸線部分３７２２３１を含み、リブ・セグメント３７２１２に沿ってリブ軸線部分３７２２３２を含む。本実施形態では、リブ軸線部分３７２２３１は、円錐断面周囲２３５１０の周囲セクション３７５１１において、または、それに近接して、リブ軸線部分３７２１３１と交差しており、一方、リブ軸線部分３７２２３２は、円錐断面周囲２３５１０の周囲セクション３７５１２においてリブ軸線部分３７２１３２と交差している。
【０２２０】
図３９は、本開示によるゴルフ・クラブ・ヘッドを提供するための方法３９０００のフローチャートを表している。いくつかの例では、方法３９０００のゴルフ・クラブ・ヘッドは、ゴルフ・クラブ・ヘッド２２０００（図２２〜図３０）または図３２〜図３８のゴルフ・クラブ・ヘッドなどのような、本明細書で提示されているゴルフ・クラブ・ヘッドのうちの１つまたは複数と同様であることが可能である。
【０２２１】
方法３９０００は、ヒール端、トウ端、クラウン、ソール、ストライク・フェイスを含む前壁、および後側部を含む本体部を提供するためのブロック３９１００を含む。いくつかの例では、本体部は、図２２〜図３８に関して説明されているような本体部２２１００と同様であることが可能である。
【０２２２】
また、方法３９０００は、本体部のリブ表面から突出されたリブを提供するためのブロック３９２００を含む。いくつかの例では、リブは、本明細書で説明されている例示的な実施形態のリブ、たとえば、リブ２２２００（図２２〜図２６）、リブ３２２００（図３２）、リブ３３２００（図３３）、リブ３４２００（図３４）、リブ３５２００（図３５）、リブ３４６００（図３６）、リブ３７２００（図３７）、および／またはリブ３８２００（図３８）のうちの少なくとも一部分などと同様であることが可能である。リブは、ゴルフ・クラブ・ヘッドの本体部の部分のうちの１つまたは複数から突出することが可能であり、たとえば、そのクラウン、ソール、および／またはスカートなどから、内部にでもまたは外部にでも突出することが可能である。
【０２２３】
方法３９０００のブロック３９２００は、リブ軸線同士が互いに交差するように、および、リブ軸線が円錐断面周囲によって画定されるローカスと交差するように、リブを整合させるためのサブ・ブロック３９２１０を含むことが可能である。いくつかの例では、リブは、図２２および／または図３２〜図３８に関して上記に説明されているようなローカスおよび円錐断面周囲に対して整合させられ得る。
【０２２４】
いくつかの例では、方法３９０００の異なるブロックまたはサブ・ブロックのうちの１つまたは複数が、単一のブロックまたはサブ・ブロックへと組み合わせられることができ、もしくは、同時に実施されることができ、および／または、そのようなブロックもしくはサブ・ブロックのシーケンスは、変化させられ得る。たとえば、ゴルフ・クラブ・ヘッドの本体部の１つまたは複数の部分とともに単一のピースを構成することによって、たとえば、１つまたは複数のリブが本体部と一体になっている場合などに、ブロック３９１００および３９２００は、同時に実施され得る。同じ例または他の例において、方法３９０００のブロックのうちのいくつかは、いくつかのサブ・ブロックへと細分化され得る。たとえば、ブロック３９１００は、クラウン、ソール、および／またはスカートを提供するためのサブ・ブロック、ならびに、本体部の前端、および／または、そのストライク・フェイスを提供するための別のサブ・ブロックへと細分化され得る。また、他の例が存在することも可能であり、他の例では、方法３９０００は、さらなるブロックまたは異なるブロックを含むことが可能である。例として、さらなるブロックは、本体部のホーゼルにシャフトを連結することを含むことが可能である。他の変形例が、本開示の範囲から逸脱することなく、方法３２０００に関して実装され得る。
【０２２５】
サイド・リブ
図４０〜図５２に図示されているのは、ゴルフ・クラブ・ヘッドの別の実施形態であり、クラブ・ヘッド４００００は、サイド・リブを含み、サイド・リブは、ゴルフ・ボールとのインパクトの間のゴルフ・クラブ・ヘッド４００００の音を改善することが可能である。クラブ・ヘッド４００００は、中空の本体部４００１８、前端４００２０、クラウン４００２２、ソール４００２４、ヒール端４００３０、トウ端４００３２、および後端４００２８を含む。クラブ・ヘッド４００００は、クラブ・ヘッド１２、１４０、１７８、１８０、１９０、４１２、６１２、８１２、１０１２、および１２１２の複数のリブと同様の複数のリブ４００４０をさらに含むことが可能である。さらには、クラブ・ヘッド４００００は、ゴルフ・クラブ・ヘッド１４０のソール・ウェイト１５９０と同様のソール・ウェイト４０５９０を含むことが可能である。さらには、クラブ・ヘッド４００００は、複数のサイド・リブ４００５０を含むことが可能であり、複数のサイド・リブ４００５０は、前端４００２０から後端４００２８に向かって横方向に延在しており、複数のサイド・リブ４００５０は、１つのサイド・リブ、２つのサイド・リブ、３つのサイド・リブ、４つのサイド・リブ、５つのサイド・リブ、６つのサイド・リブ、７つのサイド・リブ、または８つのサイド・リブを含むことが可能である。
【０２２６】
サイド・リブ４００５０は、図４０に図示されているようにヒール端４００３０の上で、または、図４３に図示されているようにトウ端４００３２の上で、前端４００２０に近接して、または、前端４００２０に接触して位置決めされ得る。より具体的には、サイド・リブ４００５０は、前端４００２０から離れるように、０インチから０．３５インチの範囲、０インチから０．３０インチの範囲、０インチから０．２５インチの範囲、０インチから０．２０インチの範囲、０．０５インチから０．３０インチの範囲、０．１０インチから０．３０インチの範囲、または、０．１５インチから０．２５インチの範囲に位置決めされ得る。いくつかの実施形態では、サイド・リブ４００５０は、ストライク・フェイスの一部分の中へ延在することが可能である。サイド・リブ４００５０は、クラウン４００２２の頂点から０．５インチの垂直距離以内に、および、ソール４００２４の最底部のポイントから０．５インチの垂直距離以内に、さらに位置決めされ得る。サイド・リブ４００５０の位置決めは、ゴルフ・クラブ・ヘッド４００００の音を改善することが可能である。
【０２２７】
いくつかの例では、サイド・リブ４００５０は、トウ端４００３２およびヒール端４００３０の両方の上に位置決めされることができ、トウ端４００３２の上に位置決めされているそれぞれのサイド・リブ４００５０は、ヒール端４００３０の上に位置決めされているサイド・リブ４００５０とは非対称になっている。トウ端４００３２の上のサイド・リブ４００５０、および、ヒール端４００３０の上のサイド・リブ４００５０が、前端４００２０のストライク・フェイス中心点４００６０から等距離にないときに、トウ端４００３２およびヒール端４００３０の上のサイド・リブ４００５０は互いに対して非対称的になっている。いくつかの例では、ヒール端４００３０の上のサイド・リブ４００５０は、トウ端４００３２の上のサイド・リブ４００５０よりも、ストライク・フェイス中心点４００６０の近くまたは遠くに位置決めされ得る。他の例では、トウ端４００３２の上のサイド・リブ４００５０は、前端４００２０と接触していることが可能であり、一方、ヒール端４００３０の上のサイド・リブ４００５０は、前端４００２０からより遠くへ位置決めされ得る。他の例では、ヒール端４００３０の上のサイド・リブ４００５０は、前端４００２０に近接していることが可能であり、一方、トウ端４００３２の上のサイド・リブ４００５０は、前端４００２０からより遠くへ位置決めされ得る。
【０２２８】
いくつかの例では、ストライク・フェイス中心点４００６０は、（図１４に図示されているような、および、上記に説明されているような、ターゲット・ストライク・ゾーン１４３１と同様に）ターゲット・ストライク・ゾーンの中心に位置付けされることができ、および／または、全米ゴルフ協会（ＵＳＧＡ）などのようなゴルフ運営団体の定義にしたがって定義され得る。たとえば、ストライク・フェイス中心点４００６０は、ＵＳＧＡ’ｓ  Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄの章６．１（ＵＳＧＡ−ＴＰＸ３００４，Ｒｅｖ．  １．０．０、２００８年５月１日）（ｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｐｒｏｃｅｄｕｒｅ−Ｆｏｒ−Ｍｅａｓｕｒｉｎｇ−Ｔｈｅ−Ｆｌｅｘｉｂｉｌｉｔｙ−Ｏｆ−Ａ−Ｇｏｌｆ−Ｃｌｕｂ−Ｈｅａｄ／において入手可能である）にしたがって決定され得る。
【０２２９】
ヒール端４００３０と比較して、トウ端４００３２の上のサイド・リブ４００５０の量は、等しくなっているか、または変化することが可能である。いくつかの例では、トウ端４００３２の上に３つのサイド・リブ４００５０が存在することが可能であり、ヒール端４００３０の上に１つのサイド・リブ４００５０が存在することが可能である。別の例では、トウ端４００３２の上に２つのサイド・リブが存在することが可能であり、ヒール端４００３０の上に３つのサイド・リブが存在することが可能である。さらに、例では、一方の端部（トウ端４００３２またはヒール端４００３０）の上に位置付けされている複数のサイド・リブ４００５０が、互いからスタガーすることができる状態になっており、いくつかのサイド・リブ４００５０は、前端４００２０のより近くに、または、前端４００２０からより遠くへ位置決めされ得る。複数のサイド・リブ４００５０がトウ端４００３２および／またはヒール端４００３０の上に位置決めされている状態のいくつかの実施形態では、それぞれの連続するサイド・リブ４００５０が、互いから均一に間隔を離して位置決めされることができ、および／または、互いから不均一に間隔を置いて位置決めされ得る。複数のサイド・リブ４００５０がトウ端４００３２および／またはヒール端４００３０の上に位置決めされている状態のいくつかの実施形態では、それぞれの連続するサイド・リブ４００５０は、互いから、０．１インチから０．７５インチに、０．１インチから０．２５インチに、０．０２５インチから０．０５０インチに、０．５０インチから０．７５インチに、０．２０インチから０．６０インチに、または、０．４０インチから０．５０インチに位置決めされ得る。サイド・リブ４００５０の数、および、それぞれのサイド・リブ４００５０の間のスペーシングは、ゴルフ・クラブ・ヘッド４００００の音を改善することが可能である。すべての実施形態において、トウ端４００３２の上に位置決めされている複数のサイド・リブ４００５０は、ヒール端４００３０の上に位置決めされている複数のサイド・リブ４００５０とは非対称であることが可能であり、トウ端４００３２の上のサイド・リブ４００５０、および、ヒール端４００３０の上のサイド・リブ４００５０は、前端４００２０のストライク・フェイス中心点４００６０から離れて、同じ距離に位置決めされていない。
【０２３０】
サイド・リブ４００５０は、所定の高さ、幅（または、厚さ）、および長さを含むことが可能である。いくつかの例では、サイド・リブ４００５０の高さは、一定のままであることが可能であり、前端４００２０から後端４００２８に向けて延在している。他の実施形態では、サイド・リブ４００５０の高さは、変化することが可能であり、前端４００２０から後端４００２８に向けて延在している（たとえば、徐々に増加する、線形的に増加する、徐々に減少する、線形的に減少する、および、それらの任意の組み合わせ）。さらにいくつかの例では、サイド・リブ４００５０のそれぞれの高さは、他のサイド・リブ４００５０のそれぞれの高さに等しくなっていることが可能である。他の例では、サイド・リブ４００５０のそれぞれは、他のサイド・リブ４００５０とは異なる高さを有することが可能である。サイド・リブ４００５０の高さは、０．０５１ｃｍ±０．０１３（０．０３８〜０．０６４ｃｍ）、０．０５１ｃｍ±０．０５０ｃｍ（０．００１〜０．１０１ｃｍ）、０．５１インチ±０．１３インチ（０．３８〜０．６４インチ）、および０．５０インチ±０．２５インチ（０．２５〜０．７５インチ）の範囲を有することが可能である。
【０２３１】
いくつかの例では、サイド・リブ４００５０が前端４００２０から後端４００２８に向けて延在するときに、サイド・リブ４００５０の幅は、一定のままであるか、または、変化することが可能である（たとえば、徐々に増加する、線形的に増加する、徐々に減少する、線形的に減少する、および、それらの任意の組み合わせ）。いくつかの例では、サイド・リブ４００５０のそれぞれの幅は、他のサイド・リブ４００５０に等しくなっていることが可能である。他の例では、サイド・リブ４００５０は、他のサイド・リブ４００５０とは異なる幅を有することが可能である。いくつかの例では、サイド・リブ４００５０のそれぞれは、前端４００２０の近くの第１端部４００５２においてテーパーが付いていることが可能であり、また、後端４００２８の近くの第２端部４００５４においてテーパーが付いていることが可能である。他の例では、第１端部４００５２および／または第２端部４００５４のテーパリングは存在していない。サイド・リブ４００５０の長さは、一定のままであるか、または、互いから変化することが可能である。いくつかの例では、クラウン４００２２のより近くにあるサイド・リブ４００５０は、ソール４００２４のより近くにあるサイド・リブ４００５０よりも大きい長さを有することが可能である。他の例では、トウ端４００３２の上のサイド・リブ４００５０は、ヒール端４００３０の上のサイド・リブ４００５０よりも大きい長さを有することが可能である。他の例では、サイド・リブ４００５０のすべてが、等しい長さを有している。サイド・リブ４００５０の幅は、０．１７８ｃｍ±０．０１３ｃｍ（０．１６５〜１９１ｃｍ）、０．１７８インチ±０．０７８インチ（０．１００〜０．２５６インチ）、および０．０３５インチ±０．０２０インチ（０．０１５〜０．０５５インチ）の範囲を有することが可能である。
【０２３２】
図４２および図４５に図示されているように、サイド・リブ４００５０は、曲線のある様式（たとえば、凹形、凸形、非線形など）で、前端４００２０から後端４００２８へ延在することが可能である。いくつかの例では、すべてのサイド・リブ４００５０は、同じ方向にすべて湾曲していることが可能である。たとえば、サイド・リブ４００５０は、凹形カーブを有することが可能であり、サイド・リブ４００５０の第１端部４００５２および第２端部４００５４は、クラウン４００２２に向かって湾曲している。他の例では、サイド・リブ４００５０は、互いから交互の配置で湾曲していることが可能である。たとえば、いくつかのサイド・リブ４００５０は、凹形カーブを有することが可能であり、一方、他のサイド・リブ４００５０は、凸形カーブを有することが可能である。
【０２３３】
図４４および図４５に図示されているように、サイド・リブ４００５０は、角度を付けられていることが可能である。角度は、クラブ・ヘッド４００００が地面の上のレスト位置にあるときに、地面に対して、第１端部４００５２および第２端部４００５４によって生成される仮想参照ラインから決定される。たとえば、サイド・リブ４００５０は、０度の角度（すなわち、水平方向）になっているか、または、９０度の角度（すなわち、垂直方向）になっていることが可能である。サイド・リブ４００５０は、０度から１８０度の間の角度で配向され得る。いくつかの例では、サイド・リブ４０５０は、２０度から１６０度の間の角度、４０度から１４０度の間の角度、６０度から１２０度の間の角度、８０度から１００度の間の角度、１０度から８０度の間の角度、または１００度から１７０度の間の角度で配向され得る。さらに、それぞれのサイド・リブ４００５０は、同様の角度で配向され得るか、または、互いから変化することが可能である。
【０２３４】
図４６および図４７に図示されているように、クラブ・ヘッド４００００の別の例がある。クラブ・ヘッド４００００は、リブ４００４０、サイド・リブ４００５０、およびソール・ウェイト４０５９０を含む。クラブ・ヘッド４００００のリブ４００４０およびサイド・リブ４００５０は、上記に説明されているような以前の例および実施形態のリブおよびサイド・リブと同様の特性および特徴を含むことが可能である。さらに、ソール・ウェイト４０６５０は、上記に説明されているようなゴルフ・クラブ・ヘッド１４０のソール・ウェイト１５９０と同様の特性および特徴を含むことが可能である。
【０２３５】
例示的な例では、リブ４００４０は、クラブ・ヘッド４００００のソール４００２４の上に位置決めされており、第１端部４００４２および第２端部４００４４を含む。第１端部４００４２は、前端４００２０に近接して位置決めされており、第２端部４００４４は、後壁４００２８に向けて半径方向の方式で外向きに延在している。他の例では、第１端部４００４２は、前端４００２０と接触していることが可能であり、第２端部４００４４は、後端４００２８に近接するように延在するか、後端４００２８と接触しているか、または、後端４００２８に沿ってさらに延在することが可能である。さらに、クラブ・ヘッド４００００の中で中心を合わせられているリブ４００４０は、後端４００２８に沿って延在することが可能であり、ソール・ウェイト４０５９０に接触していることが可能であり、ソール・ウェイト４０５９０に延在することが可能である。他の例では、リブ４００４０のいずれも、後端４００２８に沿って延在することが可能であり、ソール・ウェイト４０５９０に接触していることが可能であり、ソール・ウェイト４０５９０を通って延在することが可能である。
【０２３６】
例示的な例では、リブ４００４０は、所定の幅および高さを含む。リブ４００４０の幅は、０．１７８ｃｍ±０．０１３ｃｍ、０．１７８インチ±０．０７８インチ、および０．０３５インチ±０．０２０の範囲を有することが可能である。さらに、第１端部４００４２から第２端部４００４４へ延在するリブ４００４０の幅は、一定のままであるかまたは変化することが可能である。たとえば、第１端部４００４２における幅は、０．１５０インチであることが可能であり、リブ４００４０の中間の幅は、０．１００インチであることが可能であり、第２端部４００４４における幅は、０．１９５インチであることが可能である。
【０２３７】
例示的な例において、リブ４００４０の高さは、０．０５１ｃｍ±０．０１３、０．０５１ｃｍ±０．０５０ｃｍ、０．５１インチ±０．１３インチ、および０．５０インチ±０．２５インチの範囲を有することが可能である。第１端部４００４２から第２端部４００５２へ延在するリブ４００４０の高さは、一定のままであるかまたは変化することが可能である。たとえば、第１端部４００４２における高さは、０．５０インチであることが可能であり、リブ４００４０の中間に沿って延在して、０．７５インチへ増加し、第２端部４００４４において０．６０インチへ減少する。
【０２３８】
例示的な例において、サイド・リブ４００５０は、前端４００２０に近接して、クラブ・ヘッド４００００のトウ端４００３２の上に位置決めされている。他の例では、サイド・リブ４００５０は、ヒール端４００３０の上に、または、トウ端４００３２およびヒール端４００３０の両方の上に、前端４００２０に近接して、前端４００２０と接触して、または、前端４００２０から遠く離れて位置決めされ得る。サイド・リブ４００５０は、第１端部４００５２および第２端部４００５４を含み、幅は一定のままであるが、高さは、第１端部４００５２から減少し、第２端部４００５４に向けて延在している。他の例では、リブ４００５０の高さおよび幅は、第１端部４００５２から第２端部４００５４へ延在するときに、一定のままであるかまたは変化することが可能である。さらに、サイド・リブは、真っ直ぐになっており、レスト位置にあるクラブ・ヘッド４００００に対して所定の角度で配向されている。他の例では、サイド・リブ４００５０は、湾曲しているか、真っ直ぐになっているか、または、その両方の組み合わせであることが可能であり、また、任意の角度配向を有することが可能である。この例示的な例において、リブは、インパクトの間にクラブ・ヘッド４００００の音がより心地良くなることを可能にする。
【０２３９】
接続リブ
他の実施形態では、ゴルフ・クラブ・ヘッド４００００は、接続リブ４００８０をさらに含むことが可能であり、接続リブ４００８０は、リブ４００４０を連続する近隣のリブ４００４０に交差させ、音を改善することが可能である。他の実施形態では、接続リブ４００８０は、上記に説明されているような任意のリブと交差することが可能である。たとえば、接続リブ４００８０は、図５のリブ４４３〜４４６、図６のリブ６４１〜６４６、図８のリブ８４１〜８４５、図１０のリブ１０４３〜１０４５、図１２のリブ１２４３〜１２４５、図１７のリブ１７２１〜１７２５、図１９のリブ１８５１〜１８５５、図２３のリブ２２２１３、２２２２３、および２２２３３、図３２のリブ３２３１２、３２３２２、３２３３２、３２３４２、および３２３５２、図３３のリブ３３２１０、３３２２０、３３２３０、および３３２４０、図３４のリブ３４２１０、３４２２０、３４２３０、および３４２４０、図３５のリブ３５４１０、３５４２０、３５４３０、および３５４４０、図３６のリブ３６２１０、３６２２０、３６２３０、および３６２４０、図３７のリブ３７２１０、３７２２０、３７３１０、３７３２０、３７３３０、３７４１０、３７４２０、および３７４３０、ならびに、図３８のリブ３８２００の間に位置決めされ得る。図４８に図示されているように、接続リブ４００８０は、第１端部および第２端部を含む。接続リブ４００８０は、リブ４００４０から連続する近隣のリブ４００４０の間に延在しており、接続リブ４００８０の第１端部は、リブ４００４０に隣接しているか、または、リブ４００４０と一体的に形成されることができ、接続リブ４００８０の第２端部は、連続する近隣のリブ４００４０に隣接しているか、または、連続する近隣のリブ４００４０と一体的に形成され得る。
【０２４０】
ゴルフ・クラブ・ヘッド４００００は、任意の数の接続リブ４００８０を含むことが可能である。たとえば、ゴルフ・クラブ・ヘッド４００００は、１つの接続リブ４００８０、２つの接続リブ４００８０、３つの接続リブ４００８０、４つの接続リブ４００８０、５つの接続リブ４００８０、６つの接続リブ４００８０、７つの接続リブ４００８０、または８つの接続リブ４００８０を含むことが可能である。ゴルフ・クラブ・ヘッド４００００が任意の数の接続リブ４００８０を含むことができる実施形態では、それぞれの接続リブ４００８０が、同じ２つのリブ４００４０の間に位置決めされ得る。たとえば、ゴルフ・クラブ・ヘッド４００００は、第１および第２の接続リブ４００８０、ならびに、第１の、第２の、および第３のリブ４００４０を含むことが可能であり、第１の接続リブ４００８０は、第１のリブ４００４０と第２のリブ４００４０との間に延在することが可能であり、第２の接続リブ４００８０は、第２のリブ４００４０と第３のリブ４００４０との間に延在することが可能である。他の実施形態では、ゴルフ・クラブ・ヘッド４００００が、任意の数の接続リブ４００８０を含むことが可能であり、それぞれの接続リブ４００８０が、異なるリブ４００４０同士の間に位置決めされ得る。たとえば、ゴルフ・クラブ・ヘッド４００００は、第１および第２の接続リブ４００８０、ならびに、第１の、第２の、および第３のリブ４００４０を含むことが可能であり、第１および第２の接続リブ４００８０は、第１のリブ４００４０と第２のリブ４００４０との間に延在することが可能である。
【０２４１】
いくつかの実施形態では、接続リブ４００８０は、曲線のある様式で、第１端部から第２端部に向けて延在することが可能である。他の実施形態では、接続リブ４００８０は、線形で真っ直ぐな様式で、第１端部から第２端部に向けて延在することが可能である。他の実施形態では、接続リブ４００８０は、線形の様式および曲線のある様式の組み合わせで延在することが可能である。任意の数の接続リブ４００８０を有するいくつかの実施形態では、それぞれの接続リブは、曲線のある様式で延在することが可能であるか、線形の様式で延在することが可能であるか、または、いくらかは曲線のあるものと、いくらかは線形のものとの組み合わせで延在することが可能である。同じ２つのリブ４００４０の間に任意の数の接続リブ４００８０を有するいくつかの実施形態では、接続リブ４００８０は、互いに平行になっていることが可能であり、たとえば、第１の接続リブ４００８０は、第２の接続リブ４００８０と平行になっており、両方の接続リブ４００８０が、第１のリブ４００４０と第２の近隣のリブ４００４０との間に位置決めされている。
【０２４２】
いくつかの実施形態では、接続リブ４００８０が、２つの近隣のリブ４００４０の間で、一方の端部が他方の端部よりも前端４００２０に向けて近くに位置決めされるように配向され得る。たとえば、第１端部が前端４００２０に向けてより近くに位置決めされており、第２端部が後端４００２８に向けてより近くに位置決めされるように、接続リブ４００８０が配向され得る。他の実施形態では、第２端部が前端４００２０に向けてより近くに位置決めされており、第１端部が後端４００２８に向けてより近くに位置決めされるように、接続リブ４００８０が配向され得る。他の実施形態では、第１端部および第２端部の両方が、前端４００２０から等しい距離に位置決めされるように、接続リブ４００８０が配向され得る。
【０２４３】
接続リブ４００８０は、所定の高さおよび幅（または、厚さ）を含むことが可能である。いくつかの例では、接続リブ４００８０の高さは、一定のままであることが可能であり、接続リブ４００８０の第１端部から接続リブ４００８０の第２端部に向けて延在している。他の実施形態では、接続リブ４００８０の高さは、変化することが可能であり、第１端部から第２端部に向けて延在している（たとえば、徐々に増加する、線形的に増加する、徐々に減少する、線形的に減少する、および、それらの任意の組み合わせである）。さらにいくつかの例では、接続リブ４００８０のそれぞれの高さは、互いの高さに等しくなっていることが可能である。他の例では、接続リブ４００８０のそれぞれは、互いに異なる高さを有することが可能である。いくつかの実施形態では、接続リブ４００８０の高さは、リブ４００４０の高さの少なくとも半分からリブ４００４０の高さにマッチする高さの間の範囲にあることが可能である。接続リブ４００８０の高さは、０．０５１ｃｍ±０．０１３（０．０３８〜０．０６４ｃｍ）、０．０５１ｃｍ±０．０５０ｃｍ（０．００１〜０．１０１ｃｍ）、０．５１インチ±０．１３インチ（０．３８〜０．６４インチ）、および０．５０インチ±０．２５インチ（０．２５〜０．７５インチ）の範囲を有することが可能である。
【０２４４】
いくつかの例では、接続リブ４００８０の幅は、接続リブ４００８０が接続リブ４００８０の第１端部から接続リブ４００８０の第２端部に向けて延在するときに、一定のままであるかまたは変化することが可能である（たとえば、徐々に増加する、線形的に増加する、徐々に減少する、線形的に減少する、および、それらの任意の組み合わせである）。いくつかの例では、接続リブ４００８０のそれぞれの幅は、互いに等しくなっていることが可能である。他の例では、接続リブ４００８０は、互いに異なる幅を有することが可能である。いくつかの例では、接続リブ４００８０のそれぞれは、第１のリブ４００４０の近くの第１端部においてテーパリングを有することが可能であり、また、近隣の第２のリブ４００４０の近くの第２端部においてテーパリングを有することが可能である。他の例では、第１端部および／または第２端部のテーパリングが存在しないことも可能である。接続リブ４００８０の幅（または厚さ）は、０．１７８ｃｍ±０．０１３ｃｍ（０．１６５〜０．１９１ｃｍ）、０．１７８インチ±０．０７８インチ（０．１００〜０．２５６インチ）、および０．０３５インチ±０．０２０インチ（０．０１５〜０．０５５インチ）の範囲を有することが可能である。
【０２４５】
上記に説明されているように、接続リブ４００４０は、リブ４００４０と連続する近隣のリブ４００４０との間に位置決めされ得る。より具体的には、接続リブは、図２９および図３０において上記に説明されている高振幅ゾーンと同様に、ゴルフ・クラブ・ヘッド４００００の上の高振幅ゾーン４００９０において、リブ４００４０と連続する近隣のリブ４００４０との間に位置決めされ得る。図４９〜図５２に図示されているように、これらの高振幅ゾーン４００９０は、ゴルフ・クラブ・ヘッド４００００のクラウン４００２２、ソール４００２４、および／またはスカートの上に結果として生じる可能性がある。いくつかの実施形態では、高振幅ゾーン４００９０は、ヒール端４００３０の近くに、トウ端４００３２の近くに、ヒール端４００３０とトウ端４００３２との間に、または、それらの組み合わせで、３分の１番目の、３分の２番目の、および／または３分の３番目のクラウン４００２２（前端４００２０から後端４００２８へ）の上に存在することが可能である。他の実施形態では、高振幅ゾーン４００９０は、ヒール端４００３０の近くに、トウ端４００３２の近くに、ヒール端４００３０とトウ端４００３２との間に、または、それらの組み合わせで、３分の１番目の、３分の２番目の、および／または３分の３番目のソール４００２４（前端４００２０から後端４００２８へ）の上に存在することが可能である。接続リブ４００８０は、上述の高振幅ゾーン４００９０のいずれかの上に位置決めされ得る。
【０２４６】
いくつかの実施形態では、ゴルフ・クラブ・ヘッド４００００は、１つの高振幅ゾーン４００９０を含むことが可能である。他の実施形態では、ゴルフ・クラブ・ヘッド４００００は、任意の数の高振幅ゾーン４００９０（たとえば、１つの高振幅ゾーン４００９０、２つの高振幅ゾーン４００９０、３つの高振幅ゾーン４００９０、４つの高振幅ゾーン４００９０、５つの高振幅ゾーン４００９０、６つの高振幅ゾーン４００９０、７つの高振幅ゾーン４００９０、または８つの高振幅ゾーン４００９０）を含むことが可能である。図４９に図示されているような１つの例では、ゴルフ・クラブ・ヘッド４００００は、ソール４００２４の上に位置決めされている第１の高振幅ゾーン４００９１、第２の高振幅ゾーン４００９２、および第３の高振幅ゾーン４００９３を含むことが可能である。
【０２４７】
高振幅ゾーン４００９０は、モーダル解析を通して決定されることができ、モーダル解析は、異なる周波数におけるゴルフ・クラブ・ヘッドの応答をテストし、異なる振幅値においてその特定の周波数を経験するゴルフ・クラブ・ヘッドの異なる領域を示す、ゴルフ・クラブ・ヘッドのカラー・マップ（「モード」として知られる）を作り出す。図４９〜図５２では、高振幅ゾーン４００９０は、高振幅ゾーン４００９０の中の円形領域の異なるドット付きのパターンまたはブランク・パターンによって、振動の異なるシビアリティーを図示することが可能であり、振動は、高振幅ゾーン４００９０の外側円形領域から内側円形領域へ行くときに増加している。いくつかの実施形態では、高振幅ゾーン４００９０の内側円形領域は、より高密度にドット付きの内側円形領域を図示することが可能であり、それは、その特定の周波数における最も高い振動の強度を表している。たとえば、図４９に図示されているように、第２の高振幅ゾーン４００９２の内側円形領域は、よりまばらなドット付きのパターンを有する他の円形領域と比較して、高密度にドット付きのパターンを含み、第２の高振幅ゾーン４００９２の内側円形領域は、最も高い振動を経験する。図４９〜図５２に図示されているように、ゴルフ・クラブ・ヘッド４００００は、３つの別々の周波数、すなわち、４０００Ｈｚ（図４９）、４４００Ｈｚ（図５０および図５１）、ならびに８０００Ｈｚ（図５２）におけるモデル解析によってテストされ、ゴルフ・クラブ・ヘッド４００００の異なる場所が、音に影響を与え得る高振幅ゾーン４００９０を含む可能性がある。
【０２４８】
モーダル解析は、（グラフ（図５３）に図示されているように）音響解析に関連して観察され得る。音響解析は、（１００ｍｐｈの速度での、および、フェイスと直角の）ストライク・フェイスの中心におけるゴルフ・ボールとのインパクトの間のゴルフ・クラブ・ヘッドの音を記録することによって実施され、次いで、音は、周波数領域へ変換される。音響解析は、振動する構造体によって生成される圧力差（振動振幅）（ｌｂｓ／ｉｎ２（ｐｓｉ）で測定される）を測定し、それは、インパクトの間にゴルフ・クラブ・ヘッドによって作り出される異なる周波数（ヘルツ（Ｈｚ）で測定される）のアレイの間にゴルフ・クラブ・ヘッドによって経験される。音響解析のグラフは、モーダル解析によって作り出されるどのモードが、音を改善する際に最も有効であるかということを決定することを助けることが可能である。図５３に図示されているように（図４９〜図５２に関連付けられている）、重視すべき最も有効なモードは、４０００Ｈｚの周波数におけるモード（図４９）であり、グラフは、異なる周波数（４４００Ｈｚの周波数は、おおよそ０．０７ｅ−３ｐｓｉの圧力を作り出しており、８００Ｈｚの周波数は、おおよそ０．０６ｅ−３ｐｓｉの圧力を作り出している）における他のピーク振幅と比較して、４０００Ｈｚ（おおよそ０．３３ｅ−３ｐｓｉの圧力）において、相対的に高い振幅を示している。図４９を参照すると、接続リブ４００４０は、第２の高振幅ゾーン４００９２の中に設置されることができ、ヒール端４００３０とトウ端４００３２との間で、（前端４００２０から後端４００２８へ）ソール４００２４の３分の２番目の上に位置付けされることができ、他の周波数に対して４０００Ｈｚにおける振幅を低下させ、それによって、音を改善する。
【０２４９】
他のゴルフ・クラブ・ヘッドでは、グラフは、互いに対して相対的に高いおよび低い振幅の異なる値を有する任意の数の周波数を示す音響解析によって作り出され得る。発生させられる最も高い振幅よりもおおよそ９０％から１００％低い振幅を有する周波数を無視して、すべての関連のピーク振幅が互いに対して１：０．５の比率以内にある場合には、および／または、対応する音響解析グラフの上の振幅に関して、以下の等式が満たされる場合には、接続リブ４００８０は、音を改善するためにモーダル解析と関連付けられて、ゴルフ・クラブ・ヘッド４００４０の上の特定の場所に位置決めされ得る。
【数１】
2019525812.tif 000003
【０２５０】
ここで、
【数２】
2019525812.tif 000004
は、音響解析の中の最も低い振幅の平均値であり（発生させられる最も高い振幅よりもおおよそ９０％から１００％低い周波数を除外する）、Ｙは、音響解析の中の最も高い振幅値であり、Ｚは、Ｙに関連付けられる場所において、接続リブ４００８０がゴルフ・クラブ・ヘッド４００００の上に位置決めされているときに発生させられる、１未満の値であり、Ｙ’は、接続リブ４００８０が追加された後のＹの新しいおよび相対的により低い振幅値である。
【０２５１】
音響解析グラフが、相対的により低い振幅と比較して（発生させられる最も高い振幅よりもおおよそ９０％から１００％低い周波数を除外する）、複数の相対的に高い振幅を含むことが可能である実施形態では、以下の等式が満たされる場合には、音が改善され得る。
【数３】
2019525812.tif 000005
【０２５２】
ここで、等式２の中のそれぞれの変数は、上記の等式１と同じ記号を共有しているが、しかし、１は、音響解析の中の第１の最も高い振幅値を表しており、２は、音響解析の中の第２の最も高い振幅値を表しており、ｎは、音響解析の中の任意の数の最も高い振幅値を表している。
【０２５３】
理想的な範囲の上方に１つまたは複数の周波数を有することは、理想的な音未満の音を作り出す可能性があり、そこでは、特定の周波数が、周波数「調和」を生成させるために一緒に働く代わりに、他の周波数を支配する。特定の高振幅ゾーンの中に位置決めされている接続リブ４００８０は、
【数４】
2019525812.tif 000006
または
【数５】
2019525812.tif 000007
の範囲の中に入るように最も高い振幅値を低減させることが可能であり、それは、周波数「調和」を生成させることが可能であり、１つまたは複数の周波数がインパクトの間に他の周波数を圧倒することを防止する。
【０２５４】
説明されているゴルフ・クラブ・ヘッド４００００の接続リブ４００８０は、ゴルフ・クラブ・ヘッド１２、１４０、１７８、１８０、１９０、４１２、６１２、８１２、１０１２、および１２１２の中へさらに組み込まれ得る。追加的に、サイド・リブ４００５０および／または半径方向に延在するリブ４００４０の任意の組み合わせで、接続リブ４００８０は、これらの高振幅ゾーン４００９０の上に位置決めされることができ、ゴルフ・クラブ・ヘッド４００００の音を改善することが可能である。
【０２５５】
リブを備えたゴルフ・クラブ・ヘッドおよび関連の方法は、本明細書において、特定の実施形態に関して説明されてきたが、本開示の精神または範囲から逸脱することなく、さまざまな変形が行われ得る。たとえば、リブ２２２００は、図２２〜図２８に示されているように実質的に真っ直ぐになっているが、真っ直ぐでなく、または、そうでなければ、それらのそれぞれのゴルフ・クラブ・ヘッドの本体部のリブ表面に沿って、それらのそれぞれの長さに沿って湾曲した、ジグザグの、またはＳ字形状の経路を辿る、リブ２２２００と同様のリブを備えた実施形態が存在することも可能である。別の例として、リブ２２２００またはそれと同様の他のリブは、内部というよりもむしろ外部にあることが可能である。さらに別の例として、図２２〜図２８は、リブ表面２４２００の上方に連続的に突出されているような、リブ２２２００の低減された寸法部分、たとえば、リブ部分２５２１３、２４２１８、２２２３３、および２２２２３などを示しているが、他の実施形態が存在することも可能であり、他の実施形態では、そのような低減された寸法部分の少なくとも一部が、リブ表面２４２００と融合することが可能であり、ゼロのリブ高さまたはリブ厚さを構成するようになっている。いくつかの実施形態では、ゴルフ・クラブ・ヘッドのリブは、図２２および図３２〜図３８に図示されているものとは異なる他のローカスおよび周囲形状と交差するかまたはそれに接するように整合させられ得る。たとえば、そのような他のローカスおよび周囲形状は、半円形、半楕円形、双曲線、および／または放物線であることが可能である。
【０２５６】
そのような変化の追加的な例は、先述の説明の中に与えられている。さまざまな図の特徴のうちの１つまたは複数を有する異なる実施形態の他の並べ替えが、同様に企図される。したがって、本明細書における本開示は、本発明の範囲の例示目的であることが意図されており、限定するものであることは意図されていない。本出願の範囲は、添付の特許請求の範囲によって要求される範囲のみに限定されるべきであるということが意図されている。
【０２５７】
本明細書で議論されている、リブを備えたゴルフ・クラブ・ヘッドおよび関連の方法は、さまざまな実施形態において実装されることができ、特定のこれらの実施形態の先述の議論は、必ずしも、すべての可能な実施形態の完全な説明を表しているわけではない。むしろ、図面の詳細な説明および図面自身は、少なくとも１つの好適な実施形態を開示しており、代替的な実施形態を開示している可能性もある。
【０２５８】
ゴルフの規則は時々変更されることがあり（例えば、ゴルフの標準団体及び／又は全米ゴルフ協会（ＵＳＧＡ）、英国ゴルフ協会（Ｒ＆Ａ）等の統治体によって、新しい規則が適用され、又は古い規則が撤廃又は改変されることがある）、本願に開示される装置、方法及び／又は製造品に関するゴルフ道具は、どのような時もゴルフの規則に適合してもよく、適合しなくてもよい。加えて、本願に開示される装置、方法及び／又は製造品に関するゴルフ道具は、広告、販売の申し出、及び／又はゴルフ道具に適合する又は適合しない販売であってもよい。本願に開示される装置、方法及び／又は製造品がこの点において限定されるものではない。
【０２５９】
少なくとも上記例のいくつかは、フェアウェイウッド型ゴルフ・クラブ又はドライバー型ゴルフ・クラブに関して描写又は記述されているが、本願に開示される装置、方法、製造品は、アイアン型ゴルフ・クラブ、ウェッヂ型のゴルフ・クラブ、及び／又はパター型のゴルフ・クラブのような、他のタイプのゴルフ・クラブ・ヘッドにも適用可能である。代替として、本願に開示される装置、方法、製造品は、ホッケースティック、テニスラケット、釣り竿、スキー板等の他のスポーツ道具に適用可能である。
【０２６０】
１つまたは複数の請求された要素の置き換えは、再構成を構成するものであり、修復は構成しない。さらに、利益、他の利点、および問題に対する解決法を、特定の実施形態に関して上記に説明した。しかし、利益、利点、問題に対する解決法、および任意の利益、利点、または解決法を生じさせ得るかまたはそれらをより明白にし得るいずれの要素（１つまたは複数）も、そのような利益、利点、解決法、または要素が請求項のいずれかまたはすべてにおいて明示的に述べられていない限り、そのような請求項の重要、必要、または不可欠な特徴または要素として解釈すべきではない。
【０２６１】
さらに、本明細書に開示される実施形態および制限は、実施形態および／または制限が（１）請求項に明示的に特許請求されておらず、（２）均等論下で請求項の明白な要素および／または制限の潜在的な等価物である場合に、公有の原則下で公衆に供されない。
【図１】
2019525812.tif 000008
【図２】
2019525812.tif 000009
【図３】
2019525812.tif 000010
【図４】
2019525812.tif 000011
【図５】
2019525812.tif 000012
【図６】
2019525812.tif 000013
【図７】
2019525812.tif 000014
【図８】
2019525812.tif 000015
【図９】
2019525812.tif 000016
【図１０】
2019525812.tif 000017
【図１１】
2019525812.tif 000018
【図１２】
2019525812.tif 000019
【図１３】
2019525812.tif 000020
【図１４】
2019525812.tif 000021
【図１５】
2019525812.tif 000022
【図１６】
2019525812.tif 000023
【図１７】
2019525812.tif 000024
【図１８】
2019525812.tif 000025
【図１９】
2019525812.tif 000026
【図２０】
2019525812.tif 000027
【図２１】
2019525812.tif 000028
【図２２】
2019525812.tif 000029
【図２３】
2019525812.tif 000030
【図２４】
2019525812.tif 000031
【図２５】
2019525812.tif 000032
【図２６】
2019525812.tif 000033
【図２７】
2019525812.tif 000034
【図２８】
2019525812.tif 000035
【図２９】
2019525812.tif 000036
【図３０】
2019525812.tif 000037
【図３１】
2019525812.tif 000038
【図３２】
2019525812.tif 000039
【図３３】
2019525812.tif 000040
【図３４】
2019525812.tif 000041
【図３５】
2019525812.tif 000042
【図３６】
2019525812.tif 000043
【図３７】
2019525812.tif 000044
【図３８】
2019525812.tif 000045
【図３９】
2019525812.tif 000046
【図４０】
2019525812.tif 000047
【図４１】
2019525812.tif 000048
【図４２】
2019525812.tif 000049
【図４３】
2019525812.tif 000050
【図４４】
2019525812.tif 000051
【図４５】
2019525812.tif 000052
【図４６】
2019525812.tif 000053
【図４７】
2019525812.tif 000054
【図４８】
2019525812.tif 000055
【図４９】
2019525812.tif 000056
【図５０】
2019525812.tif 000057
【図５１】
2019525812.tif 000058
【図５２】
2019525812.tif 000059
【図５３】
2019525812.tif 000060
【国際調査報告】
2019525812.tif 000061